(57)【要約】  可搬式の折り畳み型の少なくとも部分的な格納装置（１０）は、本発明の一態様において、静止面、複数の側縁、前縁および後縁を規定する主面を有する静止プラットフォーム（２８）を含む。主要プラットフォーム（２１）は、主要面、内縁、外縁、前縁および後縁を規定する主面を有する。内縁は、静止プラットフォーム（２８）へ接合され、主要プラットフォーム（２１）は、主要面および静止面が斜面または直交状である折り畳み位置を有し、主要プラットフォーム（２１）は、主要プラットフォーム（２１）が静止プラットフォーム（２８）から展開される伸長位置を有する。端壁アセンブリ（２３）は、少なくとも２つのセグメント（例えば、７２Ａ、７２Ｂ、７２Ｃ）を有する。各セグメントは、セグメント面、側縁、上縁および下縁を規定する主面を有する。セグメントの側縁は相互に接合され、各セグメントの下縁は、静止プラットフォーム（２８）および主要プラットフォーム（２１）のうち１つへ接合される。端壁アセンブリ（２３）は、セグメント面が静止面および主要面双方に対する壁部を形成する角度において設けられる伸長位置を有し、端壁アセンブリは、折り畳み位置を有する。少なくとも１つの作動機構（１４２）は、セグメントのうち少なくとも１つおよびセグメント（例えば、７２Ａ、７２Ｂ、７２Ｃ）のうち少なくとも１つが接合される静止プラットフォーム（２８）または主要プラットフォーム（２１）のうち少なくとも１つへ接合され、少なくとも１つの作動機構（１４２）は、セグメント（例えば、７２Ａ、７２Ｂ、７２Ｃ）のうち少なくとも１つを伸長位置へ付勢する力を提供するように、構成される。【選択図】図１
2019511432.tif 000002
【特許請求の範囲】
【請求項１】
可搬式の折り畳み型の少なくとも部分的な格納装置であって、静止面、複数の側縁、前縁および後縁を規定する主面を有する静止プラットフォームと、
主要面、内縁、外縁、前縁および後縁を規定する主面を有する主要プラットフォームであって、前記内縁は前記静止プラットフォームへ接合され、前記主要プラットフォームは、前記主要面および静止面が斜面または直交状である折り畳み位置を有し、前記主要プラットフォームは、前記主要プラットフォームが前記静止プラットフォームから展開される伸長位置を有する、主要プラットフォームと、
少なくとも２つのセグメントを有する端壁アセンブリであって、各セグメントは、セグメント面、側縁、上縁および下縁を規定する主面を有し、前記セグメントの側縁は相互に接合され、各セグメントの下縁は、前記静止プラットフォームおよび前記主要プラットフォームのうち１つへ接合され、前記端壁アセンブリは、前記セグメント面が前記静止面および前記主要面双方に対する壁部を形成する角度において設けられる伸長位置を有し、前記端壁アセンブリは折り畳み位置を有する、端壁アセンブリと、
前記セグメントのうち少なくとも１つおよび前記セグメントのうち前記少なくとも１つが接合された前記静止プラットフォームまたは前記主要プラットフォームへ接合された少なくとも１つの作動機構であって、前記少なくとも１つの作動機構は、前記セグメントのうち前記少なくとも１つを前記伸長位置へ付勢する力を提供するように構成される、作動機構と、
を含む、可搬式の折り畳み型の少なくとも部分的な格納装置。
【請求項２】
可搬式の折り畳み型の少なくとも部分的な格納装置であって、
フレームと、
前記フレームへ接合された静止プラットフォームであって、前記静止プラットフォームは、静止面、複数の側縁、前縁および後縁を規定する主面を有する、静止プラットフォームと、
主要面、内縁、外縁、前縁および後縁を規定する主面を有する主要プラットフォームであって、前記内縁は前記静止プラットフォームへ接合され、前記主要プラットフォームは、前記主要面および静止面が斜面または直交状である折り畳み位置を有し、前記主要プラットフォームは、前記主要プラットフォームが前記静止プラットフォームから展開される伸長位置を有する、前記主要プラットフォームと、
少なくとも２つのセグメントを有する端壁アセンブリであって、各セグメントは、セグメント面、側縁、上縁および下縁を規定する主面を有し、前記セグメントの側縁は相互に接合され、各セグメントの下縁は、前記静止プラットフォームおよび前記主要プラットフォームのうち１つへ接合され、前記端壁アセンブリは、前記セグメント面が前記静止面および前記主要面双方に対する壁部を形成する角度において設けられる伸長位置を有し、前記端壁アセンブリは、折り畳み位置を有する、端壁アセンブリと、
前記セグメントのうち少なくとも１つおよび前記セグメントのうち前記少なくとも１つが接合された前記静止プラットフォームまたは前記主要プラットフォームへ接合された少なくとも１つの作動機構であって、前記少なくとも１つの作動機構は、前記セグメントのうち前記少なくとも１つを前記伸長位置へ付勢する力を提供するように構成される、少なくとも１つの作動機構と、
を含む、可搬式の折り畳み型の少なくとも部分的な格納装置。
【請求項３】
前記作動機構は、前記セグメントのうち１つの前記折り畳み位置への下降に耐える力を提供するようにさらに構成される、請求項１または２の可搬式の折り畳み型の少なくとも部分的な格納装置。
【請求項４】
前記作動機構はバネを含む、請求項３の可搬式の折り畳み型の少なくとも部分的な格納装置。
【請求項５】
前記バネはトーションバネを含む、請求項４の可搬式の折り畳み型の少なくとも部分的な格納装置。
【請求項６】
前記バネは、引張または圧縮バネを含む、請求項４の可搬式の折り畳み型の少なくとも部分的な格納装置。
【請求項７】
前記セグメントのうち前記少なくとも１つは、その前記下縁から前記前縁においてヒンジにより前記静止プラットフォームおよび前記主要プラットフォームのうち１つへ接合され、前記トーションバネは、第１の部位において中央バネ部へ接合された第１の要素および前記第１の部位の反対側の前記中央バネ部の第２の部位へ接合された第２の要素を有し、前記中央バネ部は、前記ヒンジに隣接して配置される、請求項６の可搬式の折り畳み型の少なくとも部分的な格納装置。
【請求項８】
前記中央バネ部は、前記ヒンジに対して平行に方向付けられた前記中央バネ部によって伸長される、請求項７の可搬式の折り畳み型の少なくとも部分的な格納装置。
【請求項９】
前記第１の要素は、前記セグメントのうち前記少なくとも１つの側縁に対して平行である前記中央部から離隔方向に伸長および延長され、前記第２の要素は、前記静止プラットフォームおよび前記主要プラットフォームのうち少なくとも１つの側縁に対して平行な前記中央部から離隔方向に伸長および延長される、請求項８の可搬式の折り畳み型の少なくとも部分的な格納装置。
【請求項１０】
前記セグメントの側縁は、ヒンジによって接合される、請求項９の可搬式の折り畳み型の少なくとも部分的な格納装置。
【請求項１１】
前記バネは、前記セグメントのうち第１のセグメントのみに作用するように構成され、その前記側縁に沿って前記セグメントを接合させるヒンジは、前記セグメントのうち第２のセグメントを上昇および下降させるように構成される、請求項１０の可搬式の折り畳み型の少なくとも部分的な格納装置。
【請求項１２】
前記セグメントの側縁は、ヒンジによって接合される、請求項１または２の可搬式の折り畳み型の少なくとも部分的な格納装置。
【請求項１３】
前記少なくとも１つの作動機構は、前記セグメントのうち第１のセグメントのみに作用するように構成され、その前記側縁に沿って前記セグメントを接合させる前記ヒンジは、前記セグメントのうち第２のセグメントを上昇および下降させるように構成される、請求項１２の可搬式の折り畳み型の少なくとも部分的な格納装置。
【請求項１４】
可搬式の折り畳み型の少なくとも部分的な格納装置であって、
ヒッチを有する少なくとも部分的な格納装置フレームと、
前記少なくとも部分的な格納装置フレームへ接合された静止プラットフォームであって、静止面、複数の側縁、前縁および後縁を規定する主面を有する、静止プラットフォームと、
一対の主要プラットフォームであって、各主要プラットフォームは、主要面、内縁、外縁、前縁および後縁を規定する主面を有し、前記内縁は、前記主要プラットフォームが前記静止プラットフォームの反対側の側縁へ接合されるように前記静止プラットフォームの側縁のうちの１つへ接合され、各主要プラットフォームは、前記主要面および静止面が斜面または直交状である折り畳み位置を有し、各主要プラットフォームは、前記主要プラットフォームが前記静止プラットフォームから展開される伸長位置を有する、一対の主要プラットフォームと、
一対の端壁アセンブリであって、第１の端壁アセンブリは、前記主要プラットフォームおよび静止プラットフォームの前縁へ接合され、第２の端壁アセンブリは、前記主要プラットフォームおよび静止プラットフォームの後縁へ接合され、各端壁アセンブリは３つのセグメントを有し、各セグメントは、セグメント面、側縁、上縁および下縁を規定する主面を有し、各隣接セグメントの対の前記側縁は、相互に接合され、各セグメントの下縁は、前記静止プラットフォームおよび前記主要プラットフォームの前縁または後縁のうち１つへ接合され、各端壁アセンブリは、前記セグメント面が前記静止面および前記主要面双方に対して角度を以て設けられる伸長位置を有し、各端壁アセンブリは折り畳み位置を有する、一対の端壁アセンブリと、
複数の作動機構であって、第１の作動機構は、前記第１の端壁アセンブリおよび前記静止プラットフォームの前記セグメントまたは前記第１の端壁アセンブリの前記セグメントのうち前記少なくとも１つが接合された前記主要プラットフォームのうち少なくとも１つへ接合され、第２の作動機構は、前記第２の端壁アセンブリおよび前記静止プラットフォームの前記セグメントまたは前記第２の端壁アセンブリの前記セグメントのうち前記少なくとも１つが接合された前記主要プラットフォームのうち少なくとも１つへ接合され、前記作動機構はそれぞれ、各関連付けられた端壁アセンブリを前記伸長位置へ付勢する力を提供するように構成される、一対の端壁アセンブリと、
を含む、可搬式の折り畳み型の少なくとも部分的な格納装置。
【請求項１５】
前記作動機構はそれぞれ、各関連付けられた端壁アセンブリの前記折り畳み位置への下降に耐える力を提供するように構成される、請求項１４の可搬式の折り畳み型の少なくとも部分的な格納装置。
【請求項１６】
各セグメント下縁は、前記静止プラットフォームおよび前記主要プラットフォームの前記関連付けられた前縁または後縁へヒンジによって接合され、各作動機構は、第１の部位において中央部へ接合された第１の要素および前記第１の部位と反対側の前記中央部の第２の部位へ接合された第２の要素を有し、第１の作動機構は、前記ヒンジのうち１つに隣接して前記前縁に沿って配置された中央部を有し、第２の作動機構は、前記ヒンジのうち１つに隣接して前記後縁に沿って配置された中央部を有する、請求項１５の可搬式の折り畳み型の少なくとも部分的な格納装置。
【請求項１７】
第３の作動機構および第４の作動機構をさらに含み、前記第３作動機構のおよび前記第４の作動機構はそれぞれ、第１の部位において中央部へ接合された第１の要素および前記第１の部位と反対側の前記中央部の第２の部位へ接合された第２の要素を有し、前記第３の作動機構は、前記ヒンジのうち１つに隣接して前記前縁に沿って配置された中央部を有し、前記第４の作動機構は、前記ヒンジのうち１つに隣接して前記後縁に沿って配置された中央部を有する、請求項１６の可搬式の折り畳み型の少なくとも部分的な格納装置。
【請求項１８】
各第１の要素は、前記関連付けられた第１のおよび第２の端壁アセンブリのセグメントのうち１つの側縁に対して平行な前記関連付けられた中央部から離隔方向に伸長および延長され、各第２の要素は、前記関連付けられた前記静止プラットフォームおよび前記主要プラットフォームのうち１つの前記セグメントの１つの側縁から離隔方向に伸長および延長される、請求項１７の可搬式の折り畳み型の少なくとも部分的な格納装置。
【請求項１９】
前記第１の作動機構および第３の作動機構は、前記第１の端壁アセンブリの最外側セグメントおよび前記主要プラットフォームへ動作可能に接合され、前記第１の作動機構および第３の作動機構は、前記第２の端壁アセンブリの最外側セグメントおよび前記主要プラットフォームへ動作可能に接合される、請求項１８の可搬式の折り畳み型の少なくとも部分的な格納装置。
【請求項２０】
各作動機構はバネを含む、請求項１９の可搬式の折り畳み型の少なくとも部分的な格納装置。
【請求項２１】
各バネは、トーションバネを含む、請求項２０の可搬式の折り畳み型の少なくとも部分的な格納装置。
【請求項２２】
各中央バネ部は、前記関連付けられたセグメントを前記関連付けられた主要プラットフォームへ接合させる前記関連付けられたヒンジに対して平行に方向付けられた前記中央バネ部と共に伸長される、請求項２１の可搬式の折り畳み型の少なくとも部分的な格納装置。
【請求項２３】
可搬式の折り畳み型の少なくとも部分的な格納装置であって、
静止面、複数の側縁、前縁および後縁を規定する主面を有する静止プラットフォームと、
主要面、内縁、外縁、前縁および後縁を規定する主面を有する主要プラットフォームであって、前記内縁は前記静止プラットフォームへ接合され、前記主要プラットフォームは、前記主要面および静止面が斜面または直交状である折り畳み位置を有し、前記主要プラットフォームは、前記主要プラットフォームが前記静止プラットフォームから展開される伸長位置を有する、主要プラットフォームと、
前記静止プラットフォームの高さの上方の部位を有するように前記静止プラットフォームへ固定された垂直支持部と、
前記主要プラットフォームを前記伸長位置から少なくとも前記折り畳み位置へリフトするように構成された少なくとも１つのリフト機構と、
を含む、可搬式の折り畳み型の少なくとも部分的な格納装置。
【請求項２４】
前記リフト機構は、前記部位へ動作可能に接続された第１の端部と、前記第１の端部から前記垂直支持部に対する斜面である前記第２の端部へ延長する作用線を形成するように、前記部位の横の位置において前記主要プラットフォームへ動作可能に接続された第２の端部とを有する、請求項２３の可搬式の折り畳み型の少なくとも部分的な格納装置。
【請求項２５】
２つのセグメントを有する端壁アセンブリをさらに含み、各セグメントは、セグメント面、側縁、上縁および下縁を規定する主面を有し、前記セグメントの側縁は相互に接合され、各セグメントの下縁は、前記静止プラットフォームおよび前記主要プラットフォームのうち１つへ接合され、前記端壁アセンブリは、前記セグメント面が前記静止面および前記主要面双方に対して角度を以て設けられる伸長位置を有し、前記端壁アセンブリは折り畳み位置を有する、請求項２３の可搬式の折り畳み型の少なくとも部分的な格納装置。
【請求項２６】
前記リフト機構は、前記部位から前記第２の端部へ延長する可撓性部材を含む、請求項２３の可搬式の折り畳み型の少なくとも部分的な格納装置。
【請求項２７】
請求項２６の可搬式の折り畳み型の少なくとも部分的な格納装置および前記部位へ接続された滑車であって、前記可撓性部材は、前記可撓性部材が前記主要プラットフォームを上昇させる際に前記滑車上を移動する。請求項２６の可搬式の折り畳み型の少なくとも部分的な格納装置。
【請求項２８】
請求項２７の可搬式の折り畳み型の少なくとも部分的な格納装置および前記可撓性部材を延長および対比させるように構成されたアクチュエータ。
【請求項２９】
前記アクチュエータはホイストを含む、請求項２８の可搬式の折り畳み型の少なくとも部分的な格納装置。
【請求項３０】
前記リフト機構は、テレスコーピング型アクチュエータを含む、請求項２３の可搬式の折り畳み型の少なくとも部分的な格納装置。
【請求項３１】
前記テレスコーピング型アクチュエータは、事前充填されたガスアクチュエータを含む、請求項３０の可搬式の折り畳み型の少なくとも部分的な格納装置。
【請求項３２】
前記テレスコーピング型アクチュエータは、前記部位または前記主要プラットフォームのうち１つへ接合されたシリンダ内において移動可能なピストンを含み、前記リフト機構は、前記シリンダ内の前記ピストンを移動させるために、前記シリンダ内の前記ピストンによって形成されたチャンバを選択的に加圧するように前記シリンダへ接続された加圧流体源をさらに含む、請求項３０の可搬式の折り畳み型の少なくとも部分的な格納装置。
【請求項３３】
前記テレスコーピング型アクチュエータは、寸切ボルトおよび前記寸切ボルトと螺合的に係合する部材を含み、前記部材は、前記部位または前記主要プラットフォームのうち１つへ接合される、請求項３０の可搬式の折り畳み型の少なくとも部分的な格納装置。
【請求項３４】
前記リフト機構はバネを含む、請求項２３の可搬式の折り畳み型の少なくとも部分的な格納装置。
【請求項３５】
前記バネは、引張または圧縮バネを含む、請求項３４の可搬式の折り畳み型の少なくとも部分的な格納装置。
【請求項３６】
前記主要プラットフォームは、前記折り畳み位置内の前記リフト機構の視認を不明瞭にする長さである、請求項２３の可搬式の折り畳み型の少なくとも部分的な格納装置。
【請求項３７】
前記リフト機構は、前記主要プラットフォームが前記折り畳み位置にあるとき、伸長方向に垂直に方向付けられた空洞内に配置され、前記主要プラットフォームの部位は、前記主要プラットフォームの前記前縁に沿って、前記折り畳み位置内の前記リフト機構を不明瞭にするするように、前記伸長方向に垂直に方向付けられた空洞上にカバーを形成する、請求項３６の可搬式の折り畳み型の少なくとも部分的な格納装置。
【請求項３８】
前記テレスコーピング型アクチュエータは、前記部位へ旋回可能に接合され、前記主要プラットフォームへ旋回可能に接合される、請求項３０の可搬式の折り畳み型の少なくとも部分的な格納装置。
【請求項３９】
主要面、内縁、外縁、前縁および後縁を規定する主面を有する第２の主要プラットフォームであって、前記内縁は、前記主要プラットフォームの反対側の側縁上において前記静止プラットフォームへ接合され、前記第２の主要プラットフォームは、前記主要面および静止面が斜面または直交状である折り畳み位置を有し、前記第２の主要プラットフォームは、前記主要プラットフォームが前記静止プラットフォームから展開される伸長位置を有する、第２の主要プラットフォームと、
前記伸長位置から少なくとも前記折り畳み位置へ向かって前記第２の主要プラットフォームをリフトさせるように構成された第２のリフト機構と、
をさらに含む、請求項２３の可搬式の折り畳み型の少なくとも部分的な格納装置。
【請求項４０】
前記第２のリフト機構は、前記部位へ動作可能に接続された第１の端部と、前記第１の端部から前記垂直支持部に対する斜面である前記第２の端部へ延長しかつ前記静止プラットフォームおよび前記第２の主要プラットフォームの前記接合側縁の横に設けられた第２の作用線を形成するように前記部位の横の位置において前記第２の主要プラットフォームへ動作可能に接続された第２の端部を有する、請求項３９の可搬式の折り畳み型の少なくとも部分的な格納装置。
【請求項４１】
可搬式の折り畳み型の少なくとも部分的な格納装置であって、
静止面、複数の側縁、前縁および後縁を規定する主面を有する静止プラットフォームと、
一対の主要プラットフォームであって、各主要プラットフォームは、主要面、内縁、外縁、前縁および後縁を規定する主面を有し、前記内縁は、前記主要プラットフォームが前記静止プラットフォームの対向する側縁へ接合されるように、前記静止プラットフォームの側縁のうちの１つへ接合され、各主要プラットフォームは、前記主要面および静止面が斜面または直交状である折り畳み位置を有し、各主要プラットフォームは、前記主要プラットフォームが前記静止プラットフォームから展開される伸長位置を有する、一対の主要プラットフォームと、
一対の端壁アセンブリであって、第１の端壁アセンブリは、前記主要プラットフォームおよび静止プラットフォームの前縁へ接合され、第２の端壁アセンブリは、前記主要プラットフォームおよび静止プラットフォームの後縁へ接合され、各端壁アセンブリは３つのセグメントを有し、各セグメントは、セグメント面、側縁、上縁および下縁を規定する主面を有し、各隣接セグメントの対の前記側縁は相互に接合され、各セグメントの下縁は、前記静止プラットフォームおよび前記主要プラットフォームの前縁または後縁のうち１つへ接合され、各端壁アセンブリは、前記セグメント面が前記静止面および前記主要面双方に対して角度を以て設けられる伸長位置を有し、各端壁アセンブリは、折り畳み位置を有し、一対の端壁アセンブリと、
それぞれが前記伸長位置にあるときに相互に対向する前記端壁アセンブリの係合面の間に延びるように構成された少なくとも１つの支柱であって、前記少なくとも１つの支柱は、前記１つの端壁アセンブリが前記保管位置と前記伸長位置との間に移動しているときに前記支柱が１つの端壁アセンブリに対して少なくとも部分的に取り外し可能に保持される保管位置を有する、少なくとも１つの支柱と、
を含む、可搬式の折り畳み型の少なくとも部分的な格納装置。
【請求項４２】
前記少なくとも１つの支柱は、第１の端部において前記１つの端壁アセンブリへ旋回可能に接合される、請求項４１の可搬式の折り畳み型の少なくとも部分的な格納装置。
【請求項４３】
前記少なくとも１つの支柱の少なくとも１つの部位を前記１つの端壁アセンブリ上に保持するように前記１つの端壁アセンブリへ固定された少なくとも１つの保持デバイスをさらに含む、請求項４１または４２の可搬式の折り畳み型の少なくとも部分的な格納装置。
【請求項４４】
前記保持デバイスは、前記少なくとも１つの支柱の第２の端部を保持するように構成される、請求項４３の可搬式の折り畳み型の少なくとも部分的な格納装置。
【請求項４５】
請求項４１〜４４のうちいずれか１つの可搬式の折り畳み型の少なくとも部分的な格納装置と、それぞれが前記伸長位置にあるときに相互に対向する前記端壁アセンブリの係合面間に延長するように構成された第２の支柱とであって、前記第２の支柱は、前記１つの端壁アセンブリが前記保管位置と前記伸長位置との間に移動しているときに前記第２の支柱が前記１つの端壁アセンブリへ少なくとも部分的に取り外し可能に保持される保管位置を有する、請求項４１〜４４のうちいずれか１つの可搬式の折り畳み型の少なくとも部分的な格納装置および第２の支柱。
【請求項４６】
前記第２の支柱は、前記１つの壁部アセンブリ上の前記少なくとも１つの支柱と平行に取り外し可能に保持される、請求項４５の可搬式の折り畳み型の少なくとも部分的な格納装置。
【請求項４７】
可搬式の折り畳み型の少なくとも部分的な格納装置であって、
プラットフォームと、
一対の端壁アセンブリであって、第１の端壁アセンブリがプラットフォームの前縁へ接合されかつ第２の端壁アセンブリが前記プラットフォームの後縁へ接合され、各端壁アセンブリは、前記端壁アセンブリの主面が双方の前記プラットフォームに対して角度を以て設けられた伸長位置を有し、各端壁アセンブリは折り畳み位置を有する、一対の端壁アセンブリと、
それぞれが前記伸長位置にあるときに相互に対向する前記端壁アセンブリの係合面間に延長するように構成された少なくとも１つの支柱であって、前記少なくとも１つの支柱は、前記１つの端壁アセンブリが前記保管位置と前記伸長位置との間に移動しているときに、前記支柱が１つの端壁アセンブリに対して少なくとも部分的に取り外し可能に保持される保管位置を有し、少なくとも１つの支柱と、
を含む、可搬式の折り畳み型の少なくとも部分的な格納装置。
【請求項４８】
前記少なくとも１つの支柱は、第１の端部において前記１つの端壁アセンブリへ旋回可能に接合される、請求項４７の可搬式の折り畳み型の少なくとも部分的な格納装置。
【請求項４９】
前記少なくとも１つの支柱の少なくとも１つの部位を前記１つの端壁アセンブリ上に保持するように前記１つの端壁アセンブリへ固定された少なくとも１つの保持デバイスをさらに含む、請求項４６〜４７のうちいずれか１つの可搬式の折り畳み型の少なくとも部分的な格納装置。
【請求項５０】
前記保持デバイスは、前記少なくとも１つの支柱の第２の端部を保持するように構成される、請求項４９の可搬式の折り畳み型の少なくとも部分的な格納装置。
【請求項５１】
請求項４７〜５０のうちいずれか１つの可搬式の折り畳み型の少なくとも部分的な格納装置と、それぞれが前記伸長位置にあるときに相互に対向する前記端壁アセンブリの係合面間に延長するように構成された第２の支柱とであって、前記第２の支柱は、前記１つの端壁アセンブリが前記保管位置と前記伸長位置との間に移動しているときに前記第２の支柱が前記１つの端壁アセンブリへ少なくとも部分的に取り外し可能に保持される保管位置を有する、請求項４７〜５０のうちいずれか１つの可搬式の折り畳み型の少なくとも部分的な格納装置および第２の支柱。
【請求項５２】
前記第２の支柱は、前記１つの壁部アセンブリ上の前記少なくとも１つの支柱と平行に取り外し可能に保持される、請求項５１の可搬式の折り畳み型の少なくとも部分的な格納装置。
【請求項５３】
各支柱は、長さが調節可能である、請求項４７の可搬式の折り畳み型の少なくとも部分的な格納装置。
【請求項５４】
可搬式の折り畳み型の少なくとも部分的な格納装置であって、
フレームと、
前記フレームへ接合された静止プラットフォームであって、静止面、複数の側縁、前縁および後縁を規定する主面を有する、静止プラットフォームと、
主要面、内縁、外縁、前縁および後縁を規定する主面を有する主要プラットフォームであって、前記内縁は、前記静止プラットフォームの側縁のうちの１つへ接合され、前記主要プラットフォームは、前記主要面および静止面が斜面または直交状である折り畳み位置を有し、前記主要プラットフォームは、前記主要プラットフォームが前記静止プラットフォームから展開される伸長位置を有する、主要プラットフォームと、
前記主要プラットフォームまたは前記静止プラットフォームのうち少なくとも１つへ接合された壁部と、
取付要素と、
前記主要プラットフォームが前記折り畳み位置にあるときに前記静止および／または前記主要プラットフォームによって少なくとも部分的に形成された開口の少なくとも大部分を被覆するように、前記折り畳み位置において少なくとも前記静止プラットフォームまたは前記主要プラットフォームの一部に取り外し可能に取り付けられたパネルであって、前記パネルは、前記取付要素へ取り外し可能に取り付けることが可能な部位を含む、パネルと、
前記後カバー遠隔の一部を前記部位から支持するような長さの少なくとも１つの脚と、
を含む、可搬式の折り畳み型の少なくとも部分的な格納装置。
【請求項５５】
主要面、内縁、外縁、前縁および後縁を規定する主面を有する第２の主要プラットフォームをさらに含み、前記第２の主要プラットフォームの前記内縁は、前記主要プラットフォームの反対側の側縁へ接合され、前記第２の主要プラットフォームは、前記主要面および静止面が斜面または直交状である折り畳み位置を有し、前記開口は、前記主要プラットフォーム、前記第２の主要プラットフォームおよび／または前記静止プラットフォームの縁によって規定される、請求項５４の可搬式の折り畳み型の少なくとも部分的な格納装置。
【請求項５６】
少なくとも２つのセグメントを有する端壁アセンブリをさらに含み、各セグメントは、セグメント面、側縁、上縁および下縁を規定する主面を有し、前記セグメントの側縁は相互に接合され、各セグメントの下縁は、前記静止プラットフォームおよび前記主要プラットフォームのうち１つへ接合され、前記端壁アセンブリは、前記セグメント面が前記静止面および前記主要面双方に対して角度を以て設けられる伸長位置を有し、前記端壁アセンブリは折り畳み位置を有する、請求項５４の可搬式の折り畳み型の少なくとも部分的な格納装置。
【請求項５７】
前記少なくとも１つの脚は、前記パネルがテーブルとして機能する長さである。請求項５４の可搬式の折り畳み型の少なくとも部分的な格納装置。
【請求項５８】
前記少なくとも１つの脚は、前記パネルへ取り外し可能に取り付けられる、請求項５７の可搬式の折り畳み型の少なくとも部分的な格納装置。
【請求項５９】
前記少なくとも１つの脚は、前記パネルへ旋回可能に固定され、第１の位置および第２の位置から移動可能であり、前記第１の位置において、前記脚は、部位が前記取付台へ固定されたときに前記パネルの前記部位を支持するように伸長し、前記第２の位置は、前記パネルが少なくとも前記静止および主要プラットフォームによって形成される前記開口の大部分を被覆する際に前記パネルへ取り付けられたままとなるように構成される、請求項５４の可搬式の折り畳み型の少なくとも部分的な格納装置。
【請求項６０】
前記取付台は、前記セグメントのうち１つへ固定される、請求項５７の可搬式の折り畳み型の少なくとも部分的な格納装置。
【請求項６１】
前記取付台は、前記フレーム、静止プラットフォームまたは主要プラットフォームのうち１つへ固定される、請求項５７の可搬式の折り畳み型の少なくとも部分的な格納装置。
【請求項６２】
前記パネルを前記少なくとも部分的な格納装置上の２つの異なる位置へ選択的に固定することができるように、前記フレーム、静止プラットフォーム、主要プラットフォームまたは前記取付台が取り付けられていないセグメントのうち１つへ固定された第２の取付台をさらに含む、請求項５７の可搬式の折り畳み型の少なくとも部分的な格納装置。
【請求項６３】
前記脚は、前記少なくとも部分的な格納装置上の２つの異なる位置における前記部位のための前記支持部として機能するように、長さが調節可能である、請求項６２の可搬式の折り畳み型の少なくとも部分的な格納装置。
【請求項６４】
前記取付台または前記部位のうち１つは、前記取付台からの前記部位の取り外しを抑制する要素を含む、請求項５４の可搬式の折り畳み型の少なくとも部分的な格納装置。
【請求項６５】
前記要素は、重力に起因する前記取付台からの前記部位の取り外しを抑制する位置まで移動する、請求項６４の可搬式の折り畳み型の少なくとも部分的な格納装置。
【請求項６６】
前記要素は、重力に起因する前記取付台からの前記部位の取り外しを抑制する前記位置までの枢動を可能にするピボットピンを含む、請求項６５の可搬式の折り畳み型の少なくとも部分的な格納装置。
【請求項６７】
前記パネルは、下縁、前記下縁よりも短尺の上縁、一対の側縁を有し、各側縁は、前記静止プラットフォームがその各折り畳み位置にあるとき、対応する主要プラットフォームの角度と実質的に一致する角度において前記下縁の角部から前記上縁の角部へ延び、請求項５４の可搬式の折り畳み型の少なくとも部分的な格納装置。
【請求項６８】
前記端壁アセンブリは３つのセグメントを含み、各セグメントは、セグメント面、側縁、上縁および下縁を規定する主面を有し、前記セグメントの側縁は相互に接合され、各セグメントの下縁は、前記静止プラットフォームおよび前記主要プラットフォームのうち１つへ接合され、前記端壁アセンブリの前記伸長位置においてかつ前記折り畳み位置において前記主要面または前記静止面のうち１つに対して平行に、前記セグメント面が前記静止面および前記主要面双方に対して角度を以て設けられ、前記取付台は、前記３つのセグメントの中間セグメントへ固定される、請求項５４の可搬式の折り畳み型の少なくとも部分的な格納装置。
【請求項６９】
前記パネルは、前記主要プラットフォームが前記折り畳み位置にあるとき、前記少なくとも部分的な格納装置上において上方を向くパネルを含む、請求項５４の可搬式の折り畳み型の少なくとも部分的な格納装置。
【請求項７０】
前記パネルは、前記主要プラットフォームが前記折り畳み位置にあるとき、前記少なくとも部分的な格納装置上において後方を向くパネルを含む、請求項５４の可搬式の折り畳み型の少なくとも部分的な格納装置。
【請求項７１】
前記パネルは、前記主要プラットフォームの前記折り畳み位置において用いられるときに２つ以上の部位を含み、前記部位は、間隔を空けて設けられたテーブルとして別個に用いられる、請求項５４の可搬式の折り畳み型の少なくとも部分的な格納装置。
【請求項７２】
前記取付台は、前記パネルが少なくとも２つの異なる位置に対して前記取付台へ固定されているときにテーブルとして機能するように移動することができるように、移動可能な様態で前記少なくとも部分的な格納装置の一部へ固定される、請求項５４〜７１のうちいずれか１つの可搬式の折り畳み型の少なくとも部分的な格納装置。
【請求項７３】
前記取付台により、前記取付台から離隔位置にある端部が高い位置において固定可能となるように、前記パネルを上方にチルトさせることが可能になる、請求項５４〜７１のうちいずれか１つの可搬式の折り畳み型の少なくとも部分的な格納装置。
【請求項７４】
可搬式の折り畳み型の少なくとも部分的な格納装置であって、
フレームと、
前記フレームによって支持されたプラットフォームと、
前記プラットフォームの対向する端部において前記フレームまたはプラットフォームへ旋回可能に固定された一対の端壁と、
少なくとも１つの可動伸長型支持部を有する少なくとも１つのコラプシブル支持フレームであって、前記少なくとも１つの可動伸長型支持部は、第１の位置から第２の位置へ選択的に移動するように前記フレームへ固定され、前記第１の位置において、前記伸長型支持部は前記壁部から係合解除され、前記第２の位置において、前記伸長型支持部は、前記壁部それぞれと係合しかつ前記壁部を直立位置に保持するように、前記第１の位置における自身の位置よりも高い位置にある、少なくとも１つのコラプシブル支持フレームと、
を含む、可搬式の折り畳み型の少なくとも部分的な格納装置。
【請求項７５】
前記少なくとも１つのコラプシブル支持フレームは、それぞれその側縁に近接する前記壁部の部位と係合する、請求項７４の可搬式の折り畳み型の少なくとも部分的な格納装置。
【請求項７６】
少なくとも１つの可動伸長型支持部を有する第２のコラプシブル支持フレームをさらに含み、前記少なくとも１つの可動伸長型支持部は、第１の位置から第２の位置へ選択的に移動するように前記フレームへ固定され、前記第１の位置において、前記伸長型支持部は前記壁部から係合解除され、前記第２の位置において、前記伸長型支持部は、前記壁部それぞれと係合しかつ前記壁部を直立位置に保持するように、前記第１の位置における自身の位置よりも高い位置にある、請求項７５の可搬式の折り畳み型の少なくとも部分的な格納装置。
【請求項７７】
前記コラプシブル支持フレームのうち少なくとも１つは、上支持フレームを形成するように相互に固定された複数の支持部を含み、前記上支持フレームは、前記伸長型支持部が前記第２の位置にあるときに前記プラットフォームよりも上方に上昇される、請求項７６の可搬式の折り畳み型の少なくとも部分的な格納装置。
【請求項７８】
前記コラプシブル支持フレームは、相互に離隔した位置において前記上支持フレームへ旋回可能に接合された第２の垂直支持部を含む、請求項７７の可搬式の折り畳み型の少なくとも部分的な格納装置。
【請求項７９】
前記コラプシブル支持フレームが前記第２の位置にあるときに前記プラットフォームよりも高い位置において前記上フレームによって支持される剛性パネルをさらに含む、請求項７８の可搬式の折り畳み型の少なくとも部分的な格納装置。
【請求項８０】
可撓性の伸長型部材をさらに含み、前記可撓性の伸長型部材は、前記コラプシブル支持フレームが前記第２の位置にあるときに、前記プラットフォームよりも高い位置において前記上フレームによって支持される睡眠面を形成するように構成されたサイズである、請求項７８の可搬式の折り畳み型の少なくとも部分的な格納装置。
【請求項８１】
前記第２の位置において取り外し可能に前記支持フレームの一部へ取り付けられるテーブルをさらに含む、請求項７４の可搬式の折り畳み型の少なくとも部分的な格納装置。
【請求項８２】
前記テーブルは、前記支持フレームの一部へスライド可能に取り付けられる。請求項８１の可搬式の折り畳み型の少なくとも部分的な格納装置。
【請求項８３】
前記テーブルは、前記端壁がコラプスト位置にありかつ前記支持フレームが前記第１の位置にあるときに取り外し可能なパネルを含む、請求項８１の可搬式の折り畳み型の少なくとも部分的な格納装置。
【請求項８４】
前記テーブルは、前記支持フレームへ旋回可能に取り付けられる、請求項８１の可搬式の折り畳み型の少なくとも部分的な格納装置。
【請求項８５】
前記テーブル用の取付台により、前記取付台から離隔位置にある端部が高い位置において固定可能となるように、前記テーブルを上方にチルトさせることができる、請求項８４の可搬式の折り畳み型の少なくとも部分的な格納装置。
【請求項８６】
可搬式の折り畳み型の少なくとも部分的な格納装置であって、
静止面、複数の側縁、前縁および後縁を規定する主面を有する静止プラットフォームと、
一対の主要プラットフォームであって、各主要プラットフォームは、主要面、内縁、外縁、前縁および後縁を規定する主面を有し、前記内縁は前記静止プラットフォームへ接合され、各主要プラットフォームは、各主要面および静止面が斜面または直交状である折り畳み位置を有し、各主要プラットフォームは、前記主要プラットフォームが前記静止プラットフォームから展開される伸長位置を有する、一対の主要プラットフォームと、
一対の端壁アセンブリであって、第１の端壁アセンブリは、前記主要プラットフォームおよび静止プラットフォームの前縁へ接合され、第２の端壁アセンブリは、前記主要プラットフォームおよび静止プラットフォームの後縁へ接合され、各端壁アセンブリは、３つのセグメントを有し、各セグメントは、セグメント面、側縁、上縁および下縁を規定する主面を有し、各隣接セグメントの対の前記側縁は相互に接合され、各セグメントの下縁は、前記静止プラットフォームおよび前記主要プラットフォームの前縁または後縁のうち１つへ接合され、各端壁アセンブリは、前記セグメント面が前記静止面および前記主要面双方に対して角度を以て設けられる伸長位置を有し、各端壁アセンブリは折り畳み位置を有する、一対の端壁アセンブリと、
一対のコラプシブル支持フレームであって、各支持フレームは、第１の位置および第２の位置から選択的に移動するように前記主要プラットフォームのうち１つへ固定された少なくとも１つの可動伸長型支持部を有し、前記第１の位置において、前記伸長型支持部は、前記主要プラットフォームのうちの１つの主要面に対して平行でありかつその近隣にあり、前記第２の位置において、前記伸長型支持部は前記静止プラットフォームの反対側の前記側縁よりも上方に上昇され、前記支持フレームの端部は、前記端壁アセンブリが前記伸長位置にあるときに、前記端壁アセンブリそれぞれと係合する、一対のコラプシブル支持フレームと、
を含む、可搬式の折り畳み型の少なくとも部分的な格納装置。
【請求項８７】
各コラプシブル支持フレームは、前記主要プラットフォームへ旋回可能に接合される、請求項８６の可搬式の折り畳み型の少なくとも部分的な格納装置。
【請求項８８】
前記外縁の近隣の前記主要プラットフォームへ旋回可能に接合される、請求項８７の可搬式の折り畳み型の少なくとも部分的な格納装置。
【請求項８９】
前記コラプシブル支持フレームのうち少なくとも１つは、前記伸長型支持部が前記第２の位置にあるときに前記主面よりも高い位置にある上フレームを形成するように相互に固定された複数の支持部を含み、前記支持フレームの端部は、前記端壁アセンブリそれぞれと係合する、請求項８８の可搬式の折り畳み型の少なくとも部分的な格納装置。
【請求項９０】
前記コラプシブル支持フレームは、相互に離隔した位置において前記上フレームへ旋回可能に接合された第２の垂直支持部を含む、請求項８９の可搬式の折り畳み型の少なくとも部分的な格納装置。
【請求項９１】
前記コラプシブル支持フレームが前記第２の位置にあるときに、前記主面よりも高い位置において前記上フレームによって支持される剛性パネルをさらに含む、請求項９０の可搬式の折り畳み型の少なくとも部分的な格納装置。
【請求項９２】
前記コラプシブル支持フレームが前記第２の位置にあるときに、前記主面よりも高い位置において前記上フレームによって支持される睡眠面を形成するように構成されたサイズの可撓性の伸長型部材をさらに含む、請求項９０の可搬式の折り畳み型の少なくとも部分的な格納装置。
【請求項９３】
前記上フレームおよび前記側方支持部は、前記端壁アセンブリが前記折り畳み位置にあるときに、前記主要プラットフォームと、関連付けられた端壁アセンブリの一部との間に配置される、請求項９０の可搬式の折り畳み型の少なくとも部分的な格納装置。
【請求項９４】
前記伸長型支持部および前記第２の垂直支持部は、前記上フレームがベンチを形成するような高さである、請求項９０の可搬式の折り畳み型の少なくとも部分的な格納装置。
【請求項９５】
前記伸長型支持部および前記第２の垂直支持部は、前記上フレームがテーブルまたは睡眠支持部を形成するような高さである、請求項９０の可搬式の折り畳み型の少なくとも部分的な格納装置。
【請求項９６】
前記テーブルは、前記伸長型支持部へ旋回可能に取り付けられる、請求項９３の可搬式の折り畳み型の少なくとも部分的な格納装置。
【請求項９７】
前記テーブル用の取付台により、前記取付台から離隔位置にある端部が高い位置において固定可能となるように、前記テーブルを上方にチルトさせることができる、請求項９６の可搬式の折り畳み型の少なくとも部分的な格納装置。
【請求項９８】
可搬式の折り畳み型の少なくとも部分的な格納装置であって、
静止面、複数の側縁、前縁および後縁を規定する主面を有する静止プラットフォームと、
主要面、内縁、外縁、前縁および後縁を規定する主面を有する主要プラットフォームであって、前記内縁は前記静止プラットフォームへ接合され、前記主要プラットフォームは、前記主要面および静止面が斜面または直交状である折り畳み位置を有し、前記主要プラットフォームは、前記主要プラットフォームが前記静止プラットフォームから展開される伸長位置を有する、主要プラットフォームと、
２つのセグメントを有する端壁アセンブリであって、各セグメントは、セグメント面、側縁、上縁および下縁を規定する主面を有し、前記セグメントの側縁は相互に接合され、各セグメントの下縁は、前記静止プラットフォームおよび前記主要プラットフォームのうち１つへ接合され、前記端壁アセンブリは、前記セグメント面が前記静止面および前記主要面双方に対して角度を以て設けられる伸長位置を有し、前記端壁アセンブリは、折り畳み位置を有する、端壁アセンブリと、
少なくとも１つの可動伸長型支持部を有するコラプシブル支持フレームであって、前記少なくとも１つの可動伸長型支持部は、第１の位置および第２の位置から選択的に移動するように前記主要プラットフォームへ固定され、前記第１の位置において、前記伸長型支持部は、前記主要プラットフォームの主面に対して平行であり、前記第２の位置において、前記伸長型支持部は、前記主面に対して角度を以て設けられ、前記支持フレームは、前記伸長型支持部が前記第２の位置にあるときに前記主面よりも高い位置にある前記伸長型支持部へ接合された少なくとも１つの支持部材を有する、コラプシブル支持フレームと、
を含む、可搬式の折り畳み型の少なくとも部分的な格納装置。
【請求項９９】
前記伸長型支持部は、前記主要プラットフォームへ旋回可能に接合される、請求項９８の可搬式の折り畳み型の少なくとも部分的な格納装置。
【請求項１００】
前記伸長型支持部は、前記外縁の近隣の前記主要プラットフォームへ旋回可能に接合される、請求項９９の可搬式の折り畳み型の少なくとも部分的な格納装置。
【請求項１０１】
前記少なくとも１つの支持部は、前記伸長型支持部が前記第２の位置にあるときに前記主面よりも高い位置にある上フレームを形成するように相互に固定された複数の支持部を含む、請求項１００の可搬式の折り畳み型の少なくとも部分的な格納装置。
【請求項１０２】
前記少なくとも１つの伸長型支持部は、相互に間隔を空けて配置されかつ側方支持部の端部へ固定された少なくとも２つの伸長型支持部を含み、前記側方支持部は、前記主要プラットフォームへ旋回可能に接合され、前記上フレームは、前記伸長型支持部の端部へ旋回可能に接合される、請求項１０１の可搬式の折り畳み型の少なくとも部分的な格納装置。
【請求項１０３】
前記コラプシブル支持フレームは、前記伸長型支持部から間隔を空けて配置された位置において前記上フレームへ旋回可能に接合された第２の垂直支持部を含む、請求項１０２の可搬式の折り畳み型の少なくとも部分的な格納装置。
【請求項１０４】
前記伸長型支持部が前記第２の位置にあるときに前記主面よりも高い位置において前記上フレームによって支持される剛性パネルをさらに含む、請求項１０３の可搬式の折り畳み型の少なくとも部分的な格納装置。
【請求項１０５】
前記伸長型支持部が前記第２の位置にあるときに前記主面よりも高い位置において前記上フレームによって支持される睡眠面を形成するように構成されたサイズの可撓性の伸長型部材をさらに含む、請求項１０３の可搬式の折り畳み型の少なくとも部分的な格納装置。
【請求項１０６】
前記上フレームおよび前記側方支持部は、前記端壁アセンブリが前記折り畳み位置にあるときに、前記主要プラットフォームと、前記端壁アセンブリとの間に配置される、請求項１０３の可搬式の折り畳み型の少なくとも部分的な格納装置。
【請求項１０７】
前記伸長型支持部および前記第２の垂直支持部は、前記上フレームによりテーブルまたは睡眠面が形成される高さである、請求項１０３の可搬式の折り畳み型の少なくとも部分的な格納装置。
【請求項１０８】
前記上フレームは、第１の動作可能幅および第２の動作可能幅において選択的に構成可能であり、前記第２の動作可能幅は、前記第１の動作可能幅よりも幅広である、請求項１０１の可搬式の折り畳み型の少なくとも部分的な格納装置。
【請求項１０９】
前記第２の動作可能幅は、前記上フレームが前記主要プラットフォームおよび前記静止プラットフォーム双方を少なくとも部分的に被覆するような幅である、請求項１０８の可搬式の折り畳み型の少なくとも部分的な格納装置。
【請求項１１０】
前記上フレームは、選択的に延長可能な横方向支持部を含む、請求項１０９の可搬式の折り畳み型の少なくとも部分的な格納装置。
【請求項１１１】
請求項１０９の可搬式の折り畳み型の少なくとも部分的な格納装置と、前記第２の動作可能幅が得られるように前記上フレームへ選択的に接続可能な第２の部位。
【請求項１１２】
前記上フレームのためのサイズの第１の幅および第２の幅に選択的に構成可能なパネルをさらに含み、前記第１の動作可能幅および前記第２の動作可能幅にそれぞれ構成された際に前記上フレームのためのサイズの第１の幅および第２の幅に選択的に構成可能なパネルをさらに含む、請求項１０８の可搬式の折り畳み型の少なくとも部分的な格納装置。
【請求項１１３】
可搬式の折り畳み型の少なくとも部分的な格納装置であって、
フレームと、
前記フレームによって支持されかつ静止面、複数の側縁、前縁および後縁を規定する主面を有する静止プラットフォームと、主要面、内縁、外縁、前縁および後縁を規定する主面を有する主要プラットフォームとであって、前記内縁は、前記静止プラットフォームへ接合され、各主要プラットフォームは、前記関連付けられた主要面および静止面が斜面または直交状である折り畳み位置を有し、前記主要プラットフォームは、前記主要プラットフォームが前記静止プラットフォームから展開される伸長位置を有する、静止プラットフォームおよび主要プラットフォームと、
２つのセグメントを有する端壁アセンブリであって、各セグメントは、セグメント面、側縁、上縁および下縁を規定する主面を有し、前記セグメントの側縁は相互に接合され、各セグメントの下縁は、前記静止プラットフォームおよび前記主要プラットフォームのうち１つへ接合され、前記端壁アセンブリは、前記セグメント面が前記静止面および前記主要面双方に対して角度を以て設けられる伸長位置を有し、前記端壁アセンブリは折り畳み位置を有し、前記静止プラットフォームまたは前記主要プラットフォームのいずれかへ接合された前記セグメントは、開口を含む、端壁アセンブリと、
前記フレームへ取り付けられた構造であって、前記構造は、前記壁部アセンブリが展開された際に前記主要および／または静止プラットフォームに隣接し、前記構造は、前記壁部アセンブリが展開された際に前記セグメント中の前記開口を通じてアクセス可能な表面および／または開口を有する、構造と、
を含む、可搬式の折り畳み型の少なくとも部分的な格納装置。
【請求項１１４】
前記構造は、前記静止プラットフォームに隣接する前記フレームへ取り付けられた部分的保管格納装置である、請求項１１３の可搬式の折り畳み型の少なくとも部分的な格納装置。
【請求項１１５】
前記構造は、前記主要プラットフォームに隣接する前記フレームへ取り付けられた部分的保管格納装置である、請求項１１３の可搬式の折り畳み型の少なくとも部分的な格納装置。
【請求項１１６】
可搬式の折り畳み型の少なくとも部分的な格納装置であって、
フレームと、
前記フレームへ接合された静止プラットフォームであって、静止面、複数の側縁、前縁および後縁を規定する主面を有する、静止プラットフォームと、
２つの主要プラットフォームであって、各主要プラットフォームは、主要面、内縁、外縁、前縁および後縁を規定する主面を有し、前記内縁各主要プラットフォームは前記静止プラットフォームへ接合され、各主要プラットフォームは、前記関連付けられた主要面および静止面が斜面または直交状である折り畳み位置を有し、各主要プラットフォームは、前記主要プラットフォームが前記静止プラットフォームから展開される伸長位置を有する、主要プラットフォームと、
３つのセグメントを有する端壁アセンブリであって、各セグメントは、セグメント面、側縁、上縁および下縁を規定する主面を有し、前記セグメントの側縁は相互に接合され、各セグメントの下縁は、前記静止プラットフォームおよび前記主要プラットフォームのうち１つへ接合され、前記端壁アセンブリは、前記セグメント面が前記静止面および前記主要面双方に対して角度を以て設けられる伸長位置を有し、前記端壁アセンブリは折り畳み位置を有する、前記静止プラットフォームまたは前記主要プラットフォームのいずれかへ接合された前記セグメントは、開口を含む、端壁アセンブリと、
前記セグメント中の開口と整合されたアパチャを形成する壁部を有するフレームへ取り付けられた部分的保管格納装置と、
を含む、可搬式の折り畳み型の少なくとも部分的な格納装置。
【請求項１１７】
前記部分的保管格納装置は、対向する側縁を含み、各側縁は、前記折り畳み位置にある前記主要プラットフォームの前記前縁のうち１つと整合される、請求項１１６の可搬式の折り畳み型の少なくとも部分的な格納装置。
【請求項１１８】
前記部分的保管格納装置内に配置された支持フレームであって、前記支持フレームは、前記端壁アセンブリが前記伸長位置にあるときに操作される１つ以上のコンポーネントを支持する、請求項１１６の可搬式の折り畳み型の少なくとも部分的な格納装置。
【請求項１１９】
前記支持フレームは、１組の異なるコンポーネントのうち１つのコンポーネントを支持するように構成され、前記１組のコンポーネントの各コンポーネントは、前記支持フレームによって同一位置において支持されるように構成される、請求項１１８の可搬式の折り畳み型の少なくとも部分的な格納装置。
【請求項１２０】
前記支持フレームは第１の取付台を含み、前記１組の異なるコンポーネントのコンポーネントはそれぞれ、前記第１の取付台に対して相補的な第２の取付台を含む、請求項１１９の可搬式の折り畳み型の少なくとも部分的な格納装置。
【請求項１２１】
前記異なる組のコンポーネントの１つのコンポーネントはヒータである、請求項１２０の可搬式の折り畳み型の少なくとも部分的な格納装置。
【請求項１２２】
前記異なる組のコンポーネントの１つのコンポーネントはシンクである、請求項１２０の可搬式の折り畳み型の少なくとも部分的な格納装置。
【請求項１２３】
前記異なる組のコンポーネントの１つのコンポーネントはクックトップである、請求項１２０の可搬式の折り畳み型の少なくとも部分的な格納装置。
【請求項１２４】
前記異なる組のコンポーネントの１つのコンポーネントは、保管用引き出しである、請求項１２０の可搬式の折り畳み型の少なくとも部分的な格納装置。
【請求項１２５】
前記異なる組のコンポーネントの１つのコンポーネントは、コンセントである、請求項１２０の可搬式の折り畳み型の少なくとも部分的な格納装置。
【請求項１２６】
前記異なる組のコンポーネントの１つのコンポーネントは、弁制御水流である、請求項１２０の可搬式の折り畳み型の少なくとも部分的な格納装置。
【請求項１２７】
１つのコンポーネントは、前記部分的保管格納装置内において可動であるトイレを含み、前記トイレは、前記開口を通じて用いられ、保管時に前記開口を通じて前記部分的保管格納装置へ返送される、請求項１１６の可搬式の折り畳み型の少なくとも部分的な格納装置。
【請求項１２８】
前記部分的保管格納装置は少なくとも１つのドアを含み、前記端壁アセンブリが前記折り畳み位置にあるときに、前記少なくとも１つのドアを通じて前記トイレを除去することができる、請求項１２７の可搬式の折り畳み型の少なくとも部分的な格納装置。
【請求項１２９】
可搬式の折り畳み型の少なくとも部分的な格納装置であって、
フレームと、
前記フレームへ接合されたプラットフォームと、
保管位置および伸長位置への移動および保管位置および伸長位置からの移動を行うように前記プラットフォームへ接合された端壁であって、前記端壁は開口を含む、端壁と、
前記プラットフォームの近隣の前記フレームへ取り付けられた部分的保管格納装置であって、前記部分的保管格納装置は、前記端壁が前記伸長位置にあるとき、前記端壁中の前記開口と整合されたアパチャを形成する壁部を有し、前記部分的保管格納装置は、前記アパチャから離隔位置にある前記部分的保管格納装置中へのアクセスを可能にする少なくとも１つのドアを含む、部分的保管格納装置と、
使用時に前記開口を通じて前記部分的保管格納装置内から可動でありかつ保管時に前記開口を通じて前記部分的保管格納装置へ返送されるコンポーネントであって、前記少なくとも１つのドアは、前記端壁が前記折り畳み位置にあるときに前記ドアを通じて前記コンポーネントを取り外すことが可能なサイズである、コンポーネントと、
を含む、可搬式の折り畳み型の少なくとも部分的な格納装置。
【請求項１３０】
前記コンポーネントはトイレを含む、請求項１２９の可搬式の折り畳み型の少なくとも部分的な格納装置。
【請求項１３１】
前記コンポーネントは、前記アパチャを通じた移動をガイドするためのガイドデバイスによって支持される、請求項１２９〜１３０のうちいずれか１つの可搬式の折り畳み型の少なくとも部分的な格納装置。
【請求項１３２】
前記ガイドデバイスは、間隔を空けて配置されたガイドレールを含む、請求項１３１の可搬式の折り畳み型の少なくとも部分的な格納装置。
【請求項１３３】
前記ガイドデバイスは、可動トレイを含む、請求項１３２の可搬式の折り畳み型の少なくとも部分的な格納装置。
【請求項１３４】
前記コンポーネントを前記ガイドデバイスから取り外し可能に接続させることおよび前記コンポーネントを前記ドアを通じて前記部分的保管格納装置から取り外すことを行うための保持デバイスをさらに含む、請求項１２９〜１３４のうちいずれか１つの可搬式の折り畳み型の少なくとも部分的な格納装置。
【請求項１３５】
可搬式の折り畳み型の少なくとも部分的な格納装置であって、
フレームと、
前記フレームによって支持されかつ静止面、複数の側縁、前縁および後縁を規定する主面を有する静止プラットフォームと、
２つの主要プラットフォームであって、各主要プラットフォームは、主要面、内縁、外縁、前縁および後縁を規定する主面を有し、前記内縁各主要プラットフォームは前記静止プラットフォームへ接合され、各主要プラットフォームは、前記関連付けられた主要面および静止面が斜面または直交状である折り畳み位置を有し、各主要プラットフォームは、前記主要プラットフォームが前記静止プラットフォームから展開される伸長位置を有する、２つの主要プラットフォームと、
前記主要プラットフォームが前記折り畳み位置にあるときに取り外し可能に前記フレームへ固定された側方支持構造であって、前記側方支持構造は、前記主要プラットフォームが折り畳み状態のときに物品を高い位置に支持するように構成される、側方支持構造と、
を含む、可搬式の折り畳み型の少なくとも部分的な格納装置。
【請求項１３６】
２つのセグメントを有する端壁アセンブリをさらに含み、各セグメントは、セグメント面、側縁、上縁および下縁を規定する主面を有し、前記セグメントの側縁は相互に接合され、各セグメントの下縁は、前記静止プラットフォームおよび前記主要プラットフォームのうち１つへ接合され、前記端壁アセンブリは、前記セグメント面が前記静止面および前記主要面双方に対して角度を以て設けられる伸長位置を有し、前記端壁アセンブリは折り畳み位置を有する、請求項１３５の可搬式の折り畳み型の少なくとも部分的な格納装置。
【請求項１３７】
前記フレームへ取り外し可能に固定された１組の４つのレベリング脚であって、各レベリング脚は、前記主要プラットフォームが前記伸長位置にあるときに前記少なくとも部分的な格納装置の一部を一様な高さにするように、長さが調節可能である、請求項１３５の可搬式の折り畳み型の少なくとも部分的な格納装置。
【請求項１３８】
前記側方支持構造は、前記レベリング脚を前記少なくとも部分的な可搬式の格納装置の片側上に取り付ける際に用いられる前記少なくとも部分的な格納装置フレームの一部へ取り外し可能に取り付けられるように構成される、請求項１３７の可搬式の折り畳み型の少なくとも部分的な格納装置。
【請求項１３９】
前記側方支持構造は、自転車を支持するように構成された支持部材を含む、請求項１３８の可搬式の折り畳み型の少なくとも部分的な格納装置。
【請求項１４０】
前記側方支持構造は、パドルボードを支持するように構成された支持部材を含む、請求項１３８の可搬式の折り畳み型の少なくとも部分的な格納装置。
【請求項１４１】
前記側方支持構造は、複数のコンテナを支持するように構成された支持部材を含む、請求項１３８の可搬式の折り畳み型の少なくとも部分的な格納装置。
【請求項１４２】
前記フレームは、前記格納装置の各側に複数のレシーバを含み、各構成されたレシーバは、前記側方支持構造を支持するために前記レシーバから調節可能な様態で延長可能な横方向支持部を受容するように構成される、請求項１３８の可搬式の折り畳み型の少なくとも部分的な格納装置。
【請求項１４３】
前記支持構造は、前記主要プラットフォームが前記折り畳み位置にあるときに前記少なくとも部分的な格納装置の上部に延長される部材を含む、請求項１４２の可搬式の折り畳み型の少なくとも部分的な格納装置。
【請求項１４４】
前記部材は、内縁に対して平行な長手方向延長部材、および前記内縁に対して横断方向に延長する部材を含む、請求項１４３の可搬式の折り畳み型の少なくとも部分的な格納装置。
【請求項１４５】
第１の端部において各横方向支持部へ接続されかつ第２の端部において吊上リングへ接続された吊上ケーブルをさらに含む、請求項１４２の可搬式の折り畳み型の少なくとも部分的な格納装置。
【請求項１４６】
前記フレームは、ヒッチを含む伸長型支持部を含み、ケーブルは、第１の端部において前記伸長型支持部または前記ヒッチへ接続されかつ第２の端部において前記吊上リングへ接続される、請求項１４５の可搬式の折り畳み型の少なくとも部分的な格納装置。
【請求項１４７】
可搬式の折り畳み型の少なくとも部分的な格納装置であって、
フレームと、
前記フレームによって支持されかつ静止面、複数の側縁、前縁および後縁を規定する主面を有する静止プラットフォームと、
２つの主要プラットフォームであって、各主要プラットフォームは、主要面、内縁、外縁、前縁、後縁を規定する主面を有し、前記内縁各主要プラットフォームは前記静止プラットフォームへ接合され、各主要プラットフォームは、前記関連付けられた主要面および静止面が斜面または直交状である折り畳み位置を有し、各主要プラットフォームは、前記主要プラットフォームが前記静止プラットフォームから展開される伸長位置を有する、主要プラットフォームと、
前記フレームは、前記格納装置の各側に複数のレシーバを含み、各構成されたレシーバは、前記側方支持構造を支持するために前記レシーバから調節可能な様態で延長可能な横方向支持部を受容するように構成され、
第１の端部において各横方向支持部へ接続されかつ第２の端部において吊上リングへ接続された吊上ケーブルと、
を含む、可搬式の折り畳み型の少なくとも部分的な格納装置。
【請求項１４８】
前記フレームは、ヒッチを含む伸長型支持部を含み、ケーブルは、第１の端部において前記伸長型支持部または前記ヒッチへ接続されかつ第２の端部において前記吊上リングへ接続される、請求項１４７の可搬式の折り畳み型の少なくとも部分的な格納装置。
【請求項１４９】
可搬式の折り畳み型の少なくとも部分的な格納装置であって、
フレームと、
前記フレームによって支持されかつ静止面、複数の側縁、前縁および後縁を規定する主面を有する静止プラットフォームと、
主要面、内縁、外縁、前縁および後縁を規定する主面を有する少なくとも１つの主要プラットフォームであって、前記主要プラットフォームが前記関連付けられた主要面および静止面が斜面または直交状である折り畳み位置と、前記主要プラットフォームが前記静止プラットフォームから展開される伸長位置とを有するように、前記内縁が前記静止プラットフォームへ接合される、少なくとも１つの主要プラットフォームと、
少なくとも１つの地面支持部は、前記主要プラットフォームが展開された際に前記少なくとも部分的な格納装置の動きを可能にするように構成された地面係合端部を有する、
を含む、可搬式の折り畳み型の少なくとも部分的な格納装置。
【請求項１５０】
前記少なくとも１つの地面支持部の前記端部は、スキーを含む、請求項１４９の可搬式の折り畳み型の少なくとも部分的な格納装置。
【請求項１５１】
前記フレームは複数のレシーバを含み、各構成されたレシーバは、前記少なくとも１つの主要プラットフォームを支持するように前記レシーバから調節可能な様態で延長可能な横方向支持部を受容するように構成され、地面支持部へ接続された各横方向支持部は、スキーまたはホイールを含む、請求項１４９の可搬式の折り畳み型の少なくとも部分的な格納装置。
【請求項１５２】
第２の主要プラットフォームをさらに含み、前記第２の主要プラットフォームは、主要面、第２の内縁、外縁、前縁、後縁を規定する主面を有し、前記第２の内縁は、前記少なくとも１つの前記主要プラットフォームと反対側の前記静止プラットフォームへ接合され、前記第２のプラットフォームは、前記関連付けられた主要面および静止面が斜面または直交状である折り畳み位置と、前記第２の主要プラットフォームが前記静止プラットフォームから展開される伸長位置とを有し、前記フレームは、前記フレームの各側に複数のレシーバを含み、各レシーバは、前記少なくとも１つの主要プラットフォームまたは前記第２の主要プラットフォームを支持するように前記レシーバから調節可能な様態で延長可能な横方向支持部を受容するように構成され、地面支持部へ接続された各横方向支持部は、スキーまたはホイールを含む、請求項１４９の可搬式の折り畳み型の少なくとも部分的な格納装置。
【請求項１５３】
単一のスキーが前記フレームの各側に設けられる、請求項１５２の可搬式の折り畳み型の少なくとも部分的な格納装置。
【請求項１５４】
前記少なくとも１つの地面支持部の前記端部は、ホイールを含む、請求項１４９の可搬式の折り畳み型の少なくとも部分的な格納装置。
【請求項１５５】
可搬式の折り畳み型の格納装置であって、
フレームと、
前記フレームへ固定されるフロアおよび２つの壁部アセンブリであって、前記壁部アセンブリは、相互に対向して配置され、ヒンジにより前記フロアへ旋回可能に接合され、各壁部アセンブリは、前記壁部アセンブリが前記フロア上にある第１の位置から前記壁部アセンブリが前記フロアから離隔方向にある第２の位置へ可動である、フロアと、
前記格納装置を形成するように前記壁部アセンブリへ接合されかつ前記壁部アセンブリ間に延長される天蓋であって、前記天蓋は、少なくとも１つの布材を含み、前記布材は、前記壁部アセンブリへ接続されかつ前記壁部アセンブリ間に延長され、天蓋と、
を含み、
前記布材は、前記壁部アセンブリのうち少なくとも１つへ固定された第２の部位から選択的に接続解除可能な第１の部位を含む、
可搬式の折り畳み型の格納装置。
【請求項１５６】
前記第１の部位を前記第２の部位へ選択的に接続させるための締結具をさらに含む、請求項１５５の可搬式の折り畳み型の格納装置。
【請求項１５７】
前記締結具は、ファスナー、スナップ、クリップ、紐または面ファスナーのうち少なくとも１つを含む、請求項１５５の可搬式の折り畳み型の格納装置。
【請求項１５８】
前記第１の部位および前記第２の部位のうち１つは、締結具によって前記第１の部位が前記第２の部位へ接続されたときに前記締結具を被覆する第３の部位を含む、請求項１５６の可搬式の折り畳み型の格納装置。
【請求項１５９】
前記壁部アセンブリ間に接続されかつ前記壁部アセンブリ間に延長される第２の布材をさらに含む、請求項１５５の可搬式の折り畳み型の格納装置。
【請求項１６０】
前記第２の布材は、前記布材の外部にある、請求項１５５の可搬式の折り畳み型の格納装置。
【請求項１６１】
前記フロアは折り畳み式プラットフォームを含み、前記布材は、前記折り畳み式プラットフォームへ接続される、請求項１５５の可搬式の折り畳み型の格納装置。
【請求項１６２】
前記折り畳み式プラットフォームへ接続された前記布材は、プラットフォームのうち少なくとも１つへ固定された第４の部位から選択的に接続解除可能な第２の布材第３の部位を含む、請求項１５５の可搬式の折り畳み型の格納装置。
【請求項１６３】
前記第３の部位を前記第４の部位へ選択的に接続させるための締結具をさらに含む、請求項１６２の可搬式の折り畳み型の格納装置。
【請求項１６４】
前記締結具は、ファスナー、スナップ、クリップ、紐または面ファスナーのうち少なくとも１つを含む、請求項１６３の可搬式の折り畳み型の格納装置。
【請求項１６５】
前記第３の部位および前記第４の部位のうち１つは、締結具が前記第３の部位を前記第４の部位へ接続させた際に前記締結具を被覆する第５の部位を含む、請求項１６４の可搬式の折り畳み型の格納装置。
【請求項１６６】
可搬式の折り畳み型の格納装置であって、
フレームと、
前記フレームへ固定されるフロアと、
２つの壁部アセンブリであって、前記壁部アセンブリは、相互に対向して配置され、ヒンジにより前記フロアへ旋回可能に接合され、各壁部アセンブリは、第１の位置から第２の位置へ可動であり、前記第１の位置において、前記壁部アセンブリは前記フロア上にあり、前記第２の位置において、前記壁部アセンブリは前記フロアから離隔方向にある、２つの壁部アセンブリと、
格納装置を形成するように前記壁部アセンブリへ接合されかつ前記壁部アセンブリ間に延長される天蓋であって、前記天蓋は、外側布材および前記外側布材から間隔を空けて配置された内側布材を含み、前記外側布材はそれぞれ、前記壁部アセンブリ間に接続されかつ前記壁部アセンブリ間に延びる、天蓋と、
前記内側布材と前記外側布材との間に配置される１つ以上のセパレータと、
を含む、可搬式の折り畳み型の格納装置。
【請求項１６７】
前記１つ以上のセパレータは、前記可搬式の格納装置の屋根を形成する前記天蓋の長さに沿って延長する、請求項１６６の可搬式の折り畳み型の格納装置。
【請求項１６８】
前記１つ以上のセパレータは、前記可搬式の格納装置の屋根を形成する前記天蓋の長さに沿って相互に間隔を空けて配置される、請求項１６６の可搬式の折り畳み型の格納装置。
【請求項１６９】
前記１つ以上のセパレータは、泡状物質の伸長構造、ばら材料および／または膨張可能な袋のうち少なくとも１つを含む、請求項１６６の可搬式の折り畳み型の格納装置。
【請求項１７０】
前記１つ以上のセパレータは、前記布のうち少なくとも１つへ恒久的に固定される、請求項１６６の可搬式の折り畳み型の格納装置。
【請求項１７１】
前記１つ以上のセパレータは、前記布のうち少なくとも１つへ取り外し可能に接続可能である、請求項１６６の可搬式の折り畳み型の格納装置。
【請求項１７２】
前記１つ以上のセパレータは、ファスナー、スナップ、クリップ、紐または面ファスナーのうち少なくとも１つにより、前記少なくとも１つの布へ接合される、請求項１６６の可搬式の折り畳み型の格納装置。
【請求項１７３】
前記セパレータは、支持スリーブおよび内部フィラーを含む、請求項１６６の可搬式の折り畳み型の格納装置。
【請求項１７４】
可搬式の折り畳み型の格納装置であって、
フレームと、
前記フレームへ固定されるフロアと、
２つの壁部アセンブリであって、前記壁部アセンブリは、相互に対向して配置され、ヒンジにより前記フロアへ旋回可能に接合され、各壁部アセンブリは、第１の位置から第２の位置へ可動であり、前記第１の位置において、前記壁部アセンブリは前記フロア上にあり、前記第２の位置において、前記壁部アセンブリが前記フロアから離隔方向にある、２つの壁部アセンブリと、
前記格納装置を形成するように前記壁部アセンブリ間に延びるように接合された第１の天蓋であって、前記第１の天蓋は、少なくとも外側布材を含む、第１の天蓋と、
前記壁部アセンブリのうち１つまたは前記第１の天蓋へそこから延びるように接合された第２の天蓋と、
少なくとも屋根構造を形成するように、前記壁部アセンブリから遠隔位置にある前記第２の天蓋または前記第１の天蓋を支持する支持フレームと、
を含む、可搬式の折り畳み型の格納装置。
【請求項１７５】
前記第２の天蓋は、前記壁部アセンブリの移動と共に直立位置へ上昇するように前記壁部アセンブリのうち１つの縁へ接合される、請求項１７４の可搬式の折り畳み型の格納装置。
【請求項１７６】
前記第２の天蓋は、前記第１の天蓋へ接合される、請求項１７５の可搬式の折り畳み型の格納装置。
【請求項１７７】
前記第２の天蓋は、前記壁部アセンブリのうち少なくとも１つへ固定された第２の部位または前記第１の天蓋へ選択的に接続可能な第１の部位を含む、請求項１７４の可搬式の折り畳み型の格納装置。
【請求項１７８】
前記第１の部位を前記第２の部位へ選択的に接続させるための締結具をさらに含む、請求項１７７の可搬式の折り畳み型の格納装置。
【請求項１７９】
前記締結具は、ファスナー、スナップ、クリップ、紐または面ファスナーのうち少なくとも１つを含む、請求項１７８の可搬式の折り畳み型の格納装置。
【請求項１８０】
前記支持フレームは、前記第２の天蓋を支持するように前記地面に接触する、請求項１７４の可搬式の折り畳み型の格納装置。
【請求項１８１】
前記支持フレームは、前記第２の天蓋を支持するように前記地面に接触しない、請求項１７４の可搬式の折り畳み型の格納装置。
【請求項１８２】
前記支持フレームの下部は、前記端壁アセンブリへ接続される、請求項１８１の可搬式の折り畳み型の格納装置。
【請求項１８３】
前記支持フレームは、複数のフープを含む、請求項１８２の可搬式の折り畳み型の格納装置。
【請求項１８４】
前記支持フレームは、間隔を空けて配置されたフープを含む、請求項１７４〜１８３のうちいずれか１つの可搬式の折り畳み型の格納装置。
【請求項１８５】
前記支持フレームを形成する部材は、前記第２の天蓋のスリーブへ挿入される、請求項１７４〜１８４のうちいずれか１つの可搬式の折り畳み型の格納装置。
【請求項１８６】
前記第２の天蓋から延長される布壁部をさらに含む、請求項１７４〜１８５のうちいずれか１つの可搬式の折り畳み型の格納装置。
【請求項１８７】
前記部材のうち１つ以上は、前記支持フレームにより前記第２の天蓋を保持した後に前記第２の天蓋を引っ張るように、長さが調節可能である、請求項１７４〜１８６のうちいずれか１つの可搬式の折り畳み型の格納装置。
【請求項１８８】
前記フロアの少なくとも下側の気流を抑制するように、前記フロアの側部のうち少なくともいくつかの周囲の地面へ下方に延長するように、前記フレーム、フロアまたは前記第１の天蓋へ接続された１つ以上のパネルをさらに含む、請求項１７４〜１８７のうちいずれか１つの可搬式の折り畳み型の格納装置。
【請求項１８９】
可搬式の折り畳み型の格納装置であって、
フレームと、
前記フレームへ固定されるフロアと、
２つの壁部アセンブリであって、前記壁部アセンブリは、相互に対向して配置され、ヒンジにより前記フロアへ旋回可能に接合され、各壁部アセンブリは、第１の位置から第２の位置へ可動であり、前記第１の位置において、前記壁部アセンブリは前記フロア上にあり、前記第２の位置において、前記壁部アセンブリが前記フロアから離隔方向にある、２つの壁部アセンブリと、
格納装置を形成するように前記壁部アセンブリへ接合されかつ前記壁部アセンブリ間に延長される天蓋であって、前記天蓋は外側布材を含み、前記外側布材は、前記壁部アセンブリ間に接続されかつ前記壁部アセンブリ間に延びる、２つの壁部アセンブリと、
前記フロアから地面へ延びる１つ以上の布パネルと、
を含む、可搬式の折り畳み型の格納装置。
【請求項１９０】
前記１つ以上の布パネルは、前記フロアへ選択的に接続可能である、請求項１８９の可搬式の折り畳み型の格納装置。
【請求項１９１】
前記１つ以上の布パネルを前記フロアへ選択的に接続させるための締結具をさらに含む、請求項１９０の可搬式の折り畳み型の格納装置。
【請求項１９２】
前記１つ以上の布パネルは、前記天蓋へ固定された第２の部位へ選択的に接続可能な第１の部位を含む、請求項１８９の可搬式の折り畳み型の格納装置。
【請求項１９３】
前記１つ以上の布パネルは、前記壁部アセンブリが前記第１の位置にあるときに前記天蓋と共に折り畳まれる、請求項１８９の可搬式の折り畳み型の格納装置。
【請求項１９４】
可搬式の折り畳み型の少なくとも部分的な格納装置であって、
フレームと、
前記フレームへ固定されるフロアと、
２つの壁部アセンブリであって、前記壁部アセンブリは、相互に対向して配置され、ヒンジにより前記フロアへ旋回可能に接合され、各壁部アセンブリは、前記壁部アセンブリが前記フロア上にある第１の位置から前記壁部アセンブリが前記フロアから離隔方向にある第２の位置へ可動である、２つの壁部アセンブリと、
前記壁部アセンブリ間に延長する一対の旋回しかつ対向する側壁と、
格納装置を形成するように前記壁部アセンブリへ接合されかつ前記壁部アセンブリ間に延長される天蓋であって、前記天蓋は、前記壁部アセンブリおよび前記フロアへ接続されかつ前記壁部アセンブリと前記フロアとの間に延長される外側布材を少なくとも含み、前記天蓋は、前記一対の側壁を前記格納装置内に封入する、天蓋と、
を含む、可搬式の折り畳み型の少なくとも部分的な格納装置。
【請求項１９５】
前記一対の側壁はそれぞれ、前記フロアへ旋回可能に接合される、請求項１９４の可搬式の折り畳み型の格納装置。
【請求項１９６】
前記一対の側壁はそれぞれ、前記端壁へ旋回可能に接合される、請求項１９４の可搬式の折り畳み型の格納装置。
【請求項１９７】
請求項１９４の可搬式の折り畳み型の格納装置と、各側壁へ移動可能に接合された第２の部位。
【請求項１９８】
前記第２の部位は、各対応する側壁に相対してスライドする、請求項１９７の可搬式の折り畳み型の少なくとも部分的な格納装置。
【請求項１９９】
前記第２の部位は、各対応する側壁に相対して旋回する、請求項１９７の可搬式の折り畳み型の少なくとも部分的な格納装置。
【請求項２００】
可搬式の折り畳み型の少なくとも部分的な格納装置であって、
フレームと、
前記フレームへ固定されるフロアと、
２つの壁部アセンブリであって、前記壁部アセンブリは、相互に対向して配置され、ヒンジにより前記フロアへ旋回可能に接合され、各壁部アセンブリは、第１の位置から第２の位置へ可動であり、前記第１の位置において、前記壁部アセンブリは前記フロア上にあり、前記第２の位置において、前記壁部アセンブリが前記フロアから離隔方向にある、２つの壁部アセンブリと、
前記壁部アセンブリ間に延長する一対の旋回しかつ対向する側壁であって、各対向する側壁は、前記壁部アセンブリそれぞれの内部のノッチと係合する、側壁と、
を含む、可搬式の折り畳み型の少なくとも部分的な格納装置。
【請求項２０１】
可搬式の折り畳み型の少なくとも部分的な格納装置であって、
フレームと、
前記フレームへ固定されるフロアと、
２つの壁部アセンブリであって、前記壁部アセンブリは、相互に対向して配置され、ヒンジにより前記フロアへ旋回可能に接合され、各壁部アセンブリは、第１の位置から第２の位置へ可動であり、前記第１の位置において、前記壁部アセンブリは、前記フロア上にあり、前記第２の位置において、前記壁部アセンブリが前記フロアから離隔方向にある、２つの壁部アセンブリと、
前記壁部アセンブリ間に延長する一対の旋回しかつ対向する側壁であって、各側壁は、前記壁部アセンブリのうち１つへヒンジ付けされる、側壁と、
を含む、可搬式の折り畳み型の少なくとも部分的な格納装置。
【請求項２０２】
可搬式の折り畳み型の少なくとも部分的な格納装置であって、
フレームと、
前記フレームによって支持されかつ静止面であって、複数の側縁、前縁および後縁を規定する主面を有する静止プラットフォームと、
２つの主要プラットフォームであって、各主要プラットフォームは、主要面、内縁、外縁、前縁および後縁を規定する主面を有し、前記内縁各主要プラットフォームは前記静止プラットフォームへ接合され、各主要プラットフォームは、前記関連付けられた主要面および静止面が斜面または直交状である折り畳み位置を有し、各主要プラットフォームは、前記主要プラットフォームが前記静止プラットフォームから展開される伸長位置を有する、２つの主要プラットフォームと、
前記壁部アセンブリ間に延長する一対の旋回しかつ対向する側壁であって、各側壁は、前記主要プラットフォームのうち１つへヒンジ付けされ、前記側壁は、前記主要プラットフォームが前記折り畳み位置にあるときに前記主要プラットフォームの外部に設けられるようにヒンジ付けされる、側壁と、
を含む、可搬式の折り畳み型の少なくとも部分的な格納装置。
【請求項２０３】
請求項２０２〜２０３のうちいずれか１つの可搬式の折り畳み型の少なくとも部分的な格納装置と、各側壁へ移動可能に接合された第２の部位。
【請求項２０４】
前記第２の部位は、各対応する側壁に対してスライドする、請求項２０２〜２０３のうちいずれか１つの可搬式の折り畳み型の少なくとも部分的な格納装置。
【請求項２０５】
前記第２の部位は、各対応する側壁に対して旋回する、請求項２０２〜２０３のうちいずれか１つの可搬式の折り畳み型の少なくとも部分的な格納装置。
【請求項２０６】
天蓋は、前記端壁間に延びる、請求項２０２〜２０５のうちいずれか１つの可搬式の折り畳み型の少なくとも部分的な格納装置。
【請求項２０７】
前記天蓋は、前記主要プラットフォームへ接続される、請求項２０６の可搬式の折り畳み型の少なくとも部分的な格納装置。
【請求項２０８】
前記天蓋は、各側壁の上部へ接続される、請求項２０７の可搬式の折り畳み型の少なくとも部分的な格納装置。
【請求項２０９】
各前記側壁は前記端壁へ接合され、前記天蓋は、前記格納装置の内側に配置される、請求項２０７の可搬式の折り畳み型の少なくとも部分的な格納装置。
【請求項２１０】
可搬式の折り畳み型の少なくとも部分的な格納装置であって、ホイールを有するフレームと、
前記フレームによって支持されかつ静止面、複数の側縁、前縁および後縁を規定する主面を有する静止プラットフォームと、
前記静止プラットフォームの下側に保管部を形成する下側本体部と、
前記下側本体を損傷から保護するように構成された下側保護アセンブリと、
を含む、可搬式の折り畳み型の少なくとも部分的な格納装置。
【請求項２１１】
前記下側保護アセンブリは、前記複数の間隔を空けて配置された支持部材のうち少なくともいくつかへ固定されたパネルを含む、請求項２１０の可搬式の折り畳み型の少なくとも部分的な格納装置。
【請求項２１２】
前記複数の間隔を空けて配置された支持部材のうち少なくともいくつかは、前記下側本体部の下サイドパネルの下側を長手方向に延びる、請求項２１１の可搬式の折り畳み型の少なくとも部分的な格納装置。
【請求項２１３】
前記複数の間隔を空けて配置された支持部材のうち少なくともいくつかは、前記下側本体部の各側に沿って延びる、請求項２１１の可搬式の折り畳み型の少なくとも部分的な格納装置。
【請求項２１４】
前記複数の間隔を空けて配置された支持部材のうち少なくともいくつかは、前記下側本体部の第１の側部に沿って、前記下側本体部の下側本体パネルの下側において延長し、前記下側本体部第２の側部に沿って上方に延長する、請求項２１３の可搬式の折り畳み型の少なくとも部分的な格納装置。
【請求項２１５】
前記下側保護アセンブリは、複数の間隔を空けて配置された支持部材を含む、請求項２１０〜２１４のうちいずれか１つの可搬式の折り畳み型の少なくとも部分的な格納装置。
【請求項２１６】
可搬式の折り畳み型の少なくとも部分的な格納装置であって、
ヒッチを有する少なくとも部分的な格納装置フレームと、
前記少なくとも部分的な格納装置フレームへ接合された静止プラットフォームであって、静止面、複数の側縁、前縁および後縁を規定する主面を有する、静止プラットフォームと、
一対の主要プラットフォームであって、各主要プラットフォームは、主要面、内縁、外縁、前縁および後縁を規定する主面を有し、前記内縁は、前記主要プラットフォームが前記静止プラットフォームの反対側の側縁へ接合されるように、前記静止プラットフォームの側縁のうちの１つへ接合され、各主要プラットフォームは、前記主要面および静止面が斜面または直交状である折り畳み位置を有し、各主要プラットフォームは、前記主要プラットフォームが前記静止プラットフォームから展開される伸長位置を有する、一対の主要プラットフォームと、
一対の端壁アセンブリであって、第１の端壁アセンブリは、前記主要プラットフォームおよび静止プラットフォームの前縁へ接合され、第２の端壁アセンブリは、前記主要プラットフォームおよび静止プラットフォームの後縁へ接合され、各端壁アセンブリは、３つのセグメントを有し、各セグメントは、セグメント面、側縁、上縁および下縁を規定する主面を有し、各隣接セグメントの対の前記側縁は相互に接合され、各セグメントの下縁は、前記静止プラットフォームおよび前記主要プラットフォームの前縁または後縁のうち１つへ接合され、各端壁アセンブリは、前記セグメント面が前記静止面および前記主要面双方に対して角度を以て設けられる伸長位置を有し、各端壁アセンブリは、折り畳み位置を有する、一対の端壁アセンブリと、
カバー位置へおよび前記カバー位置から移動するように前記主要プラットフォームのうち前記１つの１つの側縁へ移動可能に接合されたカバー部材であって、前記カバーは、前記主要プラットフォームが前記折り畳み位置にあるとき、少なくとも前記主要プラットフォーム間の空間を被覆する、カバー部材と、
を含む、可搬式の折り畳み型の少なくとも部分的な格納装置。
【請求項２１７】
前記カバー部材は、ヒンジにより前記１つの主要プラットフォームへ移動可能に接合される、請求項２１６の可搬式の折り畳み型の少なくとも部分的な格納装置。
【請求項２１８】
前記カバー部材の反対側および前記１つの主要プラットフォームへ接合された縁上に間隔を空けて配置された締結具をさらに含む、請求項２１７の可搬式の折り畳み型の少なくとも部分的な格納装置。
【請求項２１９】
可搬式の折り畳み型の少なくとも部分的な格納装置であって、
少なくとも部分的な格納装置フレームと、
前記少なくとも部分的な格納装置フレームへ接合された静止プラットフォームであって、静止面、複数の側縁、前縁および後縁を規定する主面を有する、静止プラットフォームと、
一対の主要プラットフォームであって、各主要プラットフォームは、主要面、内縁、外縁、前縁および後縁を規定する主面を有し、前記内縁は、前記主要プラットフォームが前記静止プラットフォームの反対側の側縁へ接合されるように、前記静止プラットフォームの側縁のうちの１つへ接合され、各主要プラットフォームは、前記主要面および静止面が斜面または直交状である折り畳み位置を有し、各主要プラットフォームは、前記主要プラットフォームが前記静止プラットフォームから展開される伸長位置を有し、少なくとも１つの主要プラットフォームは、前記少なくとも主要プラットフォームを通じて延長するアパチャを含む、
一対の端壁アセンブリであって、第１の端壁アセンブリは、前記主要プラットフォームおよび静止プラットフォームの前縁へ接合され、第２の端壁アセンブリは、前記主要プラットフォームおよび静止プラットフォームの後縁へ接合され、各端壁アセンブリは３つのセグメントを有し、各セグメントは、セグメント面、側縁、上縁および下縁を規定する主面を有し、各隣接セグメントの対の前記側縁は相互に接合され、各セグメントの下縁は、前記静止プラットフォームおよび前記主要プラットフォームの前縁または後縁のうち１つへ接合され、各端壁アセンブリは、前記セグメント面が前記静止面および前記主要面双方に対して角度を以て設けられる伸長位置を有し、各端壁アセンブリは折り畳み位置を有する、一対の端壁アセンブリと、
を含む、可搬式の折り畳み型の少なくとも部分的な格納装置。
【請求項２２０】
各アパチャは、取り外し可能なカバーを含む、請求項２１９の可搬式の折り畳み型の少なくとも部分的な格納装置。
【請求項２２１】
前記主要プラットフォームのうち少なくとも１つは、前記主要プラットフォームの前記主要面の反対側上に貯蔵ビンを含む、請求項２１９の可搬式の折り畳み型の少なくとも部分的な格納装置。
【請求項２２２】
前記貯蔵ビンは、前記格納装置の外部から前記保管計画内へのアクセスを可能にするドアを前記貯蔵ビン上に含む、請求項２２１の可搬式の折り畳み型の少なくとも部分的な格納装置。
【請求項２２３】
前記アパチャを通じて挿入可能なシリンダをさらに含み、前記シリンダは、氷などの地面表面に少なくとも近接するような長さである、請求項２１９の可搬式の折り畳み型の少なくとも部分的な格納装置。
【請求項２２４】
可搬式の折り畳み型の少なくとも部分的な格納装置であって、フレームと、
前記少なくとも部分的な格納装置フレームへ接合された静止プラットフォームであって、前記静止プラットフォームは、静止面、複数の側縁、前縁および後縁を規定する主面を有する、静止プラットフォームと、
前記静止プラットフォームの下側に配置された下側本体部であって、前記下側本体部は、前記静止プラットフォームの下側の保管位置に少なくとも１つのアパチャを含む、
一対の主要プラットフォームであって、各主要プラットフォームは、主要面、内縁、外縁、前縁および後縁を規定する主面を有し、前記内縁は、前記主要プラットフォームが前記静止プラットフォームの反対側の側縁へ接合されるように、前記静止プラットフォームの側縁のうちの１つへ接合され、各主要プラットフォームは、前記主要面および静止面が斜面または直交状である折り畳み位置を有し、各主要プラットフォームは、前記主要プラットフォームが前記静止プラットフォームから展開される伸長位置を有し、少なくとも１つの主要プラットフォームは、前記少なくとも主要プラットフォームを通じて延長するアパチャを含む、
一対の端壁アセンブリであって、第１の端壁アセンブリは、前記主要プラットフォームおよび静止プラットフォームの前縁へ接合され、第２の端壁アセンブリは、前記主要プラットフォームおよび静止プラットフォームの後縁へ接合され、各端壁アセンブリは３つのセグメントを有し、各セグメントは、セグメント面、側縁、上縁および下縁を規定する主面を有し、各隣接セグメントの対の前記側縁は相互に接合され、各セグメントの下縁は、前記静止プラットフォームおよび前記主要プラットフォームの前縁または後縁のうち１つへ接合され、各端壁アセンブリは、前記セグメント面が前記静止面および前記主要面双方に対して角度を以て設けられる伸長位置を有し、各端壁アセンブリは、折り畳み位置を有する、一対の端壁アセンブリと、
を含む、可搬式の折り畳み型の少なくとも部分的な格納装置。
【請求項２２５】
各アパチャは、取り外し可能なカバーを含む、請求項２２４の可搬式の折り畳み型の少なくとも部分的な格納装置。
【請求項２２６】
前記アパチャを通じて挿入可能なシリンダをさらに含み、前記シリンダは、少なくとも氷表面などの地面表面に近接する長さである、請求項２２４の可搬式の折り畳み型の少なくとも部分的な格納装置。
【発明の詳細な説明】
【技術分野】
【０００１】
背景
以下の議論は、あくまで一般的な背景情報のためのものであり、特許請求の範囲に記載の本発明の範囲の決定の支援として用いられるべきではない。
【０００２】
生活空間提供のために旅行時に用いられる多様な形態の携行可能な格納装置が、長年用いられている。１つの形態として有蓋車が検討され得るものの、より近年においては、「ポップアップ」または「折り畳み型」車両によって牽引されたトレーラーが用いられている。このトレーラーには複数の使用位置があり、コンパクトな旅行位置および使用のための拡張位置がある。トレーラー以外にも、多様な形態のキャンピングカーが、ピックアップのベッドまたはボックスへ取り付けられている。
【０００３】
初期においては、キャンピングカーを牽引または搬送する車両の燃料消費についての懸念は比較的少なかったものの、燃料消費の上昇や燃料費の高さの更新と共に、エネルギー効率に対する社会の興味も高まった。このような傾向により、燃料の浪費から環境を守る必要性が認識され始めた。トレーラーまたは大型ピックアップに搭載されたキャンピングカーは、移動中に大きな生活空間を提供できるような形状になっているため、燃料効率と両立しない。加えて、大型トレーラーまたはピックアップに搭載されたキャンピングカーの場合、保管および輸送が困難である。
【発明の概要】
【０００４】
要旨
本明細書中の本要旨および要約は、以下の詳細な説明においてさらに説明するいくつかの概念を簡単に紹介するために記載される。本要旨および要約は、特許請求の範囲に記載の本発明の主要な特徴または本質的な特徴を特定することを意図しておらず、特許請求の範囲に記載の本発明の範囲の決定の支援として用いられることも意図していない。特許請求の範囲に記載の本発明は、背景に記載の不利点のいずれかまたは全てを解消する実行に限定されない。
【０００５】
本発明の態様において、折り畳み型かつ可搬式の部分的または全体的な格納装置について説明する。この格納装置は、一実施形態において、特にキャンピングカー（非限定的な例を挙げると、トレーラーへ取り付けられるもの）として有利に用いられる。しかし、トレーラーに取り付けられた折り畳み型のキャンピングカーは、他の折り畳み型または拡張型のトレーラーまたは必ずしもキャンピング目的のために用いられない他の形態のトレーラーまたはさらには別の車両またはデバイスによって一般的に牽引される設備上において本発明の態様を組み込むことが可能である一実施形態に過ぎないことが理解されるべきである。同様に、本発明の態様は、車両（例えば、ピックアップ、トラックまたは船舶）へ取り付けられた折り畳み型の部分的または全体的な格納装置として用いてもよいし、あるいは、このような車両またはトレーラーによって搬送されるだけであってもよく、展開時においては輸送車両またはトレーラーから離隔方向に展開される。
【０００６】
１つの一般的な態様は、可搬式の折り畳み型の少なくとも部分的な格納装置を有する。この格納装置は、以下を含む：静止面、複数の側縁、前縁および後縁を規定する主面を有する静止プラットフォームと、主要面、内縁、外縁、前縁および後縁を規定する主面を有する主要プラットフォームであって、内縁は静止プラットフォームへ接合され、主要プラットフォームは、主要面および静止面が斜面または直交状である折り畳み位置を有し、主要プラットフォームは、主要プラットフォームが静止プラットフォームから展開される伸長位置を有する、主要プラットフォームと、少なくとも２つのセグメントを有する端壁アセンブリであって、各セグメントは、セグメント面、側縁、上縁および下縁を規定する主面を有し、セグメントの側縁は相互に接合され、各セグメントの下縁は、静止プラットフォームおよび主要プラットフォームのうち１つへ接合され、端壁アセンブリは、セグメント面が静止面および主要面双方に対する壁部を形成する角度において設けられる伸長位置を有し、端壁アセンブリは折り畳み位置を有する、端壁アセンブリと、セグメントのうち少なくとも１つおよびセグメントのうち少なくとも１つが接合された静止プラットフォームまたは主要プラットフォームへ接合された少なくとも１つの作動機構であって、少なくとも１つの作動機構は、セグメントのうち少なくとも１つを伸長位置へ付勢する力を提供するように構成される。
【０００７】
第２の一般的な態様は、フレームを含む、可搬式の折り畳み型の少なくとも部分的な格納装置を含む。可搬式の折り畳み型の少なくとも部分的な格納装置は、静止プラットフォームも含む。この静止プラットフォームは、フレームへ接合され、静止面、複数の側縁、前縁および後縁を規定する主面を有する。可搬式の折り畳み型の少なくとも部分的な格納装置は、主要面、内縁、外縁、前縁および後縁を規定する主面を有する主要プラットフォームも含み、内縁は静止プラットフォームへ接合され、主要プラットフォームは、主要面および静止面が斜面または直交状である折り畳み位置を有し、主要プラットフォームは、主要プラットフォームが静止プラットフォームから展開される伸長位置を有する。可搬式の折り畳み型の少なくとも部分的な格納装置は、少なくとも２つのセグメントを有する端壁アセンブリも含む。各セグメントは、セグメント面、側縁、上縁および下縁を規定する主面を有し、セグメントの側縁は相互に接合され、各セグメントの下縁は、静止プラットフォームおよび主要プラットフォームのうち１つへ接合され、端壁アセンブリは、セグメント面が静止面および主要面双方に対する壁部を形成する角度において設けられる伸長位置を有し、端壁アセンブリは折り畳み位置を有する。可搬式の折り畳み型の少なくとも部分的な格納装置は、セグメントのうち少なくとも１つおよびセグメントのうち少なくとも１つが接合された静止プラットフォームまたは主要プラットフォームへ接合された少なくとも１つの作動機構も含む。少なくとも１つの作動機構は、セグメントのうち少なくとも１つを伸長位置へ付勢する力を提供するように構成される。
【０００８】
第１および第２の一般的な態様の実行は、以下の特徴のうち１つ以上を含み得る。可搬式の折り畳み型の少なくとも部分的な格納装置において、セグメントの側縁は、ヒンジによって相互に接合される。可搬式の折り畳み型の少なくとも部分的な格納装置において、バネは、セグメントの第１のセグメントのみへ作用するように構成され、側縁に沿ってセグメントを接合させるヒンジは、セグメントのうち第２のセグメントを上昇および下降させるように構成される。可搬式の折り畳み型の少なくとも部分的な格納装置において、作動機構は、セグメントのうち１つの折り畳み位置への下降に抵抗する力を提供するように、さらに構成される。可搬式の折り畳み型の少なくとも部分的な格納装置において、作動機構はバネを含む。可搬式の折り畳み型の少なくとも部分的な格納装置において、バネは、トーションバネを含む。可搬式の折り畳み型の少なくとも部分的な格納装置において、このバネは、引張または圧縮バネを含む。可搬式の折り畳み型の少なくとも部分的な格納装置において、セグメントのうち少なくとも１つは、その下縁から前縁においてヒンジにより静止プラットフォームおよび主要プラットフォームのうち１つへ接合され、トーションバネは、第１の部位において中央バネ部へ接合された第１の要素と、第１の部位の反対側の中央バネ部の第２の部位へ接合された第２の要素とを有する。中央バネ部は、ヒンジに隣接して配置される。可搬式の折り畳み型の少なくとも部分的な格納装置において、中央バネ部は、ヒンジに対して平行に方向付けられた中央バネ部と共に伸長される。可搬式の折り畳み型の少なくとも部分的な格納装置において、第１の要素は、セグメントのうち少なくとも１つの側縁に対して平行である中央部から離隔方向に伸長されかつ延び、第２の要素は、静止プラットフォームおよび主要プラットフォームのうち少なくとも１つの側縁に対して平行な中央部から離隔方向に伸長されかつ延びる。可搬式の折り畳み型の少なくとも部分的な格納装置において、セグメントの側縁は、ヒンジによって相互に接合される。可搬式の折り畳み型の少なくとも部分的な格納装置において、少なくとも１つの作動機構は、セグメントのうち第１のセグメントのみに作用するように構成され、側縁に沿ってセグメントを接合させるヒンジは、セグメントのうち第２のセグメントを上昇および下降させるように構成される。可搬式の折り畳み型の少なくとも部分的な格納装置において、作動機構はそれぞれ、各関連付けられた端壁アセンブリの折り畳み位置への下降に抵抗する力を提供するように、さらに構成される。可搬式の折り畳み型の少なくとも部分的な格納装置において、各セグメント下縁は、静止プラットフォームおよび主要プラットフォームの関連付けられた前縁または後縁とヒンジによって接合され、各作動機構は、第１の部位において中央部へ接合された第１の要素および第１の部位と反対側の中央部の第２の部位へ接合された第２の要素を有し、第１の作動機構は、ヒンジのうち１つに隣接して前縁に沿って配置された中央部を有し、第２の作動機構は、ヒンジのうち１つに隣接して後縁に沿って配置された中央部を有する。折り畳み型の少なくとも部分的な格納装置は、第３の作動機構および第４の作動機構をさらに含み、第３のおよび第４の作動機構はそれぞれ、第１の部位において中央部へ接合された第１の要素および第１の部位と反対側の中央部の第２の部位へ接合された第２の要素を有し、第３の作動機構は、ヒンジのうち１つに隣接して前縁に沿って配置された中央部を有し、第４の作動機構は、ヒンジのうち１つに隣接して後縁に沿って配置された中央部を有する。可搬式の折り畳み型の少なくとも部分的な格納装置において、各第１の要素は、関連付けられた第１のおよび第２の端壁アセンブリのセグメントのうち１つの側縁に対して平行な関連付けられた中央部から離隔方向に伸長かつ延長され、各第２の要素は、関連付けられた静止プラットフォームおよび主要プラットフォームのうち１つのセグメントのうち１つの側縁に対して平行な中央部から離隔方向に伸長かつ延長される。可搬式の折り畳み型の少なくとも部分的な格納装置において、第１の作動機構および第３の作動機構は、第１の端壁アセンブリの最外側セグメントおよび主要プラットフォームへ動作可能に接合され、第１の作動機構および第３の作動機構は、第２の端壁アセンブリの最外側セグメントおよび主要プラットフォームへ動作可能に接合される。可搬式の折り畳み型の少なくとも部分的な格納装置において、各作動機構はバネを含む。可搬式の折り畳み型の少なくとも部分的な格納装置において、各バネはトーションバネを含む。可搬式の折り畳み型の少なくとも部分的な格納装置において、各中央バネ部は、関連付けられたセグメントを関連付けられた主要プラットフォームへ接合させる関連付けられたヒンジに対して平行に方向付けられた中央バネ部によって伸長される。
【０００９】
第３の一般的な態様は、以下を含む可搬式の折り畳み型の少なくとも部分的な格納装置を含む：ヒッチを有する少なくとも部分的な格納装置フレーム。可搬式の折り畳み型の少なくとも部分的な格納装置は、静止プラットフォームも含む。この静止プラットフォームは、少なくとも部分的な格納装置フレームへ接合され、静止面、複数の側縁、前縁および後縁を規定する主面を有する。可搬式の折り畳み型の少なくとも部分的な格納装置は、一対の主要プラットフォームも含む。各主要プラットフォームは、主要面、内縁、外縁、前縁および後縁を規定する主面を有する。内縁は、主要プラットフォームが静止プラットフォームの反対側の側縁へ接合されるように静止プラットフォームの側縁のうちの１つへ接合され、各主要プラットフォームは、主要面および静止面が斜面または直交状である折り畳み位置を有し、各主要プラットフォームは、主要プラットフォームが静止プラットフォームから展開される伸長位置を有する。可搬式の折り畳み型の少なくとも部分的な格納装置は、一対の端壁アセンブリも含む。第１の端壁アセンブリは、主要プラットフォームおよび静止プラットフォームの前縁へ接合され、第２の端壁アセンブリは、主要プラットフォームおよび静止プラットフォームの後縁へ接合され、各端壁アセンブリは、３つのセグメントを有し、各セグメントは、セグメント面、側縁、上縁および下縁を規定する主面を有し、各隣接セグメントの対の側縁は、相互に接合され、各セグメントの下縁は、静止プラットフォームおよび主要プラットフォームの前縁または後縁のうち１つへ接合され、各端壁アセンブリは、セグメント面が静止面および主要面双方に対して角度を以て設けられる伸長位置を有し、各端壁アセンブリは折り畳み位置を有する。可搬式の折り畳み型の少なくとも部分的な格納装置は、複数の作動機構も含む。これら複数の作動機構において、第１の作動機構は、第１の端壁アセンブリおよび静止プラットフォームのセグメントまたは第１の端壁アセンブリのセグメントのうち少なくとも１つが接合された主要プラットフォームのうち少なくとも１つへ接合され、第２の作動機構は、第２の端壁アセンブリおよび静止プラットフォームのセグメントまたは第２の端壁アセンブリのセグメントのうち少なくとも１つが接合された主要プラットフォームのうち少なくとも１つへ接合され、作動機構はそれぞれ、各関連付けられた端壁アセンブリを伸長位置へ付勢する力を提供するように構成される。
【００１０】
第３の一般的な態様の実行は、以下の特徴のうち１つ以上を含み得る。可搬式の折り畳み型の少なくとも部分的な格納装置において、作動機構はそれぞれ、各関連付けられた端壁アセンブリの折り畳み位置への下降に抵抗する力を提供するようにさらに構成される。可搬式の折り畳み型の少なくとも部分的な格納装置において、各セグメント下縁は、静止プラットフォームおよび主要プラットフォームの関連付けられた前縁または後縁へヒンジによって接合され、各作動機構は、第１の部位において中央部へ接合された第１の要素および第１の部位と反対側の中央部の第２の部位へ接合された第２の要素を有する。第１の作動機構は、ヒンジのうち１つに隣接して前縁に沿って配置された中央部を有し、第２の作動機構は、ヒンジのうち１つに隣接して後縁に沿って配置された中央部を有する。折り畳み型の少なくとも部分的な格納装置は、第３の作動機構および第４の作動機構をさらに含む。第３の作動機構および第４の作動機構はそれぞれ、第１の部位において中央部へ接合された第１の要素および第１の部位と反対側の中央部の第２の部位へ接合された第２の要素を有し、第３の作動機構は、ヒンジのうち１つに隣接して前縁に沿って配置された中央部を有し、第４の作動機構は、ヒンジのうち１つに隣接して後縁に沿って配置された中央部を有する。可搬式の折り畳み型の少なくとも部分的な格納装置において、各第１の要素は、関連付けられた第１のおよび第２の端壁アセンブリのセグメントのうち１つの側縁に対して平行な関連付けられた中央部から離隔方向に伸長および延長され、各第２の要素は、関連付けられた静止プラットフォームおよび主要プラットフォームのうち１つのセグメントの１つの側縁に対して平行な中央部から離隔方向に伸長および延長される。可搬式の折り畳み型の少なくとも部分的な格納装置において、第１の作動機構および第３の作動機構は、第１の端壁アセンブリの最外側セグメントおよび主要プラットフォームへ動作可能に接合され、第１の作動機構および第３の作動機構は、第２の端壁アセンブリの最外側セグメントおよび主要プラットフォームへ動作可能に接合される。可搬式の折り畳み型の少なくとも部分的な格納装置において、各作動機構はバネを含む。可搬式の折り畳み型の少なくとも部分的な格納装置において、各バネはトーションバネを含む。可搬式の折り畳み型の少なくとも部分的な格納装置において、各中央バネ部は、関連付けられたセグメントを関連付けられた主要プラットフォームへ接合させる関連付けられたヒンジに対して平行に方向付けられた中央バネ部と共に伸長される。
【００１１】
第４の一般的な態様は、以下を含む可搬式の折り畳み型の少なくとも部分的な格納装置を含む：静止面、複数の側縁、前縁および後縁を規定する主面を有する静止プラットフォームと、主要面、内縁、外縁、前縁および後縁を規定する主面を有する主要プラットフォームであって、内縁は静止プラットフォームへ接合され、主要プラットフォームは、主要面および静止面が斜面または直交状である折り畳み位置を有し、主要プラットフォームは、主要プラットフォームが静止プラットフォームから展開される伸長位置を有する、主要プラットフォームと、静止プラットフォームの高さの上方の部位を有するように静止プラットフォームへ固定された垂直支持部と、主要プラットフォームを伸長位置から少なくとも折り畳み位置へリフトするように構成された少なくとも１つのリフト機構。
【００１２】
第４の一般的な態様の実行は、以下の特徴のうち１つ以上を含み得る。可搬式の折り畳み型の少なくとも部分的な格納装置において、リフト機構は、部位へ動作可能に接続された第１の端部と、第１の端部から垂直支持部に対する斜面である第２の端部へ延長する作用線を形成するように部位の横の位置において主要プラットフォームへ動作可能に接続された第２の端部とを有する。可搬式の折り畳み型の少なくとも部分的な格納装置は、２つのセグメントを有する端壁アセンブリをさらに含む。各セグメントは、セグメント面、側縁、上縁および下縁を規定する主面を有し、セグメントの側縁は相互に接合され、各セグメントの下縁は、静止プラットフォームおよび主要プラットフォームのうち１つへ接合され、端壁アセンブリは、セグメント面が静止面および主要面双方に対して角度を以て設けられる伸長位置を有し、端壁アセンブリは、折り畳み位置を有する。可搬式の折り畳み型の少なくとも部分的な格納装置において、リフト機構は、部位から第２の端部へ延長する可撓性部材を含む。可搬式の折り畳み型の少なくとも部分的な格納装置および部位へ接続された滑車において、可撓性部材が主要プラットフォームを上昇させる際、可撓性部材は滑車上に移動する。可搬式の折り畳み型の少なくとも部分的な格納装置と、可撓性部材を延長および対比させるように構成されたアクチュエータ。可搬式の折り畳み型の少なくとも部分的な格納装置において、アクチュエータはホイストを含む。可搬式の折り畳み型の少なくとも部分的な格納装置において、リフト機構は、テレスコーピング型アクチュエータを含む。可搬式の折り畳み型の少なくとも部分的な格納装置において、テレスコーピング型アクチュエータは、事前充填されたガスアクチュエータを含む。可搬式の折り畳み型の少なくとも部分的な格納装置にいて、テレスコーピング型アクチュエータは、部位または主要プラットフォームのうち１つへ接合されたシリンダ内において移動可能なピストンを含む。リフト機構は、シリンダ内のピストンを移動させるために、シリンダ内のピストンによって形成されたチャンバを選択的に加圧するようにシリンダへ接続された加圧流体源をさらに含む。可搬式の折り畳み型の少なくとも部分的な格納装置において、テレスコーピング型アクチュエータは、寸切ボルトと、寸切ボルトと螺合的に係合する部材とを含む。部材は、部位または主要プラットフォームのうち１つへ接合される。可搬式の折り畳み型の少なくとも部分的な格納装置において、テレスコーピング型アクチュエータは、部位へ旋回可能に接合され、主要プラットフォームへ旋回可能に接合される。可搬式の折り畳み型の少なくとも部分的な格納装置において、リフト機構はバネを含む。可搬式の折り畳み型の少なくとも部分的な格納装置において、バネは、引張または圧縮バネを含む。可搬式の折り畳み型の少なくとも部分的な格納装置において、主要プラットフォームの長さは、折り畳み位置内のリフト機構の視認を不明瞭にする長さである。可搬式の折り畳み型の少なくとも部分的な格納装置において、主要プラットフォームが折り畳み位置にある場合、リフト機構は伸長方向に垂直に方向付けられた空洞中に配置され、主要プラットフォームの前縁に沿った主要プラットフォームの部位は、折り畳み位置内のリフト機構を不明瞭にするように伸長方向に垂直に方向付けられた空洞上にカバーを形成する。可搬式の折り畳み型の少なくとも部分的な格納装置は、以下をさらに含む：主要面、内縁、外縁、前縁および後縁を規定する主面を有する第２の主要プラットフォームであって、内縁は、主要プラットフォームの反対側の側縁上において静止プラットフォームへ接合され、第２の主要プラットフォームは、主要面および静止面が斜面または直交状である折り畳み位置を有し、第２の主要プラットフォームは、主要プラットフォームが静止プラットフォームから展開される伸長位置を有する、第２の主要プラットフォームと、第２の主要プラットフォームを伸長位置から少なくとも折り畳み位置へリフトさせるように構成された第２のリフト機構。可搬式の折り畳み型の少なくとも部分的な格納装置において、第２のリフト機構は、部位へ動作可能に接続された第１の端部と、第１の端部から垂直支持部に対する斜面である第２の端部へ延長しかつ静止プラットフォームおよび第２の主要プラットフォームの接合側縁の横に設けられた第２の作用線を形成するように部位の横の位置において第２の主要プラットフォームへ動作可能に接続された第２の端部とを有する。
【００１３】
第５の一般的な態様は、以下を含む可搬式の折り畳み型の少なくとも部分的な格納装置を含む：静止面、複数の側縁、前縁および後縁を規定する主面を有する静止プラットフォームと、一対の主要プラットフォームであって、各主要プラットフォームは、主要面、内縁、外縁、前縁および後縁を規定する主面を有し、内縁は、主要プラットフォームが静止プラットフォームの反対側の側縁へ接合されるように静止プラットフォームの側縁のうちの１つへ接合され、各主要プラットフォームは、主要面および静止面が斜面または直交状である折り畳み位置を有し、各主要プラットフォームは、主要プラットフォームが静止プラットフォームから展開される伸長位置を有し、一対の端壁アセンブリにおいて、第１の端壁アセンブリは、主要プラットフォームおよび静止プラットフォームの前縁へ接合され、第２の端壁アセンブリは、主要プラットフォームおよび静止プラットフォームの後縁へ接合され、各端壁アセンブリは、３つのセグメントを有し、各セグメントは、セグメント面、側縁、上縁および下縁を規定する主面を有し、各隣接セグメントの対の側縁は、相互に接合され、各セグメントの下縁は、静止プラットフォームおよび主要プラットフォームの前縁または後縁のうち１つへ接合され、各端壁アセンブリは、セグメント面が静止面および主要面双方に対して角度を以て設けられる伸長位置を有し、各端壁アセンブリは、折り畳み位置を有する。少なくとも１つの支柱が、それぞれが伸長位置にあるときに対向する端壁アセンブリの係合面間に延長するように構成され、少なくとも１つの支柱は、１つの端壁アセンブリが保管位置と伸長位置との間に移動しているときに支柱が１つの端壁アセンブリに対して少なくとも部分的に取り外し可能に保持される保管位置を有する。
【００１４】
第５の一般的な態様の実行は、以下の特徴うち１つ以上を含み得る。可搬式の折り畳み型の少なくとも部分的な格納装置において、少なくとも１つの支柱は、第１の端部において１つの端壁アセンブリへ旋回可能に接合される。可搬式の折り畳み型の少なくとも部分的な格納装置は、少なくとも１つの支柱の少なくとも１つの部位を１つの端壁アセンブリ上に保持するように１つの端壁アセンブリへ固定された少なくとも１つの保持デバイスをさらに含む。可搬式の折り畳み型の少なくとも部分的な格納装置において、保持デバイスは、少なくとも１つの支柱の第２の端部を保持するように構成される。可搬式の折り畳み型の少なくとも部分的な格納装置において、第２の支柱は、それぞれが伸長位置にあるときに相互に対向する端壁アセンブリの係合面間に延長するように構成され、第２のものは、１つの端壁アセンブリが保管位置と伸長位置との間に移動しているときに１つの端壁アセンブリに対して第２の支柱が少なくとも部分的に取り外し可能に保持される保管位置を有する。可搬式の折り畳み型の少なくとも部分的な格納装置において、第２の支柱は、１つの壁部アセンブリ上の少なくとも１つの支柱に対して平行に取り外し可能に保持される。可搬式の折り畳み型の少なくとも部分的な格納装置は、少なくとも１つの支柱の少なくとも１つの部位を１つの端壁アセンブリ上に保持するように１つの端壁アセンブリへ固定された少なくとも１つの保持デバイスをさらに含む。可搬式の折り畳み型の少なくとも部分的な格納装置において、保持デバイスは、少なくとも１つの支柱の第２の端部を保持するように構成される。可搬式の折り畳み型の少なくとも部分的な格納装置において、少なくとも１つの支柱は、第１の端部において１つの端壁アセンブリへ旋回可能に接合される。可搬式の折り畳み型の少なくとも部分的な格納装置において、第２の支柱は、それぞれが伸長位置にあるときに対向する端壁アセンブリの係合面間に延長するように構成され、第２のものは、１つの端壁アセンブリが保管位置と伸長位置との間に移動しているときに第２の支柱が１つの端壁アセンブリに対して少なくとも部分的に取り外し可能に保持される保管位置を有する。可搬式の折り畳み型の少なくとも部分的な格納装置において、第２の支柱は、１つの壁部アセンブリ上の少なくとも１つの支柱に対して平行に取り外し可能に保持される。可搬式の折り畳み型の少なくとも部分的な格納装置において、各支柱は、長さが調節可能である。可搬式の折り畳み型の少なくとも部分的な格納装置は、以下を含む第２の主要プラットフォームをさらに含む：主要面、内縁、外縁、前縁および後縁を規定する主面であって、第２の主要プラットフォームの内縁は、主要プラットフォームの反対側の側縁へ接合され、第２の主要プラットフォームは、主要面および静止面が斜面または直交状である折り畳み位置を有し、開口は、主要プラットフォーム、第２の主要プラットフォームおよび／または静止プラットフォームの縁によって規定される。可搬式の折り畳み型の少なくとも部分的な格納装置は、少なくとも２つのセグメントを有する端壁アセンブリをさらに含む。各セグメントは、セグメント面、側縁、上縁および下縁を規定する主面を有し、セグメントの側縁は相互に接合され、各セグメントの下縁は、静止プラットフォームおよび主要プラットフォームのうち１つへ接合され、端壁アセンブリは、セグメント面が静止面および主要面双方に対して角度を以て設けられる伸長位置を有し、端壁アセンブリは折り畳み位置を有する。可搬式の折り畳み型の少なくとも部分的な格納装置において、少なくとも１つの脚の長さは、パネルがテーブルとして機能する長さである。可搬式の折り畳み型の少なくとも部分的な格納装置において、少なくとも１つの脚は、パネルへ取り外し可能に取り付けられる。可搬式の折り畳み型の少なくとも部分的な格納装置において、取付台は、セグメントのうち１つへ固定される。可搬式の折り畳み型の少なくとも部分的な格納装置において、取付台は、フレーム、静止プラットフォームまたは主要プラットフォームのうち１つへ固定される。可搬式の折り畳み型の少なくとも部分的な格納装置は、パネルを少なくとも部分的な格納装置上の２つの異なる位置へ選択的に固定することができるように、フレーム、静止プラットフォーム、主要プラットフォームまたはセグメントのうち取付台が取り付けられていない１つへ固定された第２の取付台をさらに含む。可搬式の折り畳み型の少なくとも部分的な格納装置において、脚は、部位を少なくとも部分的な格納装置上の２つの異なる位置において支持するように機能するように、長さが調節可能である。可搬式の折り畳み型の少なくとも部分的な格納装置において、少なくとも１つの脚は、パネルへ旋回可能に固定され、第１の位置から移動可能である。第１の位置において、部位が取付台へ固定されると、脚はパネルの当該部位を支持するように伸長し、第２の位置は、パネルが少なくとも静止および主要プラットフォームによって形成される開口の大部分を被覆した場合、パネルへ取り付けられたままであるように構成される。可搬式の折り畳み型の少なくとも部分的な格納装置において、取付台または部位のうち１つは、取付台からの部位の取り外しを抑制する要素を含む。可搬式の折り畳み型の少なくとも部分的な格納装置において、要素は、重力に起因する取付台からの部位の取り外しを抑制する位置まで移動する。可搬式の折り畳み型の少なくとも部分的な格納装置において、要素は、重力に起因する取付台からの部位の取り外しを抑制する位置への枢動を可能にするピボットピンを含む。可搬式の折り畳み型の少なくとも部分的な格納装置において、パネルは、下縁、下縁よりも短尺の上縁、一対の側縁を有し、各側縁は、静止プラットフォームがその各折り畳み位置にあるとき、対応する主要プラットフォームの角度と実質的に一致する角度にて下縁の角部から上縁の角部へ延長する。可搬式の折り畳み型の少なくとも部分的な格納装置において、端壁アセンブリは、３つのセグメントを含む。各セグメントは、セグメント面、側縁、上縁および下縁を規定する主面を有する。セグメントの側縁は相互に接合され、各セグメントの下縁は、静止プラットフォームおよび主要プラットフォームのうち１つへ接合され、端壁アセンブリの伸長位置において、セグメント面は静止面および主要面双方に対して角度を以て設けられ、折り畳み位置において主要面または静止面のうち１つに対して平行であり、取付台は、３つのセグメントの中間セグメントへ固定される。可搬式の折り畳み型の少なくとも部分的な格納装置において、主要プラットフォームが折り畳み位置にあるとき、パネルは、少なくとも部分的な格納装置上に上方を向くパネルを含む。可搬式の折り畳み型の少なくとも部分的な格納装置において、パネルは、主要プラットフォームが折り畳み位置にあるとき、後方を向くパネルを少なくとも部分的な格納装置上に含む。可搬式の折り畳み型の少なくとも部分的な格納装置において、パネルは、主要プラットフォームの折り畳み位置において用いられた場合に２つ以上の部位を含み、これらの部位は、間隔を空けて設けられたテーブルとして別個に用いられる。可搬式の折り畳み型の少なくとも部分的な格納装置において、取付台は、パネルが少なくとも２つの異なる位置に対して取付台へ固定されているときにテーブルとして機能するように移動することができるように、移動可能な様態で少なくとも部分的な格納装置の一部へ固定される。可搬式の折り畳み型の少なくとも部分的な格納装置において、取付台により、取付台から離隔位置にある端部が高い位置において固定可能となるように、パネルを上方にチルトさせることが可能になる。
【００１５】
第６の一般的な態様は、以下を含む可搬式の折り畳み型の少なくとも部分的な格納装置を含む：プラットフォームと、第１の端壁アセンブリがプラットフォームの前縁へ接合されかつ第２の端壁アセンブリがプラットフォームの後縁へ接合される一対の端壁アセンブリであって、各端壁アセンブリは、端壁アセンブリの主面が双方のプラットフォームに対して角度を以て設けられた伸長位置を有し、各端壁アセンブリは折り畳み位置を有する、端壁アセンブリと、それぞれが伸長位置にあるときに相互に対向する端壁アセンブリの係合面間に延長するように構成された少なくとも１つの支柱であって、少なくとも１つの支柱は、１つの端壁アセンブリが保管位置と伸長位置との間に移動しているときに、支柱が１つの端壁アセンブリに対して少なくとも部分的に取り外し可能に保持される保管位置を有する、少なくとも１つの支柱。
【００１６】
第６の一般的な態様の実行は、以下の特徴のうち１つ以上を含み得る。可搬式の折り畳み型の少なくとも部分的な格納装置において、少なくとも１つの支柱は、第１の端部において１つの端壁アセンブリへ旋回可能に接合される。可搬式の折り畳み型の少なくとも部分的な格納装置において、第２の支柱は、それぞれが伸長位置にあるときに相互に対向する端壁アセンブリの係合面間に延長するように構成され、第２のものは、１つの端壁アセンブリが保管位置と伸長位置との間に移動しているときに、第２の支柱が１つの端壁アセンブリに対して少なくとも部分的に取り外し可能に保持される保管位置を有する。可搬式の折り畳み型の少なくとも部分的な格納装置において、第２の支柱は、１つの壁部アセンブリ上の少なくとも１つの支柱に対して平行に取り外し可能に保持される。可搬式の折り畳み型の少なくとも部分的な格納装置において、各支柱は、長さが調節可能である。可搬式の折り畳み型の少なくとも部分的な格納装置は、主要面、内縁、外縁、前縁および後縁を規定する主面を有する第２の主要プラットフォームをさらに含む。第２の主要プラットフォームの内縁は、主要プラットフォームの反対側の側縁へ接合され、第２の主要プラットフォームは、主要面および静止面が斜面または直交状である折り畳み位置を有し、開口は、主要プラットフォーム、第２の主要プラットフォームおよび／または静止プラットフォームの縁によって規定される。可搬式の折り畳み型の少なくとも部分的な格納装置は、少なくとも２つのセグメントを有する端壁アセンブリをさらに含む。各セグメントは、セグメント面、側縁、上縁および下縁を規定する主面を有し、セグメントの側縁は相互に接合され、各セグメントの下縁は、静止プラットフォームおよび主要プラットフォームのうち１つへ接合され、端壁アセンブリは、セグメント面が静止面および主要面双方に対して角度を以て設けられる伸長位置を有し、端壁アセンブリは、折り畳み位置を有する。可搬式の折り畳み型の少なくとも部分的な格納装置において、少なくとも１つの脚は、パネルがテーブルとして機能する長さである。可搬式の折り畳み型の少なくとも部分的な格納装置において、少なくとも１つの脚は、パネルへ取り外し可能に取り付けられる。可搬式の折り畳み型の少なくとも部分的な格納装置において、取付台は、セグメントのうち１つへ固定される。可搬式の折り畳み型の少なくとも部分的な格納装置において、取付台は、フレーム、静止プラットフォームまたは主要プラットフォームのうち１つへ固定される。可搬式の折り畳み型の少なくとも部分的な格納装置は、パネルを少なくとも部分的な格納装置上の２つの異なる位置へ選択的に固定することができるように、フレーム、静止プラットフォーム、主要プラットフォームまたは取付台が取り付けられていないセグメントのうち１つへ固定された第２の取付台をさらに含む。可搬式の折り畳み型の少なくとも部分的な格納装置において、脚は、少なくとも部分的な格納装置上の２つの異なる位置において部位の支持部として機能できるように、長さが調節可能である。可搬式の折り畳み型の少なくとも部分的な格納装置において、少なくとも１つの脚は、旋回可能にパネルへ固定され、第１の位置から移動可能であり、第１の位置において、部位が取付台へ固定されると、脚はパネルの当該部位を支持するように伸長する。第２の位置は、パネルが少なくとも静止および主要プラットフォームによって形成される開口の大部分を被覆すると、パネルへ取り付けられたままとなるように構成される。可搬式の折り畳み型の少なくとも部分的な格納装置において、取付台または部位のうち１つは、取付台からの部位の取り外しを抑制する要素を含む。可搬式の折り畳み型の少なくとも部分的な格納装置において、要素は、重力に起因する取付台からの部位の取り外しを抑制する位置まで移動する。可搬式の折り畳み型の少なくとも部分的な格納装置において、要素は、重力に起因する取付台からの部位の取り外しを抑制する位置への枢動を可能にするピボットピンを含む。可搬式の折り畳み型の少なくとも部分的な格納装置において、パネルは、下縁、下縁よりも短尺の上縁、一対の側縁を有する。各側縁は、静止プラットフォームがその各折り畳み位置にあるとき、対応する主要プラットフォームの角度と実質的に一致する角度において下縁の角部から上縁の角部へ延長する。可搬式の折り畳み型の少なくとも部分的な格納装置において、端壁アセンブリは、３つのセグメントを含む。各セグメントは、セグメント面、側縁、上縁および下縁を規定する主面を有し、セグメントの側縁は相互に接合され、各セグメントの下縁は、静止プラットフォームおよび主要プラットフォームのうち１つへ接合され、端壁アセンブリの伸長位置において、セグメント面が静止面および主要面双方に対して角度を以て設けられ、折り畳み位置において主要面または静止面のうち１つに対して平行であり、取付台は、３つのセグメントの中間セグメントへ固定される。可搬式の折り畳み型の少なくとも部分的な格納装置において、パネルは、主要プラットフォームが折り畳み位置にあるとき、上方を向くパネルを少なくとも部分的な格納装置上に含む。可搬式の折り畳み型の少なくとも部分的な格納装置において、パネルは、主要プラットフォームが折り畳み位置にあるとき、後方を向くパネルを少なくとも部分的な格納装置上に含む。可搬式の折り畳み型の少なくとも部分的な格納装置において、パネルは、２つ以上の部位を含む。これら２つ以上の部位は、主要プラットフォームの折り畳み位置において用いられる場合、間隔を空けて設けられたテーブルとして別個に用いられる。可搬式の折り畳み型の少なくとも部分的な格納装置において、取付台は、パネルが少なくとも２つの異なる位置に対して取付台へ固定されているときにテーブルとして機能するように移動することができるように、移動可能な様態で少なくとも部分的な格納装置の一部へ固定される。可搬式の折り畳み型の少なくとも部分的な格納装置において、取付台により、取付台から離隔位置にある端部が高い位置において固定可能となるように、パネルを上方にチルトさせることが可能になる。
【００１７】
第７の一般的な態様は、フレームを含む、可搬式の折り畳み型の少なくとも部分的な格納装置を含む。可搬式の折り畳み型の少なくとも部分的な格納装置は、静止プラットフォームも含む。この静止プラットフォームは、フレームへ接合され、静止面、複数の側縁、前縁および後縁を規定する主面を有する。可搬式の折り畳み型の少なくとも部分的な格納装置は、主要面、内縁、外縁、前縁および後縁を規定する主面を有する主要プラットフォームも含む。内縁は、静止プラットフォームの側縁のうちの１つへ接合され、主要プラットフォームは、主要面および静止面が斜面または直交状である折り畳み位置を有し、主要プラットフォームは、主要プラットフォームが静止プラットフォームから展開される伸長位置を有する。可搬式の折り畳み型の少なくとも部分的な格納装置は、主要プラットフォームまたは静止プラットフォームのうち少なくとも１つへ接合された壁部も含む。可搬式の折り畳み型の少なくとも部分的な格納装置は、取付要素も含む。可搬式の折り畳み型の少なくとも部分的な格納装置は、主要プラットフォームが折り畳み位置にあるときに静止および／または主要プラットフォームによって少なくとも部分的に形成された開口の少なくとも大部分を被覆するように、折り畳み位置において少なくとも静止プラットフォームまたは主要プラットフォームの一部へ取り外し可能に取り付けられたパネルも含み、パネルは、取付要素へ取り外し可能に取り付けることが可能な部位を含む。可搬式の折り畳み型の少なくとも部分的な格納装置は、部位から離隔位置にある後カバーの一部を支持できる長さの少なくとも１つの脚も含む。
【００１８】
第７の一般的な態様の実行は、以下の特徴のうち１つ以上を含み得る。可搬式の折り畳み型の少なくとも部分的な格納装置は、主要面、内縁、外縁、前縁および後縁を規定する主面を有する第２の主要プラットフォームをさらに含む。第２の主要プラットフォームの内縁は、主要プラットフォームの反対側の側縁へ接合され、第２の主要プラットフォームは、主要面および静止面が斜面または直交状である折り畳み位置を有し、開口は、主要プラットフォーム、第２の主要プラットフォームおよび／または静止プラットフォームの縁によって規定される。可搬式の折り畳み型の少なくとも部分的な格納装置は、少なくとも２つのセグメントを有する端壁アセンブリをさらに含む。各セグメントは、セグメント面、側縁、上縁および下縁を規定する主面を有し、セグメントの側縁は相互に接合され、各セグメントの下縁は、静止プラットフォームおよび主要プラットフォームのうち１つへ接合され、端壁アセンブリは、セグメント面が静止面および主要面双方に対して角度を以て設けられる伸長位置を有し、端壁アセンブリは折り畳み位置を有する。可搬式の折り畳み型の少なくとも部分的な格納装置において、少なくとも１つの脚は、パネルがテーブルとして機能する長さを有する。可搬式の折り畳み型の少なくとも部分的な格納装置において、少なくとも１つの脚は、パネルへ取り外し可能に取り付けられる。可搬式の折り畳み型の少なくとも部分的な格納装置において、取付台は、セグメントのうち１つへ固定される。可搬式の折り畳み型の少なくとも部分的な格納装置において、取付台は、フレーム、静止プラットフォームまたは主要プラットフォームのうち１つへ固定される。可搬式の折り畳み型の少なくとも部分的な格納装置は、パネルを少なくとも部分的な格納装置上の２つの異なる位置へ選択的に固定することができるように、フレーム、静止プラットフォーム、主要プラットフォームまたは取付台が取り付けられていないセグメントのうち１つへ固定された第２の取付台をさらに含む。可搬式の折り畳み型の少なくとも部分的な格納装置において、脚は、少なくとも部分的な格納装置上の２つの異なる位置において部位の支持部として機能できるように、長さが調節可能である。可搬式の折り畳み型の少なくとも部分的な格納装置において、少なくとも１つの脚は、パネルへ旋回可能に固定され、第１の位置から移動可能であり、部位が取付台へ固定されると、脚はパネルの当該部位を支持するように伸長し、第２の位置は、パネルが少なくとも静止および主要プラットフォームによって形成される開口の大部分を被覆したときにパネルへ取り付けられたままになるように、構成される。可搬式の折り畳み型の少なくとも部分的な格納装置において、取付台または部位のうち１つは、取付台からの部位の取り外しを抑制する要素を含む。可搬式の折り畳み型の少なくとも部分的な格納装置において、要素は、重力に起因する取付台からの部位の取り外しを抑制する位置まで移動する。可搬式の折り畳み型の少なくとも部分的な格納装置において、要素は、重力に起因する取付台からの部位の取り外しを抑制する位置への枢動を可能にするピボットピンを含む。可搬式の折り畳み型の少なくとも部分的な格納装置において、パネルは、下縁、下縁よりも短尺の上縁、一対の側縁を有する。各側縁は、静止プラットフォームがその各折り畳み位置にあるとき、対応する主要プラットフォームの角度と実質的に一致する角度において下縁の角部から上縁の角部へ延長する。可搬式の折り畳み型の少なくとも部分的な格納装置において、端壁アセンブリは、３つのセグメントを含む。各セグメントは、セグメント面、側縁、上縁および下縁を規定する主面を有し、セグメントの側縁は相互に接合され、各セグメントの下縁は、静止プラットフォームおよび主要プラットフォームのうち１つへ接合され、端壁アセンブリの伸長位置において、セグメント面は静止面および主要面双方に対して角度を以て設けられ、折り畳み位置において、主要面または静止面のうち１つに対して平行に設けられ、取付台は、３つのセグメントの中間セグメントへ固定される。可搬式の折り畳み型の少なくとも部分的な格納装置において、パネルは、主要プラットフォームが折り畳み位置にあるとき、上方を向くパネルを少なくとも部分的な格納装置上に含む。可搬式の折り畳み型の少なくとも部分的な格納装置において、パネルは、主要プラットフォームが折り畳み位置にあるとき、後方を向くパネルを少なくとも部分的な格納装置上に含む。可搬式の折り畳み型の少なくとも部分的な格納装置において、パネルは、主要プラットフォームの折り畳み位置において用いられる場合、２つ以上の部位を含み、これらの部位は、間隔を空けて設けられたテーブルとして別個に用いられる。可搬式の折り畳み型の少なくとも部分的な格納装置において、取付台は、パネルが少なくとも２つの異なる位置に対して取付台へ固定されているときにテーブルとして機能するように移動することができるように、移動可能な様態で少なくとも部分的な格納装置の一部へ固定される。可搬式の折り畳み型の少なくとも部分的な格納装置において、取付台により、取付台から離隔位置にある端部が高い位置において固定可能となるように、パネルを上方にチルトさせることが可能になる。
【００１９】
第８の一般的な態様は、フレームを含む、可搬式の折り畳み型の少なくとも部分的な格納装置を含む。可搬式の折り畳み型の少なくとも部分的な格納装置は、フレームによって支持されたプラットフォームも含む。可搬式の折り畳み型の少なくとも部分的な格納装置は、プラットフォームの対向する端部においてフレームまたはプラットフォームへ旋回可能に固定された一対の端壁も含む。可搬式の折り畳み型の少なくとも部分的な格納装置は、少なくとも１つのコラプシブル支持フレームも含む。少なくとも１つのコラプシブル支持フレームは、第１の位置から第２の位置へ選択的に移動するようにフレームへ固定された少なくとも１つの可動伸長型支持部を有する。第１の位置において、伸長型支持部は、壁部から係合解除され、第２の位置において、伸長型支持部は、壁部それぞれを係合させかつ壁部を直立位置に保持できるように、第１の位置における自身の位置よりも高い位置にある。
【００２０】
第８の一般的な態様の実行は、以下の特徴のうち１つ以上を含み得る。可搬式の折り畳み型の少なくとも部分的な格納装置において、少なくとも１つのコラプシブル支持フレームは、それぞれその側縁に近接する壁部の部位を係合させる。可搬式の折り畳み型の少なくとも部分的な格納装置は、少なくとも１つの可動伸長型支持部を有する第２のコラプシブル支持フレームをさらに含む。少なくとも１つの可動伸長型支持部は、第１の位置から第２の位置へ選択的に移動するようにフレームへ固定される。第１の位置において、伸長型支持部は、壁部から係合解除され、第２の位置において、伸長型支持部は、壁部それぞれを係合させかつ壁部を直立位置に保持できるように、第１の位置における自身の位置よりも高い位置にある。可搬式の折り畳み型の少なくとも部分的な格納装置において、コラプシブル支持フレームのうち少なくとも１つは、上支持フレームを形成するように相互固定された複数の支持部を有する。上支持フレームは、伸長型支持部が第２の位置にあるとき、プラットフォームよりも高い位置にある。可搬式の折り畳み型の少なくとも部分的な格納装置において、コラプシブル支持フレームは、相互に離隔した位置において上支持フレームへ旋回可能に接合された第２の垂直支持部を含む。可搬式の折り畳み型の少なくとも部分的な格納装置は、剛性パネルをさらに含む。この剛性パネルは、コラプシブル支持フレームが第２の位置にあるときに、プラットフォームよりも高い位置において上フレームによって支持される。可搬式の折り畳み型の少なくとも部分的な格納装置は、可撓性の伸長型部材をさらに含む。可撓性の伸長型部材は、コラプシブル支持フレームが第２の位置にあるときに、プラットフォームよりも高い位置において上フレームによって支持される睡眠面を形成するように構成される。可搬式の折り畳み型の少なくとも部分的な格納装置は、第２の位置において取り外し可能に支持フレームの一部へ取り付けられるテーブルをさらに含む。可搬式の折り畳み型の少なくとも部分的な格納装置において、テーブルは、支持フレームの一部へスライド可能に取り付けられる。可搬式の折り畳み型の少なくとも部分的な格納装置において、端壁がコラプスト位置にありかつ支持フレームが第１の位置にあるとき、テーブルは、取り外し可能なパネルを含む。可搬式の折り畳み型の少なくとも部分的な格納装置において、テーブルは、旋回可能に支持フレームへ取り付けられる。可搬式の折り畳み型の少なくとも部分的な格納装置において、テーブル用の取付台により、取付台から離隔位置にある端部が高い位置において固定可能となるように、テーブルを上方にチルトさせることが可能になる。可搬式の折り畳み型の少なくとも部分的な格納装置において、各コラプシブル支持フレームは、主要プラットフォームへ旋回可能に接合される。可搬式の折り畳み型の少なくとも部分的な格納装置は、外縁の近隣の主要プラットフォームへ旋回可能に接合される。可搬式の折り畳み型の少なくとも部分的な格納装置において、コラプシブル支持フレームのうち少なくとも１つは、上フレームを形成するように相互に固定された複数の支持部を含む。上フレームは、支持フレームの端部が端壁アセンブリそれぞれと係合する第２の位置に伸長型支持部がある場合、主面よりも高い位置にある。可搬式の折り畳み型の少なくとも部分的な格納装置において、コラプシブル支持フレームは、相互に離隔した位置において上フレームへ旋回可能に接合された第２の垂直支持部を含む。可搬式の折り畳み型の少なくとも部分的な格納装置は、コラプシブル支持フレームが第２の位置にあるときに、主面よりも高い位置において上フレームによって支持される剛性パネルをさらに含む。可搬式の折り畳み型の少なくとも部分的な格納装置は、コラプシブル支持フレームが第２の位置にあるときに、主面よりも高い位置において上フレームによって支持される睡眠面を形成するように構成されたサイズの可撓性の伸長型部材をさらに含む。可搬式の折り畳み型の少なくとも部分的な格納装置において、上フレームおよび側方支持部は、端壁アセンブリが折り畳み位置にあるときに、主要プラットフォームと、関連付けられた端壁アセンブリの一部との間に配置される。可搬式の折り畳み型の少なくとも部分的な格納装置において、テーブルは、旋回可能に伸長型支持部へ取り付けられる。可搬式の折り畳み型の少なくとも部分的な格納装置において、テーブル用の取付台により、取付台から離隔位置にある端部が高い位置において固定可能となるようにテーブルを上方にチルトさせることができる。可搬式の折り畳み型の少なくとも部分的な格納装置において、伸長型支持部および第２の垂直支持部の高さは、上フレームがベンチを形成するような高さである。可搬式の折り畳み型の少なくとも部分的な格納装置において、伸長型支持部および第２の垂直支持部の高さは、上フレームがテーブルまたは睡眠支持部を形成するような高さである。
【００２１】
第９の一般的な態様は、以下を含む可搬式の折り畳み型の少なくとも部分的な格納装置：静止面、複数の側縁、前縁および後縁を規定する主面を有する静止プラットフォームと、一対の主要プラットフォームであって、各主要プラットフォームは、主要面、内縁、外縁、前縁および後縁を規定する主面を有し、内縁は静止プラットフォームへ接合され、各主要プラットフォームは、各主要面および静止面が斜面または直交状である折り畳み位置を有し、各主要プラットフォームは、主要プラットフォームが静止プラットフォームから展開される伸長位置を有する、一対の主要プラットフォームと、第１の端壁アセンブリが主要プラットフォームおよび静止プラットフォームの前縁へ接合されかつ第２の端壁アセンブリが主要プラットフォームおよび静止プラットフォームの後縁へ接合される一対の端壁アセンブリであって、各端壁アセンブリは、３つのセグメントを有し、各セグメントは、セグメント面、側縁、上縁および下縁を規定する主面を有し、各隣接セグメントの対の側縁は相互に接合され、各セグメントの下縁は、静止プラットフォームおよび主要プラットフォームの前縁または後縁のうち１つへ接合され、各端壁アセンブリは、セグメント面が静止面および主要面双方に対して角度を以て設けられる伸長位置を有し、各端壁アセンブリは折り畳み位置を有する、端壁アセンブリと、一対のコラプシブル支持フレームであって、各支持フレームは、第１の位置から第２の位置へ選択的に移動するように主要プラットフォームのうち１つへ固定された少なくとも１つの可動伸長型支持部を有し、第１の位置において、伸長型支持部は、主要プラットフォームのうちの１つの主要面に対して平行でありかつその近隣にあり、第２の位置において、伸長型支持部は、（端壁アセンブリが伸長位置にあるときに支持フレームの端部が端壁アセンブリそれぞれと係合する）静止プラットフォームの反対側の側縁よりも高い位置にある。
【００２２】
第９の一般的な態様の実行は、以下の特徴のうち１つ以上を含み得る。可搬式の折り畳み型の少なくとも部分的な格納装置において、各コラプシブル支持フレームは、主要プラットフォームへ旋回可能に接合される。可搬式の折り畳み型の少なくとも部分的な格納装置は、外縁の近隣の主要プラットフォームへ旋回可能に接合される。可搬式の折り畳み型の少なくとも部分的な格納装置において、コラプシブル支持フレームのうち少なくとも１つは、複数の支持部を含む。これら複数の支持部は、伸長型支持部が第２の位置にあるとき、主面よりも高い位置にある上フレームを形成するように相互に固定され、第２の位置において、支持フレームの端部が端壁アセンブリそれぞれと係合する。可搬式の折り畳み型の少なくとも部分的な格納装置において、コラプシブル支持フレームは、相互に離隔した位置において上フレームへ旋回可能に接合された第２の垂直支持部を含む。可搬式の折り畳み型の少なくとも部分的な格納装置は、コラプシブル支持フレームが第２の位置にあるときに主面よりも高い位置において上フレームによって支持される剛性パネルをさらに含む。可搬式の折り畳み型の少なくとも部分的な格納装置は、コラプシブル支持フレームが第２の位置にあるときに主面よりも高い位置において上フレームによって支持される睡眠面を形成するように構成されたサイズの可撓性の伸長型部材をさらに含む。可搬式の折り畳み型の少なくとも部分的な格納装置において、上フレームおよび側方支持部は、端壁アセンブリが折り畳み位置にあるときに、主要プラットフォームと、関連付けられた端壁アセンブリの一部との間に配置される。可搬式の折り畳み型の少なくとも部分的な格納装置において、テーブルは、伸長型支持部へ旋回可能に取り付けられる。可搬式の折り畳み型の少なくとも部分的な格納装置において、テーブル用の取付台により、取付台から離隔位置にある端部が高い位置において固定可能となるように、テーブルを上方にチルトさせることが可能になる。可搬式の折り畳み型の少なくとも部分的な格納装置において、伸長型支持部および第２の垂直支持部の高さは、上フレームによってベンチが形成されるような高さである。可搬式の折り畳み型の少なくとも部分的な格納装置において、伸長型支持部および第２の垂直支持部の高さは、上フレームによってテーブルまたは睡眠支持部が形成されるような高さである。
【００２３】
第１０の一般的な態様は、以下を含む可搬式の折り畳み型の少なくとも部分的な格納装置を含む：静止面、複数の側縁、前縁および後縁を規定する主面を有する静止プラットフォームと、主要面、内縁、外縁、前縁および後縁を規定する主面を有する主要プラットフォームであって、内縁は静止プラットフォームへ接合され、主要プラットフォームは、主要面および静止面が斜面または直交状である折り畳み位置を有し、主要プラットフォームは、主要プラットフォームが静止プラットフォームから展開される伸長位置を有する、主要プラットフォームと、２つのセグメントを有する端壁アセンブリであって、各セグメントは、セグメント面、側縁、上縁および下縁を規定する主面を有し、セグメントの側縁は相互に接合され、各セグメントの下縁は、静止プラットフォームおよび主要プラットフォームのうち１つへ接合され、端壁アセンブリは、セグメント面が静止面および主要面双方に対して角度を以て設けられる伸長位置を有し、端壁アセンブリは折り畳み位置を有する、端壁アセンブリと、第１の位置および第２の位置から選択的に移動するように主要プラットフォームへ固定された少なくとも１つの可動伸長型支持部を有するコラプシブル支持フレームであって、第１の位置において、伸長型支持部は、主要プラットフォームの主面に対して平行であり、第２の位置において、伸長型支持部は、主面に対して角度を以て設けられ、支持フレームは、伸長型支持部が第２の位置にあるときに主面よりも高い位置にある伸長型支持部へ接合された少なくとも１つの支持部材を有する。
【００２４】
第１０の一般的な態様の実行は、以下の特徴のうち１つ以上を含み得る。可搬式の折り畳み型の少なくとも部分的な格納装置において、伸長型支持部は、主要プラットフォームへ旋回可能に接合される。可搬式の折り畳み型の少なくとも部分的な格納装置において、伸長型支持部は、外縁の近隣の主要プラットフォームへ旋回可能に接合される。可搬式の折り畳み型の少なくとも部分的な格納装置において、少なくとも１つの支持部は、伸長型支持部が第２の位置にあるときに主面よりも高い位置にある上フレームを形成するように相互に固定された複数の支持部を含む。可搬式の折り畳み型の少なくとも部分的な格納装置において、少なくとも１つの伸長型支持部は、相互に間隔を空けて配置されかつ側方支持部の端部へ固定された少なくとも２つの伸長型支持部を含み、側方支持部は、主要プラットフォームへ旋回可能に接合され、上フレームは、伸長型支持部の端部へ旋回可能に接合される。可搬式の折り畳み型の少なくとも部分的な格納装置において、コラプシブル支持フレームは、伸長型支持部から間隔を空けて配置された位置において上フレームへ旋回可能に接合された第２の垂直支持部を含む。可搬式の折り畳み型の少なくとも部分的な格納装置は、伸長型支持部が第２の位置にあるときに主面よりも高い位置において上フレームによって支持される剛性パネルをさらに含む。可搬式の折り畳み型の少なくとも部分的な格納装置は、伸長型支持部が第２の位置にあるときに主面よりも高い位置において上フレームによって支持される睡眠面を形成するように構成されたサイズの可撓性の伸長型部材をさらに含む。可搬式の折り畳み型の少なくとも部分的な格納装置において、上フレームおよび側方支持部は、端壁アセンブリが折り畳み位置にあるときに、主要プラットフォームと端壁アセンブリとの間に配置される。可搬式の折り畳み型の少なくとも部分的な格納装置において、伸長型支持部および第２の垂直支持部の高さは、上フレームによってテーブルまたは睡眠面が形成されるような高さである。可搬式の折り畳み型の少なくとも部分的な格納装置において、上フレームは、第１の動作可能幅および第２の動作可能幅において選択的に構成可能であり、第２の動作可能幅は、第１の動作可能幅よりも幅広である。可搬式の折り畳み型の少なくとも部分的な格納装置において、第２の動作可能幅は、上フレームが主要プラットフォームおよび静止プラットフォーム双方を少なくとも部分的に被覆するような幅である。可搬式の折り畳み型の少なくとも部分的な格納装置において、上フレームは、選択的に延長可能な横方向支持部を含む。可搬式の折り畳み型の少なくとも部分的な格納装置および第２の部位は、第２の動作可能幅が得られるように、上フレームへ選択的に接続可能である。可搬式の折り畳み型の少なくとも部分的な格納装置は、第１の動作可能幅および第２の動作可能幅にそれぞれ構成された場合に上フレームのサイズの第１の幅および第２の幅に合わせて選択的に構成可能なパネルをさらに含む。可搬式の折り畳み型の少なくとも部分的な格納装置において、構造は、静止プラットフォームに隣接するフレームへ取り付けられた部分的保管格納装置である。可搬式の折り畳み型の少なくとも部分的な格納装置において、構造は、主要プラットフォームに隣接するフレームへ取り付けられた部分的保管格納装置である。可搬式の折り畳み型の少なくとも部分的な格納装置において、部分的保管格納装置は、対向する側縁を含む。各側縁は、折り畳み位置にある主要プラットフォームの前縁のうち１つと整合される。可搬式の折り畳み型の少なくとも部分的な格納装置と、端壁アセンブリが伸長位置にあるときに操作される１つ以上のコンポーネントを支持する、部分的保管格納装置支持フレーム内に配置された支持フレーム。可搬式の折り畳み型の少なくとも部分的な格納装置において、支持フレームは、１組の異なるコンポーネントのうち１つのコンポーネントを支持するように構成され、１組のコンポーネントの各コンポーネントは、同一位置において支持フレームによって支持されるように構成される。可搬式の折り畳み型の少なくとも部分的な格納装置において、支持フレームは第１の取付台を含み、１組の異なるコンポーネントのコンポーネントはそれぞれ、第１の取付台に対して相補的である第２の取付台を含む。可搬式の折り畳み型の少なくとも部分的な格納装置において、異なる組のコンポーネントの１つのコンポーネントはヒータである。可搬式の折り畳み型の少なくとも部分的な格納装置において、異なる組のコンポーネントの１つのコンポーネントはシンクである。可搬式の折り畳み型の少なくとも部分的な格納装置において、異なる組のコンポーネントの１つのコンポーネントはクックトップである。可搬式の折り畳み型の少なくとも部分的な格納装置において、異なる組のコンポーネントの１つのコンポーネントは保管用引き出しである。可搬式の折り畳み型の少なくとも部分的な格納装置において、異なる組のコンポーネントの１つのコンポーネントはコンセントである。可搬式の折り畳み型の少なくとも部分的な格納装置において、異なる組のコンポーネントの１つのコンポーネントは弁制御水流である。可搬式の折り畳み型の少なくとも部分的な格納装置において、１つのコンポーネントは、開口を通じて部分的保管格納装置内において可動であるトイレを含み、このトイレは、開口を通じて用いられ、保管時には開口を通じて部分的保管格納装置へ返送される。可搬式の折り畳み型の少なくとも部分的な格納装置において、部分的保管格納装置は、少なくとも１つのドアを含む。このドアを通じて、端壁アセンブリが折り畳み位置にあるときにトイレを除去することができる。
【００２５】
第１１の一般的な態様は、フレームを含む、可搬式の折り畳み型の少なくとも部分的な格納装置を含む。可搬式の折り畳み型の少なくとも部分的な格納装置は、静止プラットフォームも含む。この静止プラットフォームは、フレームによって支持され、静止面、複数の側縁、前縁および後縁を規定する主面を有する。可搬式の折り畳み型の少なくとも部分的な格納装置は、主要面、内縁、外縁、前縁および後縁を規定する主面を有する主要プラットフォームも含む。内縁は静止プラットフォームへ接合され、各主要プラットフォームは、関連付けられた主要面および静止面が斜面または直交状である折り畳み位置を有し、主要プラットフォームは、主要プラットフォームが静止プラットフォームから展開される伸長位置を有する。可搬式の折り畳み型の少なくとも部分的な格納装置は、２つのセグメントを有する端壁アセンブリも含む。各セグメントは、セグメント面、側縁、上縁および下縁を規定する主面を有する。セグメントの側縁は相互に接合され、各セグメントの下縁は、静止プラットフォームおよび主要プラットフォームのうち１つへ接合され、端壁アセンブリは、セグメント面が静止面および主要面双方に対して角度を以て設けられる伸長位置を有し、端壁アセンブリは、折り畳み位置を有する。折り畳み位置において、静止プラットフォームまたは主要プラットフォームのいずれかへ接合されたセグメントは開口を有する。可搬式の折り畳み型の少なくとも部分的な格納装置は、壁部アセンブリが展開されたときにフレームへ取り付けられかつ主要および／または静止プラットフォームに隣接する構造も含む。この構造は、壁部アセンブリが展開されたときにセグメント中の開口を通じてアクセスすることが可能な表面および／または開口を有する。
【００２６】
第１１の一般的な態様の実行は、以下の特徴のうち１つ以上を含み得る。可搬式の折り畳み型の少なくとも部分的な格納装置において、この構造は、静止プラットフォームに隣接するフレームへ取り付けられた部分的保管格納装置である。可搬式の折り畳み型の少なくとも部分的な格納装置において、上記構造は、主要プラットフォームに隣接するフレームへ取り付けられた部分的保管格納装置である。可搬式の折り畳み型の少なくとも部分的な格納装置において、部分的保管格納装置は、対向する側縁を含み、各側縁は、折り畳み位置にある主要プラットフォームの前縁のうち１つと整合される。可搬式の折り畳み型の少なくとも部分的な格納装置と、端壁アセンブリが伸長位置にあるときに操作される１つ以上のコンポーネントを支持する部分的保管格納装置支持フレーム内に配置される支持フレーム。可搬式の折り畳み型の少なくとも部分的な格納装置において、支持フレームは、１組の異なるコンポーネントのうち１つのコンポーネントを支持するように構成され、１組のコンポーネントの各コンポーネントは、同一位置において支持フレームによって支持されるように構成される。可搬式の折り畳み型の少なくとも部分的な格納装置において、支持フレームは第１の取付台を含み、１組の異なるコンポーネントのコンポーネントはそれぞれ、第１の取付台に対して相補的な第２の取付台を含む。可搬式の折り畳み型の少なくとも部分的な格納装置において、異なる組のコンポーネントの１つのコンポーネントはヒータである。可搬式の折り畳み型の少なくとも部分的な格納装置において、異なる組のコンポーネントの１つのコンポーネントはシンクである。可搬式の折り畳み型の少なくとも部分的な格納装置において、異なる組のコンポーネントの１つのコンポーネントはクックトップである。可搬式の折り畳み型の少なくとも部分的な格納装置において、異なる組のコンポーネントの１つのコンポーネントは保管用引き出しである。可搬式の折り畳み型の少なくとも部分的な格納装置において、異なる組のコンポーネントの１つのコンポーネントはコンセントである。可搬式の折り畳み型の少なくとも部分的な格納装置において、異なる組のコンポーネントの１つのコンポーネントは弁制御水流である。可搬式の折り畳み型の少なくとも部分的な格納装置において、１つのコンポーネントは、開口を通じて部分的保管格納装置内において可動であるトイレを含み、このトイレは、開口を通じて用いられ、保管時には開口を通じて部分的保管格納装置へ返送される。可搬式の折り畳み型の少なくとも部分的な格納装置において、部分的保管格納装置は、少なくとも１つのドアを含む。このドアを通じて、端壁アセンブリが折り畳み位置にあるときにトイレを除去することができる。
【００２７】
第１２の一般的な態様は、フレームを含む、可搬式の折り畳み型の少なくとも部分的な格納装置を含む。可搬式の折り畳み型の少なくとも部分的な格納装置は、静止プラットフォームも含む。静止プラットフォームは、フレームへ接合され、静止面、複数の側縁、前縁および後縁を規定する主面を有する。可搬式の折り畳み型の少なくとも部分的な格納装置は、２つの主要プラットフォームも含む。各主要プラットフォームは、主要面、内縁、外縁、前縁および後縁を規定する主面を有し、内縁各主要プラットフォームは静止プラットフォームへ接合され、各主要プラットフォームは、関連付けられた主要面および静止面が斜面または直交状である折り畳み位置を有し、各主要プラットフォームは、主要プラットフォームが静止プラットフォームから展開される伸長位置を有する。可搬式の折り畳み型の少なくとも部分的な格納装置は、３つのセグメントを有する端壁アセンブリも含み、各セグメントは、セグメント面、側縁、上縁および下縁を規定する主面を有し、セグメントの側縁は相互に接合され、各セグメントの下縁は、静止プラットフォームおよび主要プラットフォームのうち１つへ接合され、端壁アセンブリは、セグメント面が静止面および主要面双方に対して角度を以て設けられる伸長位置を有し、端壁アセンブリは折り畳み位置を有し、折り畳み位置において、静止プラットフォームまたは主要プラットフォームのいずれかへ接合されたセグメントは、開口を含む。可搬式の折り畳み型の少なくとも部分的な格納装置は、セグメント中の開口と整合されたアパチャを形成する壁部を有するフレームへ取り付けられた部分的保管格納装置も含む。
【００２８】
第１２の一般的な態様の実行は、以下の特徴のうち１つ以上を含み得る。可搬式の折り畳み型の少なくとも部分的な格納装置において、部分的保管格納装置は、対向する側縁を含み、各側縁は、折り畳み位置にある主要プラットフォームの前縁のうち１つと整合される。可搬式の折り畳み型の少なくとも部分的な格納装置と、端壁アセンブリが伸長位置にあるときに操作される１つ以上のコンポーネントを支持する部分的保管格納装置支持フレーム内に配置された支持フレーム。可搬式の折り畳み型の少なくとも部分的な格納装置において、支持フレームは、１組の異なるコンポーネントのうち１つのコンポーネントを支持するように構成され、１組のコンポーネントの各コンポーネントは、同一位置において支持フレームによって支持されるように構成される。可搬式の折り畳み型の少なくとも部分的な格納装置において、支持フレームは第１の取付台を含み、１組の異なるコンポーネントのコンポーネントはそれぞれ、第１の取付台に対して相補的な第２の取付台を含む。可搬式の折り畳み型の少なくとも部分的な格納装置において、異なる組のコンポーネントの１つのコンポーネントはヒータである。可搬式の折り畳み型の少なくとも部分的な格納装置において、異なる組のコンポーネントの１つのコンポーネントはシンクである。可搬式の折り畳み型の少なくとも部分的な格納装置において、異なる組のコンポーネントの１つのコンポーネントはクックトップである。可搬式の折り畳み型の少なくとも部分的な格納装置において、異なる組のコンポーネントの１つのコンポーネントは保管用引き出しである。可搬式の折り畳み型の少なくとも部分的な格納装置において、異なる組のコンポーネントの１つのコンポーネントはコンセントである。可搬式の折り畳み型の少なくとも部分的な格納装置において、異なる組のコンポーネントの１つのコンポーネントは弁制御水流である。可搬式の折り畳み型の少なくとも部分的な格納装置において、１つのコンポーネントは、開口を通じて部分的保管格納装置内において可動であるトイレを含み、このトイレは、開口を通じて用いられ、保管時には開口を通じて部分的保管格納装置へ返送される。可搬式の折り畳み型の少なくとも部分的な格納装置において、部分的保管格納装置は、少なくとも１つのドアを含む。このドアを通じて、端壁アセンブリが折り畳み位置にあるときにトイレを除去することができる。
【００２９】
第１３の一般的な態様は、フレームを含む、可搬式の折り畳み型の少なくとも部分的な格納装置を含む。可搬式の折り畳み型の少なくとも部分的な格納装置は、フレームへ接合されたプラットフォームも含む。可搬式の折り畳み型の少なくとも部分的な格納装置は、保管位置および伸長位置への移動および保管位置および伸長位置からの移動を行うようにプラットフォームへ接合された端壁も含み、端壁は開口を含む。可搬式の折り畳み型の少なくとも部分的な格納装置は、プラットフォームの近隣のフレームへ取り付けられた部分的保管格納装置も含み、部分的保管格納装置は、端壁が伸長位置にあるときに端壁中の開口と整合されたアパチャを形成する壁部を有する。部分的保管格納装置は、アパチャから離隔位置にある部分的保管格納装置内へのアクセスを可能にする少なくとも１つのドアを含む。可搬式の折り畳み型の少なくとも部分的な格納装置は、開口を通じて部分的保管格納装置内から可動であるコンポーネントも含み、このコンポーネントは、開口を通じて用いられ、保管時には開口を通じて部分的保管格納装置へ返送され、少なくとも１つのドアのサイズは、端壁が折り畳み位置にあるときにドアを通じたコンポーネント除去が可能なサイズである。
【００３０】
第１３の一般的な態様の実行は、以下の特徴のうち１つ以上を含み得る。可搬式の折り畳み型の少なくとも部分的な格納装置において、コンポーネントはトイレを含む。可搬式の折り畳み型の少なくとも部分的な格納装置において、コンポーネントは、アパチャを通じた移動をガイドするためのガイドデバイスによって支持される。可搬式の折り畳み型の少なくとも部分的な格納装置において、ガイドデバイスは、間隔を空けて配置されたガイドレールを含む。可搬式の折り畳み型の少なくとも部分的な格納装置において、ガイドデバイスは可動トレイを含む。可搬式の折り畳み型の少なくとも部分的な格納装置は、コンポーネントをガイドデバイスから取り外し可能に接続させることおよびコンポーネントをドアを通じて部分的保管格納装置から取り外すことを行うための保持デバイスをさらに含む。可搬式の折り畳み型の少なくとも部分的な格納装置は、２つのセグメントを有する端壁アセンブリをさらに含む。各セグメントは、セグメント面、側縁、上縁および下縁を規定する主面を有し、セグメントの側縁は相互に接合され、各セグメントの下縁は、静止プラットフォームおよび主要プラットフォームのうち１つへ接合され、端壁アセンブリは、セグメント面が静止面および主要面双方に対して角度を以て設けられる伸長位置を有し、端壁アセンブリは、折り畳み位置を有する。可搬式の折り畳み型の少なくとも部分的な格納装置および１組の４つのレベリング脚が、取り外し可能にフレームへ固定され、各レベリング脚は、主要プラットフォームが伸長位置にあるときに少なくとも部分的な格納装置の一部を一様な高さにできるように、長さが調節可能である。可搬式の折り畳み型の少なくとも部分的な格納装置において、側方支持構造は、少なくとも部分的な可搬式の格納装置の片側にレベリング脚を取り付ける際に用いられる少なくとも部分的な格納装置フレームの一部へ取り外し可能に取り付けられるように、構成される。可搬式の折り畳み型の少なくとも部分的な格納装置において、側方支持構造は、自転車を支持するように構成された支持部材を含む。可搬式の折り畳み型の少なくとも部分的な格納装置において、側方支持構造は、パドルボードを支持するように構成された支持部材を含む。可搬式の折り畳み型の少なくとも部分的な格納装置において、側方支持構造は、複数のコンテナを支持するように構成された支持部材を含む。可搬式の折り畳み型の少なくとも部分的な格納装置において、フレームは、格納装置の各側に複数のレシーバを含み、各構成されたレシーバは、側方支持構造を支持するためにレシーバから調節可能な様態で延長可能な横方向支持部を受容するように構成される。可搬式の折り畳み型の少なくとも部分的な格納装置において、支持構造は、主要プラットフォームが折り畳み位置にあるときに少なくとも部分的な格納装置の上部に延長される部材を含む。可搬式の折り畳み型の少なくとも部分的な格納装置において、これらの部材は、内縁に対して平行な長手方向延長部材と、内縁に対して横断方向に延長する部材とを含む。可搬式の折り畳み型の少なくとも部分的な格納装置は、第１の端部において各横方向支持部へ接続されかつ第２の端部において吊上リングへ接続された吊上ケーブルをさらに含む。可搬式の折り畳み型の少なくとも部分的な格納装置において、フレームは、ヒッチを含む伸長型支持部を含む。ケーブルは、第１の端部において伸長型支持部またはヒッチへ接続され、第２の端部において吊上リングへ接続される。可搬式の折り畳み型の少なくとも部分的な格納装置において、フレームは、ヒッチを含む伸長型支持部を含む。ケーブルは、第１の端部において伸長型支持部またはヒッチへ接続され、第２の端部において吊上リングへ接続される。可搬式の折り畳み型の少なくとも部分的な格納装置において、少なくとも１つの地面支持部の端部は、スキーを含む。可搬式の折り畳み型の少なくとも部分的な格納装置において、フレームは、複数のレシーバを含む。各構成されたレシーバは、少なくとも１つの主要プラットフォームを支持するようにレシーバから調節可能な様態で延長可能な横方向支持部を受容するように構成される。地面支持部へ接続された各横方向支持部は、スキーまたはホイールを含む。可搬式の折り畳み型の少なくとも部分的な格納装置は、主要面、第２の内縁、外縁、前縁、後縁を規定する主面を有する第２の主要プラットフォームをさらに含み、第２の内縁は、少なくとも１つの主要プラットフォームと反対側の静止プラットフォームへ接合され、第２のプラットフォームは、関連付けられた主要面および静止面が斜面または直交状である折り畳み位置を有し、第２の主要プラットフォームが静止プラットフォームから展開される伸長位置を有し、フレームは、フレームの各側に複数のレシーバを有し、各レシーバは、少なくとも１つの主要プラットフォームまたは第２の主要プラットフォームを支持するようにレシーバから調節可能な様態で延長可能な横方向支持部を受容するように構成され、地面支持部へ接続された各横方向支持部は、スキーまたはホイールを含む。可搬式の折り畳み型の少なくとも部分的な格納装置において、単一のスキーがフレームの各側に設けられる。可搬式の折り畳み型の少なくとも部分的な格納装置において、少なくとも１つの地面支持部の端部は、ホイールを含む。
【００３１】
第１４の一般的な態様は、フレームを含む、可搬式の折り畳み型の少なくとも部分的な格納装置を含む。この格納装置は、以下を含む：フレームによって支持されかつ静止面、複数の側縁、前縁および後縁を規定する主面を有する静止プラットフォームと、２つの主要プラットフォームであって、各主要プラットフォームは、主要面、内縁、外縁、前縁および後縁を規定する主面を有し、内縁各主要プラットフォームは静止プラットフォームへ接合され、各主要プラットフォームは、関連付けられた主要面および静止面が斜面または直交状である折り畳み位置を有し、各主要プラットフォームは、主要プラットフォームが静止プラットフォームから展開される伸長位置を有する、２つの主要プラットフォームと、主要プラットフォームが折り畳み位置にあるときに取り外し可能にフレームへ固定された側方支持構造であって、側方支持構造は、主要プラットフォームが折り畳み状態のときに物品を高い位置に支持するように構成される。
【００３２】
第１４の一般的な態様の実行は、以下の特徴のうち１つ以上を含み得る。可搬式の折り畳み型の少なくとも部分的な格納装置は、２つのセグメントを有する端壁アセンブリをさらに含む。各セグメントは、セグメント面、側縁、上縁および下縁を規定する主面を有し、セグメントの側縁は相互に接合され、各セグメントの下縁は、静止プラットフォームおよび主要プラットフォームのうち１つへ接合され、端壁アセンブリは、セグメント面が静止面および主要面双方に対して角度を以て設けられる伸長位置を有し、端壁アセンブリは、折り畳み位置を有する。可搬式の折り畳み型の少なくとも部分的な格納装置および１組の４つのレベリング脚は、フレームへ取り外し可能に固定され、各レベリング脚は、主要プラットフォームが伸長位置にあるときに少なくとも部分的な格納装置の一部を一様な高さにするように、長さが調節可能である。可搬式の折り畳み型の少なくとも部分的な格納装置において、側方支持構造は、レベリング脚を少なくとも部分的な可搬式の格納装置の片側上に取り付ける際に用いられる少なくとも部分的な格納装置フレームの一部へ取り外し可能に取り付けられるように構成される。可搬式の折り畳み型の少なくとも部分的な格納装置において、側方支持構造は、自転車を支持するように構成された支持部材を含む。可搬式の折り畳み型の少なくとも部分的な格納装置において、側方支持構造は、パドルボードを支持するように構成された支持部材を含む。可搬式の折り畳み型の少なくとも部分的な格納装置において、側方支持構造は、複数のコンテナを支持するように構成された支持部材を含む。可搬式の折り畳み型の少なくとも部分的な格納装置において、フレームは、格納装置の各側に複数のレシーバを含み、各構成されたレシーバは、側方支持構造を支持するためにレシーバから調節可能な様態で延長可能な横方向支持部を受容するように構成される。可搬式の折り畳み型の少なくとも部分的な格納装置において、支持構造は、主要プラットフォームが折り畳み位置にあるときに少なくとも部分的な格納装置の上部に延長される部材を含む。可搬式の折り畳み型の少なくとも部分的な格納装置において、部材は、内縁に対して平行な長手方向延長部材、および内縁に対して横断方向に延長する部材を含む。可搬式の折り畳み型の少なくとも部分的な格納装置は、第１の端部において各横方向支持部へ接続されかつ第２の端部において吊上リングへ接続された吊上ケーブルをさらに含む。可搬式の折り畳み型の少なくとも部分的な格納装置において、フレームは、ヒッチを含む伸長型支持部を含む。ケーブルは、第１の端部において伸長型支持部またはヒッチへ接続されかつ第２の端部において吊上リングへ接続される。可搬式の折り畳み型の少なくとも部分的な格納装置において、フレームは、ヒッチを含む伸長型支持部を含む。ケーブルは、第１の端部において伸長型支持部またはヒッチへ接続されかつ第２の端部において吊上リングへ接続される。可搬式の折り畳み型の少なくとも部分的な格納装置において、少なくとも１つの地面支持部の端部は、スキーを含む。可搬式の折り畳み型の少なくとも部分的な格納装置において、フレームは、複数のレシーバを含む。各構成されたレシーバは、少なくとも１つの主要プラットフォームを支持するようにレシーバから調節可能な様態で延長可能な横方向支持部を含むように構成される。地面支持部へ接続された各横方向支持部は、スキーまたはホイールを含む。可搬式の折り畳み型の少なくとも部分的な格納装置は、主要面、第２の内縁、外縁、前縁、後縁を規定する主面を有する第２の主要プラットフォームをさらに含み、第２の内縁は、少なくとも１つの主要プラットフォームと反対側の静止プラットフォームへ接合され、第２のプラットフォームは、関連付けられた主要面および静止面が斜面または直交状である折り畳み位置と、第２の主要プラットフォームが静止プラットフォームから展開される伸長位置とを有し、フレームは、フレームの各側に複数のレシーバを含む。各レシーバは、少なくとも１つの主要プラットフォームまたは第２の主要プラットフォームを支持するようにレシーバから調節可能な様態で延長可能な横方向支持部を受容するように構成され、地面支持部へ接続された各横方向支持部は、スキーまたはホイールを含む。可搬式の折り畳み型の少なくとも部分的な格納装置において、単一のスキーがフレームの各側に設けられる。可搬式の折り畳み型の少なくとも部分的な格納装置において、少なくとも１つの地面支持部の端部は、ホイールを含む。
【００３３】
第１５の一般的な態様は、フレームを含む、可搬式の折り畳み型の少なくとも部分的な格納装置を含む。この格納装置は、以下を含む：フレームによって支持されかつ静止面、複数の側縁、前縁および後縁を規定する主面を有する静止プラットフォームと、２つの主要プラットフォームであって、各主要プラットフォームは、主要面、内縁、外縁、前縁および後縁を規定する主面を有し、内縁各主要プラットフォームは静止プラットフォームへ接合され、各主要プラットフォームは、関連付けられた主要面および静止面が斜面または直交状である折り畳み位置を有し、各主要プラットフォームは、主要プラットフォームが静止プラットフォームから展開される伸長位置を有する、主要プラットフォーム。フレームは、格納装置の各側に複数のレシーバを含み、各構成されたレシーバは、側方支持構造を支持するためにレシーバから調節可能な様態で延長可能な横方向支持部を受容するように構成される。可搬式の折り畳み型の少なくとも部分的な格納装置は、第１の端部において各横方向支持部へ接続されかつ第２の端部において吊上リングへ接続された吊上ケーブルも含む。
【００３４】
第１５の一般的な態様の実行は、以下の特徴のうち１つ以上を含み得る。可搬式の折り畳み型の少なくとも部分的な格納装置において、フレームは、ヒッチを含む伸長型支持部を含む。ケーブルは、第１の端部において伸長型支持部またはヒッチへ接続されかつ第２の端部において吊上リングへ接続される。可搬式の折り畳み型の少なくとも部分的な格納装置において、少なくとも１つの地面支持部の端部は、スキーを含む。可搬式の折り畳み型の少なくとも部分的な格納装置において、フレームは、複数のレシーバを含む。各構成されたレシーバは、少なくとも１つの主要プラットフォームを支持するようにレシーバから調節可能な様態で延長可能な横方向支持部を受容するように構成され、地面支持部へ接続された各横方向支持部は、スキーまたはホイールを含む。可搬式の折り畳み型の少なくとも部分的な格納装置は、主要面、第２の内縁、外縁、前縁、後縁を規定する主面を有する第２の主要プラットフォームをさらに含み、第２の内縁は、少なくとも１つの主要プラットフォームと反対側の静止プラットフォームへ接合され、第２のプラットフォームは、関連付けられた主要面および静止面が斜面または直交状である折り畳み位置を有し、第２の主要プラットフォームが静止プラットフォームから展開される伸長位置を有し、フレームは、フレームの各側に複数のレシーバを含み、各レシーバは、少なくとも１つの主要プラットフォームまたは第２の主要プラットフォームを支持するようにレシーバから調節可能な様態で延長可能な横方向支持部を受容するように構成され、地面支持部へ接続された各横方向支持部は、スキーまたはホイールを含む。可搬式の折り畳み型の少なくとも部分的な格納装置において、単一のスキーがフレームの各側に設けられる。可搬式の折り畳み型の少なくとも部分的な格納装置において、少なくとも１つの地面支持部の端部は、ホイールを含む。
【００３５】
第１６の一般的な態様は、フレームを含む、可搬式の折り畳み型の少なくとも部分的な格納装置を含む。この格納装置は、以下を含む：フレームによって支持されかつ静止面、複数の側縁、前縁および後縁を規定する主面を有する静止プラットフォームと、主要面、内縁、外縁、前縁および後縁を規定する主面を有する少なくとも１つの主要プラットフォームであって、主要プラットフォームが関連付けられた主要面および静止面が斜面または直交状である折り畳み位置および主要プラットフォームが静止プラットフォームから展開される伸長位置を有するように、内縁が静止プラットフォームへ接合される、主要プラットフォームと、主要プラットフォームの展開と共に少なくとも部分的な格納装置の移動を可能にするように構成された地面係合端部を有する少なくとも１つの地面支持部。
【００３６】
第１６の一般的な態様の実行は、以下の特徴のうち１つ以上を含み得る。可搬式の折り畳み型の少なくとも部分的な格納装置において、少なくとも１つの地面支持部の端部は、スキーを含む。可搬式の折り畳み型の少なくとも部分的な格納装置において、フレームは、複数のレシーバを含む。各構成されたレシーバは、少なくとも１つの主要プラットフォームを支持するようにレシーバから調節可能な様態で延長可能な横方向支持部を受容するように構成され、地面支持部へ接続された各横方向支持部は、スキーまたはホイールを含む。可搬式の折り畳み型の少なくとも部分的な格納装置は、主要面、第２の内縁、外縁、前縁、後縁を規定する主面を有する第２の主要プラットフォームをさらに含み、第２の内縁は、少なくとも１つの主要プラットフォームと反対側の静止プラットフォームへ接合され、第２のプラットフォームは、関連付けられた主要面および静止面が斜面または直交状である折り畳み位置を有し、第２の主要プラットフォームが静止プラットフォームから展開される伸長位置を有し、フレームは、フレームの各側に複数のレシーバを含み、各レシーバは、少なくとも１つの主要プラットフォームまたは第２の主要プラットフォームを支持するようにレシーバから調節可能な様態で延長可能な横方向支持部を受容するように構成され、地面支持部へ接続された各横方向支持部は、スキーまたはホイールを含む。可搬式の折り畳み型の少なくとも部分的な格納装置において、単一のスキーがフレームの各側に設けられる。可搬式の折り畳み型の少なくとも部分的な格納装置において、少なくとも１つの地面支持部の端部は、ホイールを含む。
【００３７】
第１７の一般的な態様は、フレームを含む可搬式の折り畳み型の格納装置を含む。可搬式の折り畳み型の格納装置は、フレームへ固定されるフロアと、２つの壁部アセンブリも含む。これら２つの壁部アセンブリにおいて、壁部アセンブリは、相互に対向して配置され、ヒンジによってフロアへ旋回可能に接合される。各壁部アセンブリは、壁部アセンブリがフロア上にある第１の位置から壁部アセンブリがフロアから離隔方向にある第２の位置へ可動である。可搬式の折り畳み型の格納装置は、格納装置を形成するように壁部アセンブリへ接合されかつ壁部アセンブリ間に延長される天蓋も含む。天蓋は、少なくとも１つの布材を含み、布材は、壁部アセンブリへ接続されかつ壁部アセンブリ間に延長され、布材は、壁部アセンブリのうち少なくとも１つへ固定された第２の部位から選択的に接続解除可能な第１の部位を含む。
【００３８】
第１７の一般的な態様の実行は、以下の特徴のうち１つ以上を含み得る。可搬式の折り畳み型の格納装置は、第１の部位を第２の部位へ選択的に接続させるための締結具をさらに含む。可搬式の折り畳み型の格納装置において、第１の部位および第２の部位のうち１つは、締結具によって第１の部位が第２の部位へ接続された際に締結具を被覆する第３の部位を含む。可搬式の折り畳み型の格納装置において、締結具は、ファスナー、スナップ、クリップ、紐、または面ファスナーのうち少なくとも１つを含む。可搬式の折り畳み型の格納装置は、壁部アセンブリ間に接続されかつ壁部アセンブリ間に延長される第２の布材をさらに含む。可搬式の折り畳み型の格納装置において、第２の布材は、布材の外部にある。可搬式の折り畳み型の格納装置において、フロアは、布材が折り畳み式プラットフォームへ接続される折り畳み式プラットフォームを含む。布材が折り畳み式プラットフォームへ接続される可搬式の折り畳み型の格納装置は、プラットフォームのうち少なくとも１つへ固定された第４の部位から選択的に接続解除可能な第２の布材第３の部位を含む。可搬式の折り畳み型の格納装置は、第３の部位を第４の部位へ選択的に接続させるための締結具をさらに含む。可搬式の折り畳み型の格納装置において、締結具は、ファスナー、スナップ、クリップ、紐または面ファスナーのうち少なくとも１つを含む。可搬式の折り畳み型の格納装置において、第３の部位および第４の部位のうち１つは、締結具が第３の部位を第４の部位へ接続させた際に締結具を被覆する第５の部位を含む。可搬式の折り畳み型の格納装置において、１つ以上のセパレータは、可搬式の格納装置の屋根を形成する天蓋の長さに沿って延長する。可搬式の折り畳み型の格納装置において、１つ以上のセパレータは、可搬式の格納装置の屋根を形成する天蓋の長さに沿って相互に間隔を空けて配置される。可搬式の折り畳み型の格納装置において、１つ以上のセパレータは、泡状物質の伸長構造、ばら材料および／または膨張可能な袋のうち少なくとも１つを含む。可搬式の折り畳み型の格納装置において、１つ以上のセパレータは、布のうち少なくとも１つへ恒久的に固定される。可搬式の折り畳み型の格納装置において、１つ以上のセパレータは、布のうち少なくとも１つへ取り外し可能に接続可能である。可搬式の折り畳み型の格納装置において、１つ以上のセパレータは、ファスナー、スナップ、クリップ、紐または面ファスナーのうち少なくとも１つにより、少なくとも１つの布へ接合される。可搬式の折り畳み型の格納装置において、セパレータは、支持スリーブおよび内部フィラーを含む。可搬式の折り畳み型の格納装置において、第２の天蓋は、壁部アセンブリの移動と共に直立位置へ上昇するように壁部アセンブリのうち１つの縁へ接合される。可搬式の折り畳み型の格納装置において、第２の天蓋は、第１の天蓋へ接合される。可搬式の折り畳み型の格納装置において、第２の天蓋は、壁部アセンブリのうち少なくとも１つへ固定された第２の部位または第１の天蓋へ選択的に接続可能な第１の部位を含む。可搬式の折り畳み型の格納装置は、第１の部位を第２の部位へ選択的に接続させるための締結具をさらに含む。可搬式の折り畳み型の格納装置において、締結具は、ファスナー、スナップ、クリップ、紐または面ファスナーのうち少なくとも１つを含む。可搬式の折り畳み型の格納装置において、支持フレームは、第２の天蓋を支持するように地面に接触する。可搬式の折り畳み型の格納装置において、支持フレームは、第２の天蓋を支持するように地面に接触しない。可搬式の折り畳み型の格納装置において、支持フレームの下部は、端壁アセンブリへ接続される。可搬式の折り畳み型の格納装置において、支持フレームは、複数のフープを含む。可搬式の折り畳み型の格納装置において、支持フレームは、間隔を空けて配置されたフープを含む。可搬式の折り畳み型の格納装置において、支持フレームを形成する部材は、第２の天蓋のスリーブに挿入される。可搬式の折り畳み型の格納装置は、第２の天蓋から延長される布壁部をさらに含む。可搬式の折り畳み型の格納装置において、部材のうち１つ以上は、支持フレームが第２の天蓋を保持した後に第２の天蓋を引っ張るように、長さが調節可能である。可搬式の折り畳み型の格納装置は、フロアの少なくとも下側の気流を抑制するためにフロアの側部のうち少なくともいくつかの周囲の地面へ下方に延長するフレーム、フロアまたは第１の天蓋へ接続された１つ以上のパネルをさらに含む。
【００３９】
第１８の一般的な態様は、可搬式の折り畳み型の格納装置を含む。この格納装置は、以下を含む：フレームと、フレームへ固定されるフロアと、２つの壁部アセンブリであって、２つの壁部アセンブリにおいて、壁部アセンブリは、相互に対向して配置され、ヒンジによりフロアへ旋回可能に接合され、各壁部アセンブリは、壁部アセンブリがフロア上にある第１の位置から壁部アセンブリがフロアから離隔方向にある第２の位置へ可動である、２つの壁部アセンブリと、格納装置を形成するように壁部アセンブリへ接合されかつ壁部アセンブリ間に延長される天蓋であって、天蓋は、外側布材および外側布材から間隔を空けて配置された内側布材を含み、外側布材はそれぞれ、壁部アセンブリへ接続されかつ壁部アセンブリ間に延長される、天蓋と、内側布材と外側布材との間に配置される１つ以上のセパレータ。
【００４０】
第１８の一般的な態様の実行は、以下の特徴のうち１つ以上を含み得る。可搬式の折り畳み型の格納装置において、１つ以上のセパレータは、可搬式の格納装置の屋根を形成する天蓋の長さに沿って延長する。可搬式の折り畳み型の格納装置において、１つ以上のセパレータは、可搬式の格納装置の屋根を形成する天蓋の長さに沿って相互に間隔を空けて配置される。可搬式の折り畳み型の格納装置において、１つ以上のセパレータは、泡状物質の伸長構造、ばら材料および／または膨張可能な袋のうち少なくとも１つを含む。可搬式の折り畳み型の格納装置において、１つ以上のセパレータは、布のうち少なくとも１つへ恒久的に固定される。可搬式の折り畳み型の格納装置において、１つ以上のセパレータは、布のうち少なくとも１つへ取り外し可能に接続可能である。可搬式の折り畳み型の格納装置において、１つ以上のセパレータは、ファスナー、スナップ、クリップ、紐または面ファスナーのうち少なくとも１つにより少なくとも１つの布へ接合される。可搬式の折り畳み型の格納装置において、セパレータは、支持スリーブおよび内部フィラーを含む。可搬式の折り畳み型の格納装置において、第２の天蓋は、壁部アセンブリの移動と共に直立位置へ上昇するように壁部アセンブリのうち１つの縁へ接合される。可搬式の折り畳み型の格納装置において、第２の天蓋は、第１の天蓋へ接合される。可搬式の折り畳み型の格納装置において、第２の天蓋は、壁部アセンブリのうち少なくとも１つへ固定された第２の部位または第１の天蓋へ選択的に接続可能な第１の部位を含む。可搬式の折り畳み型の格納装置は、第１の部位を第２の部位へ選択的に接続させるための締結具をさらに含む。可搬式の折り畳み型の格納装置において、締結具は、ファスナー、スナップ、クリップ、紐または面ファスナーのうち少なくとも１つを含む。可搬式の折り畳み型の格納装置において、支持フレームは、第２の天蓋を支持するように地面に接触する。可搬式の折り畳み型の格納装置において、支持フレームは、第２の天蓋を支持するように地面に接触しない。可搬式の折り畳み型の格納装置において、支持フレームの下部は、端壁アセンブリへ接続される。可搬式の折り畳み型の格納装置において、支持フレームは、複数のフープを含む。可搬式の折り畳み型の格納装置において、支持フレームは、間隔を空けて配置されたフープを含む。可搬式の折り畳み型の格納装置において、支持フレームを形成する部材は、第２の天蓋のスリーブへ挿入される。可搬式の折り畳み型の格納装置は、第２の天蓋から延長される布壁部をさらに含む。可搬式の折り畳み型の格納装置において、部材のうち１つ以上は、支持フレームが第２の天蓋を保持した後に第２の天蓋を引っ張るように、長さが調節可能である。可搬式の折り畳み型の格納装置は、フロアの少なくとも下側の気流を抑制するようにフロアの側部のうち少なくともいくつかの周囲の地面へ下方に延長するようにフレーム、フロアまたは第１の天蓋へ接続された１つ以上のパネルをさらに含む。
【００４１】
第１９の一般的な態様は、以下を含む可搬式の折り畳み型の格納装置を含む：フレームと、フレームへ固定されるフロアと、２つの壁部アセンブリであって、壁部アセンブリは、相互に対向して配置され、ヒンジによりフロアへ旋回可能に接合され、各壁部アセンブリは、壁部アセンブリがフロア上にある第１の位置から壁部アセンブリがフロアから離隔方向にある第２の位置へ可動である、２つの壁部アセンブリと、格納装置を形成するように壁部アセンブリ間に延長するように接合された第１の天蓋であって、第１の天蓋は少なくとも外側布材を含む、第１の天蓋と、第１の天蓋から延長するように壁部アセンブリのうち１つまたは第１の天蓋へ接合された第２の天蓋と、少なくとも屋根構造を形成するように壁部アセンブリから遠隔位置にある第２の天蓋または第１の天蓋を支持する支持フレーム。
【００４２】
第１９の一般的な態様の実行は、以下の特徴のうち１つ以上を含み得る。可搬式の折り畳み型の格納装置において、第２の天蓋は、壁部アセンブリの移動と共に直立位置へ上昇するように壁部アセンブリのうち１つの縁へ接合される。可搬式の折り畳み型の格納装置において、第２の天蓋は、第１の天蓋へ接合される。可搬式の折り畳み型の格納装置において、第２の天蓋は、壁部アセンブリのうち少なくとも１つへ固定された第２の部位または第１の天蓋へ選択的に接続可能な第１の部位を含む。可搬式の折り畳み型の格納装置は、第１の部位を第２の部位へ選択的に接続させるための締結具をさらに含む。可搬式の折り畳み型の格納装置において、締結具は、ファスナー、スナップ、クリップ、紐または面ファスナーのうち少なくとも１つを含む。可搬式の折り畳み型の格納装置において、支持フレームは、第２の天蓋を支持するように地面に接触する。可搬式の折り畳み型の格納装置において、支持フレームは、第２の天蓋を支持するように地面に接触しない。可搬式の折り畳み型の格納装置において、支持フレームの下部は、端壁アセンブリへ接続される。可搬式の折り畳み型の格納装置において、支持フレームは、複数のフープを含む。可搬式の折り畳み型の格納装置において、支持フレームは、間隔を空けて配置されたフープを含む。可搬式の折り畳み型の格納装置において、支持フレームを形成する部材は、第２の天蓋のスリーブへ挿入される。可搬式の折り畳み型の格納装置は、第２の天蓋から延長される布壁部をさらに含む。可搬式の折り畳み型の格納装置において、部材のうち１つ以上は、支持フレームが第２の天蓋を保持した後に第２の天蓋を引っ張るように、長さが調節可能である。可搬式の折り畳み型の格納装置は、フロアの少なくとも下側の気流を抑制するようにフロアの側部のうち少なくともいくつかの周囲の地面へ下方に延長するようにフレーム、フロアまたは第１の天蓋へ接続された１つ以上のパネルをさらに含む。
【００４３】
第２０の一般的な態様は、以下を含む可搬式の折り畳み型の格納装置を含む：フレームと、フレームへ固定されるフロアと、２つの壁部アセンブリであって、壁部アセンブリは、相互に対向して配置され、ヒンジによりフロアへ旋回可能に接合され、各壁部アセンブリは、壁部アセンブリがフロア上にある第１の位置から壁部アセンブリがフロアから離隔方向にある第２の位置へ可動である、２つの壁部アセンブリと、格納装置を形成するように壁部アセンブリへ接合されかつ壁部アセンブリ間に延長される天蓋であって、天蓋は外側布材を含み、外側布材は、壁部アセンブリへ接続されかつ壁部アセンブリ間に延長される、天蓋と、フロアから地面へ延びる１つ以上の布パネル。
【００４４】
第２０の一般的な態様の実行は、以下の特徴のうち１つ以上を含み得る。可搬式の折り畳み型の格納装置において、１つ以上の布パネルは、フロアへ選択的に接続可能である。可搬式の折り畳み型の格納装置は、１つ以上の布パネルをフロアへ選択的に接続させるための締結具をさらに含む。可搬式の折り畳み型の格納装置において、１つ以上の布パネルは、天蓋へ固定された第２の部位へ選択的に接続可能な第１の部位を含む。可搬式の折り畳み型の格納装置において、１つ以上の布パネルは、壁部アセンブリが第１の位置にあるとき、天蓋と共に折り畳まれる。可搬式の折り畳み型の少なくとも部分的な格納装置において、一対の側壁はそれぞれ、フロアへ旋回可能に接合される。可搬式の折り畳み型の少なくとも部分的な格納装置において、一対の側壁はそれぞれ、端壁へ旋回可能に接合される。可搬式の折り畳み型の少なくとも部分的な格納装置において、第２の部位は、各側壁へ移動可能に接合される。可搬式の折り畳み型の少なくとも部分的な格納装置において、第２の部位は、各対応する側壁に相対してスライドする。可搬式の折り畳み型の少なくとも部分的な格納装置において、第２の部位は、各対応する側壁に相対して旋回する。
【００４５】
第２１の一般的な態様は、フレームを含む、可搬式の折り畳み型の少なくとも部分的な格納装置を含む。この格納装置は、以下を含む：フレームへ固定されるフロアと、２つの壁部アセンブリであって、壁部アセンブリは、相互に対向して配置され、ヒンジによりフロアへ旋回可能に接合され、各壁部アセンブリは、壁部アセンブリがフロア上にある第１の位置から壁部アセンブリがフロアから離隔方向にある第２の位置へ可動である、２つの壁部アセンブリと、壁部アセンブリ間に延長する、一対の旋回しかつ対向する側壁と、格納装置を形成するように壁部アセンブリへ接合されかつ壁部アセンブリ間に延長される天蓋であって、天蓋は、壁部アセンブリおよびフロアへ接続されかつ壁部アセンブリとフロアとの間に延長される外側布材を少なくとも含み、天蓋は、一対の側壁を格納装置内に封入する、天蓋。
【００４６】
第２１の一般的な態様の実行は、以下の特徴のうち１つ以上を含み得る。可搬式の折り畳み型の少なくとも部分的な格納装置において、一対の側壁はそれぞれ、フロアへ旋回可能に接合される。可搬式の折り畳み型の少なくとも部分的な格納装置において、一対の側壁はそれぞれ、端壁へ旋回可能に接合される。可搬式の折り畳み型の少なくとも部分的な格納装置において、第２の部位は、各側壁へ移動可能に接合される。可搬式の折り畳み型の少なくとも部分的な格納装置において、第２の部位は、各対応する側壁に相対してスライドする。可搬式の折り畳み型の少なくとも部分的な格納装置において、第２の部位は、各対応する側壁に相対して旋回する。
【００４７】
第２２の一般的な態様は、フレームを含む、可搬式の折り畳み型の少なくとも部分的な格納装置を含む。この格納装置は、以下を含む：フレームへ固定されるフロアと、２つの壁部アセンブリであって、壁部アセンブリは、相互に対向して配置され、ヒンジによりフロアへ旋回可能に接合され、各壁部アセンブリは、壁部アセンブリがフロア上にある第１の位置から壁部アセンブリがフロアから離隔方向にある第２の位置へ可動である、２つの壁部アセンブリと、壁部アセンブリ間に延長する一対の旋回しかつ対向する側壁であって、各対向する側壁は、壁部アセンブリそれぞれの内部のノッチと係合する、側壁。
【００４８】
第２３の一般的な態様は、フレームを含む、可搬式の折り畳み型の少なくとも部分的な格納装置を含む。この格納装置は、以下を含む：フレームへ固定されるフロアと、２つの壁部アセンブリであって、壁部アセンブリは、相互に対向して配置され、ヒンジによりフロアへ旋回可能に接合され、各壁部アセンブリは、壁部アセンブリがフロア上にある第１の位置から壁部アセンブリがフロアから離隔方向にある第２の位置へ可動である、２つの壁部アセンブリと、壁部アセンブリ間に延長する一対の旋回しかつ対向する側壁であって、各側壁は、壁部アセンブリのうち１つへヒンジ付けされる、側壁。
【００４９】
第２４の一般的な態様は、フレームを含む、可搬式の折り畳み型の少なくとも部分的な格納装置を含む。この格納装置は、以下を含む：フレームによって支持されかつ静止面、複数の側縁、前縁および後縁を規定する主面を有する静止プラットフォームと、２つの主要プラットフォームであって、各主要プラットフォームは、主要面、内縁、外縁、前縁および後縁を規定する主面を有し、各主要プラットフォームは静止プラットフォームへ接合され、各主要プラットフォームは、関連付けられた主要面および静止面が斜面または直交状である折り畳み位置を有し、各主要プラットフォームは、主要プラットフォームが静止プラットフォームから展開される伸長位置を有する、２つの主要プラットフォームと、壁部アセンブリ間に延長する一対の旋回しかつ対向する側壁であって、各側壁は、主要プラットフォームのうち１つへヒンジ付けされ、側壁は、主要プラットフォームが折り畳み位置にあるときに主要プラットフォームの外部に設けられるようにヒンジ付けされる、側壁。
【００５０】
第２４の一般的な態様の実行は、以下の特徴のうち１つ以上を含み得る。可搬式の折り畳み型の少なくとも部分的な格納装置において、第２の部位は、各側壁へ移動可能に接合される。可搬式の折り畳み型の少なくとも部分的な格納装置において、第２の部位は、各対応する側壁に相対してスライドする。可搬式の折り畳み型の少なくとも部分的な格納装置において、第２の部位は、各対応する側壁に相対して旋回する。可搬式の折り畳み型の少なくとも部分的な格納装置において、天蓋は、端壁間に延長する。可搬式の折り畳み型の少なくとも部分的な格納装置において、天蓋は、主要プラットフォームへ接続される。可搬式の折り畳み型の少なくとも部分的な格納装置において、天蓋は、各側壁の上部へ接続される。可搬式の折り畳み型の少なくとも部分的な格納装置において、各側壁は端壁へ接合され、天蓋は、格納装置の内側に配置される。可搬式の折り畳み型の少なくとも部分的な格納装置において、下側保護アセンブリは、複数の間隔を空けて配置された支持部材のうち少なくともいくつかへ固定されたパネルを含む。可搬式の折り畳み型の少なくとも部分的な格納装置において、複数の間隔を空けて配置された支持部材のうち少なくともいくつかは、下側本体部の下サイドパネルの下側を長手方向に延長する。可搬式の折り畳み型の少なくとも部分的な格納装置において、複数の間隔を空けて配置された支持部材のうち少なくともいくつかは、下側本体部の各側に沿って延長する。可搬式の折り畳み型の少なくとも部分的な格納装置において、複数の間隔を空けて配置された支持部材のうち少なくともいくつかは、下側本体部の下側本体パネルの下側において、下側本体部の第１の側部に沿って延長し、下側本体部の第２の側部に沿って上方に延長する。可搬式の折り畳み型の少なくとも部分的な格納装置において、下側保護アセンブリは、複数の間隔を空けて配置された支持部材を含む。可搬式の折り畳み型の少なくとも部分的な格納装置において、カバー部材は、ヒンジにより１つの主要プラットフォームへ移動可能に接合される。可搬式の折り畳み型の少なくとも部分的な格納装置は、カバー部材の反対側および１つの主要プラットフォームへ接合された縁上に間隔を空けて配置された締結具をさらに含む。
【００５１】
第２５の一般的な態様は、ホイールを有するフレームを含む、可搬式の折り畳み型の少なくとも部分的な格納装置を含む。この格納装置は、以下を含む：フレームによって支持されかつ静止面、複数の側縁、前縁および後縁を規定する主面を有する静止プラットフォームと、静止プラットフォームの下側に保管部を形成する下側本体部と、下側本体を損傷から保護するように構成された下側保護アセンブリ。
【００５２】
第２５の一般的な態様の実行は、以下の特徴のうち１つ以上を含み得る。可搬式の折り畳み型の少なくとも部分的な格納装置において、下側保護アセンブリは、複数の間隔を空けて配置された支持部材のうち少なくともいくつかへ固定されたパネルを含む。可搬式の折り畳み型の少なくとも部分的な格納装置において、複数の間隔を空けて配置された支持部材のうち少なくともいくつかは、下側本体部の下サイドパネルの下側を長手方向に延長する。可搬式の折り畳み型の少なくとも部分的な格納装置において、複数の間隔を空けて配置された支持部材のうち少なくともいくつかは、下側本体部の各側に沿って延長する。可搬式の折り畳み型の少なくとも部分的な格納装置において、複数の間隔を空けて配置された支持部材のうち少なくともいくつかは、下側本体部の第１の側部に沿って、下側本体部の下側本体パネルの下側において延長し、下側本体部の第２の側部に沿って上方に延長する。可搬式の折り畳み型の少なくとも部分的な格納装置において、下側保護アセンブリは、複数の間隔を空けて配置された支持部材を含む。可搬式の折り畳み型の少なくとも部分的な格納装置において、カバー部材は、ヒンジにより１つの主要プラットフォームへ移動可能に接合される。可搬式の折り畳み型の少なくとも部分的な格納装置は、カバー部材の反対側および１つの主要プラットフォームへ接合された縁上において、間隔を空けて配置された締結具をさらに含む。
【００５３】
第２６の一般的な態様は、可搬式の折り畳み型の少なくとも部分的な格納装置を含む。この格納装置は、ヒッチを有する少なくとも部分的な格納装置フレームを含む。可搬式の折り畳み型の少なくとも部分的な格納装置は、少なくとも部分的な格納装置フレームへ接合されかつ静止面、複数の側縁、前縁および後縁を規定する主面を有する静止プラットフォームも含む。可搬式の折り畳み型の少なくとも部分的な格納装置は、一対の主要プラットフォームも含む。各主要プラットフォームは、主要面、内縁、外縁、前縁および後縁を規定する主面を有する。内縁は、主要プラットフォームが静止プラットフォームの反対側の側縁へ接合されるように静止プラットフォームの側縁のうちの１つへ接合され、各主要プラットフォームは、主要面および静止面が斜面または直交状である折り畳み位置を有し、各主要プラットフォームは、主要プラットフォームが静止プラットフォームから展開される伸長位置を有する。可搬式の折り畳み型の少なくとも部分的な格納装置は、一対の端壁アセンブリも含む。この一対の端壁アセンブリにおいて、第１の端壁アセンブリは、主要プラットフォームおよび静止プラットフォームの前縁へ接合され、第２の端壁アセンブリは、主要プラットフォームおよび静止プラットフォームの後縁へ接合され、各端壁アセンブリは３つのセグメントを有し、各セグメントは、セグメント面、側縁、上縁および下縁を規定する主面を有し、各隣接セグメントの対の側縁は相互に接合され、各セグメントの下縁は、静止プラットフォームおよび主要プラットフォームの前縁または後縁のうち１つへ接合され、各端壁アセンブリは、セグメント面が静止面および主要面双方に対して角度を以て設けられる伸長位置を有し、各端壁アセンブリは、折り畳み位置を有する。可搬式の折り畳み型の少なくとも部分的な格納装置は、カバー部材も含む。このカバー部材は、カバー位置へおよびカバー位置から移動するように主要プラットフォームのうち１つの１つの側縁へ移動可能に接合される。このカバー位置において、カバーは、主要プラットフォームが折り畳み位置にある際、少なくとも主要プラットフォーム間の空間を被覆する。
【００５４】
第２６の一般的な態様の実行は、以下の特徴のうち１つ以上を含み得る。可搬式の折り畳み型の少なくとも部分的な格納装置において、カバー部材は、ヒンジにより１つの主要プラットフォームへ移動可能に接合される。可搬式の折り畳み型の少なくとも部分的な格納装置は、カバー部材の反対側および１つの主要プラットフォームへ接合された縁上に間隔を空けて配置された締結具をさらに含む。
【００５５】
第２７の一般的な態様は、少なくとも部分的な格納装置フレームを含む、可搬式の折り畳み型の少なくとも部分的な格納装置を含む。可搬式の折り畳み型の少なくとも部分的な格納装置は、静止プラットフォームも含む。この静止プラットフォームは、少なくとも部分的な格納装置フレームへ接合され、静止面、複数の側縁、前縁および後縁を規定する主面を有する。可搬式の折り畳み型の少なくとも部分的な格納装置は、一対の主要プラットフォームも含む。各主要プラットフォームは、主要面、内縁、外縁、前縁および後縁を規定する主面を有し、内縁は、主要プラットフォームが静止プラットフォームの反対側の側縁へ接合されるように静止プラットフォームの側縁のうちの１つへ接合され、各主要プラットフォームは、主要面および静止面が斜面または直交状である折り畳み位置を有し、各主要プラットフォームは、主要プラットフォームが静止プラットフォームから展開される伸長位置を有し、少なくとも１つの主要プラットフォームは、少なくとも主要プラットフォームを通じて延長するアパチャを含む。可搬式の折り畳み型の少なくとも部分的な格納装置は、一対の端壁アセンブリも含む。これらの端壁アセンブリにおいて、第１の端壁アセンブリは、主要プラットフォームおよび静止プラットフォームの前縁へ接合され、第２の端壁アセンブリは、主要プラットフォームおよび静止プラットフォームの後縁へ接合され、各端壁アセンブリは、３つのセグメントを有する。各セグメントは、セグメント面、側縁、上縁および下縁を規定する主面を有し、各隣接セグメントの対の側縁は相互に接合され、各セグメントの下縁は、静止プラットフォームおよび主要プラットフォームの前縁または後縁のうち１つへ接合され、各端壁アセンブリは、セグメント面が静止面および主要面双方に対して角度を以て設けられる伸長位置を有し、各端壁アセンブリは、折り畳み位置を有する。
【００５６】
第２７のものの実行は、以下の特徴のうち１つ以上を含み得る。可搬式の折り畳み型の少なくとも部分的な格納装置において、各アパチャは、取り外し可能なカバーを含む。可搬式の折り畳み型の少なくとも部分的な格納装置において、主要プラットフォームのうち少なくとも１つは、主要プラットフォームの主面の反対側上に貯蔵ビンを含む。可搬式の折り畳み型の少なくとも部分的な格納装置において、貯蔵ビンは、格納装置の外部から保管計画へのアクセスを可能にするドアを貯蔵ビン上に含む。可搬式の折り畳み型の少なくとも部分的な格納装置は、氷などの地面表面に少なくとも近接する長さのアパチャを通じて挿入可能なシリンダをさらに含む。可搬式の折り畳み型の少なくとも部分的な格納装置において、各アパチャは、取り外し可能なカバーを含む。可搬式の折り畳み型の少なくとも部分的な格納装置は、氷表面などの地面表面に少なくとも近接する長さのアパチャを通じて挿入可能なシリンダをさらに含む。
【００５７】
第２８の一般的な態様は、フレームを含む、可搬式の折り畳み型の少なくとも部分的な格納装置を含む。可搬式の折り畳み型の少なくとも部分的な格納装置は、以下のものも含む：静止プラットフォームであって、静止プラットフォームは、少なくとも部分的な格納装置フレームへ接合され、静止面、複数の側縁、前縁および後縁を規定する主面を有する、静止プラットフォームと、静止プラットフォームの下側に配置された下側本体部であって、下側本体部は、静止プラットフォームの下側の保管位置中に少なくとも１つのアパチャを含む、下側本体部。可搬式の折り畳み型の少なくとも部分的な格納装置は、一対の主要プラットフォームも含む。各主要プラットフォームは、主要面、内縁、外縁、前縁および後縁を規定する主面を有し、内縁は、主要プラットフォームが静止プラットフォームの反対側の側縁へ接合されるように、静止プラットフォームの側縁のうちの１つへ接合され、各主要プラットフォームは、主要面および静止面が斜面または直交状である折り畳み位置を有し、各主要プラットフォームは、主要プラットフォームが静止プラットフォームから展開される伸長位置を有し、少なくとも１つの主要プラットフォームは、少なくとも主要プラットフォームを通じて延長するアパチャを含む。可搬式の折り畳み型の少なくとも部分的な格納装置は、一対の端壁アセンブリも含む。第１の端壁アセンブリは、主要プラットフォームおよび静止プラットフォームの前縁へ接合され、第２の端壁アセンブリは、主要プラットフォームおよび静止プラットフォームの後縁へ接合され、各端壁アセンブリは、３つのセグメントを有し、各セグメントは、セグメント面、側縁、上縁および下縁を規定する主面を有し、各隣接セグメントの対の側縁は相互に接合され、各セグメントの下縁は、静止プラットフォームおよび主要プラットフォームの前縁または後縁のうち１つへ接合され、各端壁アセンブリは、セグメント面が静止面および主要面双方に対して角度を以て設けられる伸長位置を有し、各端壁アセンブリは、折り畳み位置を有する。
【００５８】
第２８の一般的な態様の実行は、以下の特徴のうち１つ以上を含み得る。可搬式の折り畳み型の少なくとも部分的な格納装置において、各アパチャは、取り外し可能なカバーを含む。可搬式の折り畳み型の少なくとも部分的な格納装置は、氷表面などの地面表面に少なくとも近接する長さのアパチャを通じて挿入可能なシリンダをさらに含む。
【００５９】
上記の一般的な態様のいずれかを他の任意の一般的な態様およびその特徴のうちいずれかと組み合わせることが可能である点に留意されたい。
【図面の簡単な説明】
【００６０】
【図１】格納装置の斜視図である。
【図１Ａ】格納装置の一部の詳細な図である。
【図２】格納装置の側面図である。
【図３】格納装置の部品を除去した状態の上面図である。
【図４】格納装置の正面図である。
【図４Ａ】別の格納装置の正面図である。
【図５】格納装置の部品を除去した状態の背面図である。
【図６】格納装置の部品を除去した状態の正面図である。
【図７】格納装置の部品を除去した状態の背面図である。
【図７Ａ】格納装置の部品を除去した状態の背面図である。
【図７Ｂ】格納装置の部分的側面図である。
【図８】格納装置の部品を除去した状態の斜視図である。
【図９】壁部アセンブリの詳細な図である。
【図１０】壁部アセンブリの詳細な図である。
【図１１】格納装置の側面図である。
【図１１Ａ】格納装置の別の側面図である。
【図１２】格納装置の部品を除去した状態の斜視図である。
【図１２Ａ】格納装置の部品を除去した状態の斜視図である。
【図１２Ｂ】格納装置の部品を除去した状態の斜視図である。
【図１３】格納装置の部品を除去した状態の斜視図である。
【図１４】コラプシブル支持レールの詳細な図である。
【図１５】格納装置の部品を除去した状態の部分的斜視図である。
【図１６】格納装置の斜視図である。
【図１６Ａ】格納装置の斜視図である。
【図１６Ｂ】格納装置の斜視図である。
【図１７】格納装置のリアパネルの詳細な図である。
【図１８】格納装置のリアパネルの詳細な図である。
【図１９】格納装置のリアパネルの詳細な図である。
【図２０】格納装置の部品を除去した状態の斜視図である。
【図２０Ａ】格納装置のリアパネルの詳細な図である。
【図２０Ｂ】壁部アセンブリの一部の斜視図である。
【図２０Ｃ】壁部アセンブリの一部の斜視図である。
【図２１】格納装置の屋根の一部の詳細な図である。
【図２２】プラットフォームの一部の詳細な図である。
【図２２Ａ】壁部セパレータの模式図である。
【図２３】壁部の一部の詳細な図である。
【図２４】格納装置の斜視図である。
【図２４Ａ】格納装置の斜視図である。
【図２４Ｂ】格納装置の左側面図である。
【図２４Ｃ】格納装置の右側面図である。
【図２４Ｄ】格納装置の下面図である。
【図２４Ｅ】格納装置の斜視図である。
【図２４Ｆ】格納装置の左側面図である。
【図２４Ｇ】格納装置の右側面図である。
【図２５】格納装置の部品を除去した状態の斜視図の一部の模式図である。
【図２６】格納装置の部品を除去した状態の斜視図である。
【図２７】壁部の一部の詳細な図である。
【図２８】格納装置の斜視図である。
【図２９】壁部の一部の詳細な図である。
【図３０】格納装置の部品を除去した状態の斜視図である。
【図３１】格納装置の部品を除去した状態の斜視図である。
【図３２】格納装置の部品を除去した状態の斜視図である。
【図３３】壁部アセンブリの模式図である。
【図３４】格納装置の正面図である。
【図３５】模式的なパネルである。
【図３６】パネルの模式図である。
【図３７】格納装置の部分的下面図である。例示的実施形態の詳細な説明
【発明を実施するための形態】
【００６１】
本発明の態様について、折り畳み型かつ可搬式の部分的または全体的な格納装置について説明する。この格納装置は、一実施形態において、キャンピングカー（例を非限定的に挙げると、トレーラーへ取り付けられるもの）として特に有利に用いられる。しかし、トレーラーに取り付けられた折り畳み型のキャンピングカーはひとえに一実施形態であり、本発明の態様は、他の折り畳み型または拡張型のトレーラー上でもあるいは必ずしもキャンピング用途ではない他の形態のトレーラー上でもあるいは別の車両またはデバイスによって一般的に牽引される設備上でも採用可能である点に留意されたい。同様に、本発明の態様は、車両（例えば、ピックアップ、トラックまたは船舶）へ取り付けられた折り畳み型の部分的または全体的な格納装置として用いることもできるし、あるいは、このような車両またはトレーラーによって搬送だけしてもよいし、展開時においては輸送車両またはトレーラーから離隔方向に展開される。以下、「キャンピングカー」について述べるが、上記の通り、これは、天蓋または他の屋根構造が存在する場合の格納装置として一般的に理解されるべきであるものの、天蓋または屋根構造は取り外し可能であるため、本発明の態様は、部分的格納装置にも関する。
一般的な説明
【００６２】
図示かつ本明細書中に記載のようなキャンピングカー１０は、米国特許第７，９６７，３６９号および第９，２０５，８８１号に記載のキャンピングカーにも存在する特徴を有する。本明細書中、同文献全体を参考のため援用する。図示の例示的実施形態において、キャンピングカー１０は、トレーラーフレーム１５と、少なくとも１つの主要折り畳み型プラットフォーム２１と、少なくとも１つの壁部アセンブリ２３と、（所望される場合、トレーラーへ取り付けられかつトレーラーによって搬送される場合において）ホイールアセンブリ２５とを含む。ホイールアセンブリ２５は、所望の場合に延長可能（図４）でもあり、幅が退避可能（図１）でもある。これらのコンポーネントは、折り畳み型のキャンピングカー１０を協働的に形成する。キャンピングカー１０は、図２および図４に示すように折り畳み位置１３にあるときに、狭い路でも広い路でも用いることが可能な小さな外形を有する。さらに、キャンピングカー１０は、開口位置１４（図１）において、大型の被覆された生活／保管領域を有する。ここで、可撓性被覆部１７は、壁部アセンブリ２３および主要プラットフォーム２１へ接合され、壁部アセンブリ２３と主要プラットフォーム２１との間に延長される。
【００６３】
図１および図２に示すように、トレーラーフレーム１５は、ヒッチ２４へ接合された舌部２２を持ち得る。ヒッチ２４は、車両（例えば、自動車または全地形車）、またはヒッチ２４を受容することおよびキャンピングカー１０を牽引することを行うように構成された他の任意のモータ駆動型物へ接合され得る。これらのコンポーネントは、トレーラー分野において見受けられるような標準的なサイズ、強度および材料である。舌部２２は、適切なサイズおよび強度の任意の材料であり得る静止プラットフォーム２８を有するフレーム１５へ接合される。静止プラットフォーム２８は、キャンピングカー１０が拡張開口位置１４にある際、主要プラットフォーム２１間にフロアの中央部位を形成する。そのため、静止プラットフォーム２８は、断熱してもよいし、あるいはフロア被覆物（例えば、カーペット）を設けてもよい。静止プラットフォーム２８／フレーム１５は、少なくとも１つのアクセスドア３１（可撓性被覆部１７が除去されている図３を参照）を通じてアクセスすることが可能な１つまたはいくつかの保管区画３３（図２）も含む。所望であれば、キャンピングカー１０が折り畳み位置１３にあるときにアクセスが可能となるように、アクセスドア（単数または複数）をフレーム１５の側部（単数または複数）に沿って設けることができる。
【００６４】
図３を参照して、静止プラットフォーム２８は、静止面３１、複数の側縁３２、前縁３５および後縁３６を規定する主面３０を有する。静止プラットフォーム２８は、フレーム１５へ接合されかつフレーム１５によって支持される。キャンピングカー１０は、少なくとも１つの主要折り畳み型プラットフォーム２１を含む。主要折り畳み型プラットフォーム２１は、主要面４２、内縁４４および外縁４６を有する。図示のような一実施形態において、２つの主要プラットフォーム２１が設けられる。主要プラットフォーム２１の内縁４４は、望ましくはヒンジを介して静止プラットフォーム２８の１つの側縁３２へ接合される。このヒンジは、好適な実施形態において、概して相互に平行な主要面４２および静止プラットフォーム２８を持つ（ただし、同一平面上ではない場合）ように構成される。
【００６５】
図１および図４を参照して、主要プラットフォーム２１それぞれを伸長開口位置１４において支持するために、地面支持部５８が設けられる。地面支持部５８は、地面表面（例えば、泥、砂、タール、砂利）と係合するように構成される。地面支持部５８は、安定化支持システムの一部である。この安定化支持システムは、横方向支持部材６４の端部を受容するフレーム１５へ取り付けられたレシーバ６２を含む。主要プラットフォーム２１は、展開される位置１４においてキャンピングカー１０の各側上に設けられた一対の横方向支持部６４上に配置される。
【００６６】
地面支持部５８は、レシーバ６２から離隔位置にある横方向支持部６４の端部へ取り外し可能に取り付けられ、例えば、地面支持部５８はそれぞれ、横方向支持部６４の端部を内部に延長することができるようにレシーバ６２と類似のサイズを有する端部６６を含む。６３において示す適切なピン、ボルトなどを端部６６および横方向支持部６４中のアパチャを通じて延長させて、地面支持部５８それぞれを所定位置に固定することができる。同様に、ピン、ボルトなど６９をレシーバ６２および横方向支持部６４中のアパチャを通じて延長させて、横方向支持部６４それぞれをトレーラーフレーム１５へ固定することができる。以下に述べるさらなる実施形態において、横方向支持部６４は、フレーム１５からの延長に対して調節可能である。これを図４に示し、図中、左側の横方向支持部６４は、フレーム１５からあくまで部分的に延長するのに対し、横方向支持部６４の残り部分は、静止フレーム２８の下側のフレーム１５の中間部位中へ延長する。右側の横方向支持部６４は、レシーバ６２に存在する締結具６９を受容するアパチャ６７を示す。所望であれば、１つよりも多くのアパチャ６７を設けることにより、横方向支持部６４の延長を調節可能とすることが可能である。
【００６７】
主要プラットフォーム２１は、折り畳み位置５２（図４）を有する。この折り畳み位置５２において、プラットフォーム２１の面および静止面または表面３１を斜面または直交状（例えば、静止プラットフォーム２８に対して非平行または垂直）となるように方向付けることができる。当業者であれば、プラットフォーム２１の静止プラットフォーム２８に対する角度が「頭でっかち」問題およびトランクサイズ問題にどれだけ大きく影響するかを知っている。折り畳み位置５２において、主要折り畳み型プラットフォーム２１は、最外側格納装置として用いられ、トレーラーの残りのコンポーネント（例えば、壁部アセンブリ２３）のうち一部を封入する。主要プラットフォーム２１は、伸長位置５４（例えば、図１）を有する。この伸長位置５４において、プラットフォーム２１および静止プラットフォーム２８は平行であり、一実施形態において同一平面上にある。すなわち、主要プラットフォーム２１は、フロアの一部を形成するため、断熱してもよいし、あるいはカーペットなどのフロア被覆物を所望に有してもよい。一実施形態において、２つの主要プラットフォーム２１が設けられ、１つは静止プラットフォーム２８の各側に折り畳まれる。
【００６８】
再度図１を参照して、キャンピングカー１０は、主に参照符号７２および恐らくは窓９８によって示される少なくとも１つのセグメントを有し得る少なくとも１つの壁部アセンブリ２３も含む。一実施形態において、２つの壁部アセンブリ２３と、３つの壁部セグメント７２Ａ、７２Ｂおよび７２Ｃとが、壁部アセンブリ２３毎に設けられる。壁部アセンブリ２３は、伸長位置１４にある際、折り畳み型のキャンピングカー１０に対してリジッド側を形成する。各壁部セグメント７２は、側縁７６、上縁７８および下縁を有するセグメント面を規定する主面７４を有する。隣接する壁部セグメント７２の側縁７６は好適には、ヒンジ５６を介して接合される。各壁部セグメント７２の下縁８０は好適には、静止プラットフォーム２８および主要プラットフォーム２１のうち１つへヒンジ８１を介して接続される。ヒンジ８１は、必要に応じてステップアップヒンジであってもよい。各壁部アセンブリ２３は望ましくは、伸長位置８６と、折り畳み位置とを有する。伸長位置８６において、アセンブリは、（垂直であり得るが必ずしもそうでなくてもよい）静止プラットフォーム２８および主要プラットフォーム２１に対して壁部を形成するように静止プラットフォーム２８および主要プラットフォーム２１双方に対して角度を持つ。折り畳み位置において、セグメント７２は、例えば主要プラットフォーム２１および静止プラットフォーム２８のうち１つに対して（必ずではないが）平行に設けられるように、相互に配置される。壁部アセンブリ２３のうち１つ以上に、進入および退出のためのドア８２が壁部セグメント中に設けられ得る。
【００６９】
再度図１および図３を参照して、壁部アセンブリ２３が伸長位置８６にある場合、両者間において天蓋１７は、壁部セグメント７２へ固定された屋根および／または壁部を提供するように延長される。天蓋１７は、各主要プラットフォーム２１の外縁へさらに固定され得る。壁部アセンブリ２３が折り畳み位置８４にあるときに天蓋１７を取り付けることができるが、このようなことは不要である。壁部アセンブリ２３間に延長する支柱７１（図８）または他の支持構造は、壁部アセンブリ２３を直立にかつ天蓋１７を伸長位置に保持するための構造的支持を付加するために用いられ得る。一実施形態において、天蓋１７は、当該分野において公知のオーニングテントまたは船舶グレードの布製である（例を非限定的に挙げると、ナイロンおよび／または帆布）。この布は、多様な適切な材料によって構成され得る。例えば、いくつかの布特性を挙げると、穴あき防止、白カビ防止およびカビ防止仕様の適切な紐がある。布は、紫外線保護が得られるような適切な紐を含んでもよい。
主要プラットフォーム（単数または複数）のためのリフト機構
【００７０】
図５を参照して、本明細書中に開示される本発明の一態様は、各折り畳み位置５２と各伸長位置５４との間の主要プラットフォーム２１のリフトまたはその支援が得られるリフト機構１００を含む。リフト機構１００の第１の実施形態を図５に示す。図中、キャンピングカー１０の一部を除去している（例えば、後壁アセンブリ２３および前壁アセンブリ２３の壁部セグメント７２Ａ）。リフト機構１００は、主要プラットフォーム２１をリフトするためのリフト力の提供に加えて、主要プラットフォーム２１を折り畳み位置５２から伸長位置５４へ徐々に移動させることを可能にするための重力に抗う力も提供することができる。
【００７１】
一般的に、リフト機構１００は、垂直支持部１０２およびリフトデバイス１０３を含む。垂直支持部１０２は、静止プラットフォーム２８の高さの上方の上昇部１０４と共にフレーム１５へ接続される。図示の実施形態において、垂直支持部１０２は、キャンピングカー１０の一端上において保管区画１０６（例えば、図２）の一部を形成するかまたは保管区画１０６（例えば、図２）へ接続されるが、垂直支持部１０２を保管区画１０６と共に設けることは不要である。加えて、例示的実施形態において、垂直支持部１０２は、ヒッチ２４に最も近位の端部として本明細書中定義されるキャンピングカー１０の前端上に配置される。この位置は簡便であるが、不要である点に留意されたい。
【００７２】
リフトデバイス１０３は、各主要プラットフォーム２１および垂直支持部１０２へ動作可能に接続される。一般的に、各リフトデバイス１０３は、伸長位置５４にある際、少なくとも主要プラットフォーム２１の折り畳み位置５２への移動を支援するように主要プラットフォーム２１上にリフト力を付与するように構成されるが、有利な実施形態において、リフトデバイス１０３は、キャンピングカーのユーザから支援のみにより、主要プラットフォーム２１を伸長位置と折り畳み位置との間において移動させる。各リフトデバイス１０３は、垂直支持部１０２の部位１０４へ動作可能に接続された第１の端部１０３Ａと、垂直支持部１０２および主要プラットフォーム２１に対して斜面状に延びる作用線を形成するように部位１０４の横の位置において主要プラットフォーム２１へ動作可能に接続された第２の端部１０３Ｂとを有する。なぜならば、第２の端部１０３Ｂは、静止プラットフォーム２８および主要プラットフォーム２１のヒンジ付けされる側縁の横方向にあるかである。
【００７３】
リフト機構１００は、多数の形態をとり得る。図５に示す実施形態において、別個のリフトデバイス１０３が各主要プラットフォーム２１のために設けられ、このリフトデバイス１０３は、テレスコーピング型作動デバイスを含む。例えば、リフトデバイス１０３は、動力付き線形アクチュエータ（油圧、空気圧または電子）を含み得る。油圧または空気圧アクチュエータとして具現化された場合、例えば複動または単動アクチュエータ線１０５が、リフトデバイス１０３それぞれと、加圧流体源（例えば、図５に模式的に示すようなポンプ１０７）との間に設けられる。リフトデバイス１０３が電子的に動作する場合、線１０５は電源ケーブルを示す。リフトデバイス１０３は、寸切ボルトをナットに対して相対回転させることにより延長および退避が可能な寸切ボルトを有するボールねじも含み得る。さらに別の実施形態において、リフトデバイス１０３は、バネ（機械かつ／またはガスにより付勢されたもの）を有する線形アクチュエータを含み得、この線形アクチュエータは、テレスコーピング型部を共に退避させる力を提供するように構成される。線形アクチュエータとして具現化された場合、各端部１０３Ａおよび１０３Ｂは、ブラケット１０６（図６も参照）に示すように垂直支持部１０２および主要プラットフォーム２１へ旋回可能に接合され得、これにより、線形アクチュエータ１０３が退避すると、線形アクチュエータ１０３は、垂直支持部１０２およびブラケット１０６に対して旋回して、主要プラットフォーム２１が折り畳み位置５２にあるときに、線形アクチュエータ１０３は、図５中の破線によって示すように折り畳み位置５２にある主要プラットフォーム２１に対して概して角度を以て設けられる。しかし、これは、限定的なものとしてみなされるべきではない。
【００７４】
図７に示すリフト機構１２０は、回転ドラムまたはホイスト１２２を含む。回転ドラムまたはホイスト１２２に対して、可撓性部材（例えば、ケーブル、ベルト、ストラップ）１２４が主要プラットフォーム２１の縁に固定された可撓性部材１２４の端部へ接続される。上記したリフト機構１００と同様に、リフト機構１２０も、垂直支持部１０２および主要プラットフォーム２１に対して斜面である作用線を有する。なぜならば、第２の端部１０３Ｂは、静止プラットフォーム２８および主要プラットフォーム２１のヒンジ付けされる側縁の横方向であるからである。本実施形態において、各可撓性部材１２４が滑車１２６によってガイドされる箇所において、単一ドラムｌ２２および関連付けられた電子駆動モータが設けられる。所望であれば、別個の駆動装置およびドラムを各プラットフォーム２１のために設けてもよい点に留意されたい。同様に、他の実施形態は、可撓性部材をガイドする任意の滑車を有してもよいし、あるいは各可撓性部材１２４に対して１つよりも多くの滑車を有してもよい。
【００７５】
上記のリフト機構１００または１２０の１つの有利な特徴として、キャンピングカー１０上に位置する点がある。図１および図３を参照して、リフトデバイス１０３または可撓性部材１２４および滑車１２６は、壁部セグメント７２Ａの外面と、垂直支持部１０２の対向する面（これは、上記したように保管区画１０６であり得る）との間に一般的に設けられる凹部１３０内において動作する。凹部１３０の側壁は、壁部セグメント７２Ａの片側ではなく垂直支持部１０２のパネルを形成し得るが、このような側壁が存在する場合でも、凹部１３０は、支持部１０２と壁部セグメント７２Ａとの間にあるものとしてみなされ得る点に留意されたい。
【００７６】
図７は、部品を除去した状態のキャンピングカー１０の背面図である。保管区画１０６のサイドパネル１０９が設けられ得、壁部セグメント７２Ａの外面に対して横断方向に延長し、伸長位置１４にあるときのキャンピングカー１０の内部と、（保管区画１０６中へ延びかつ／またはキャンピングカー１０の封入空間内へ対向する保管区画１０６の表面へ延びる開口を含み得る）少なくとも保管区画１０６の領域との間に通路を形成するように、壁部セグメント７２Ａ中の開口１１１と整合される。サイドパネル１０９は、リフトデバイス１０３が設けられ得る凹部１３０をさらに規定し得る。有利な実施形態において、主要プラットフォーム２１はそれぞれ、各主要プラットフォームが折り畳み位置にあるときに（例えば、図２および図３を参照）凹部１３０のカバーとして機能する充分な長さの延長フランジ１３２を含む。このようにして、リフト機構１００または１２０のコンポーネントは、主要プラットフォーム２１の折り畳み位置内に被覆され、これにより、キャンピングカー１０の輸送時においてリフト機構１００および１２０のコンポーネントも保護される。パネルと整合する壁部セグメント内の開口または構造中の開口（例えば、壁部アセンブリの上昇時の保管区画１０６は、中間壁部セグメント７２Ａだけではなく追加的または代替的開口も含まれる）を他の壁部セグメント７２Ｂおよび／または７２Ｃに設けてもよい点に留意されたい。
壁部アセンブリリフト機構
【００７７】
本発明の別の態様は、リフトまたは作動機構１４０である。このリフトまたは作動機構１４０は、壁部セグメント７２Ａ、７２Ｂまたは７２Ｃのうち少なくとも１つを折り畳み位置から伸長位置へ付勢するための力を提供するように構成される。折り畳み位置において、壁部セグメントは、主要プラットフォーム２１または静止プラットフォーム２８に隣接して下方または近隣に設けられる（かまたはその他の壁部アセンブリ２３上に設けられる）。伸長位置において、壁部セグメントは直立位置にある。好適な実施形態において、作動機構１４０は、壁部セグメントが折り畳み位置へ落下する力に抵抗する力を提供するように、さらに構成される。壁部セグメント７２Ａ、７２Ｂおよび７２Ｃは、１つ以上の可撓性材料製シートを典型的に含むヒンジ５６と共に接合され、壁部セグメント７２Ａ、７２Ｂまたは７２Ｃのうち１つ以上へ付加される力は、壁部アセンブリ７３の上昇または下降をユニットとして支援する。
【００７８】
図９および図１０を参照して、リフト機構は、バネ（例えば、トーションバネ１４２）を含み得る。このバネは、壁部セグメント（例えば、例示的な壁部セグメント７２Ｂ）およびヒンジ８１によって壁部セグメント７２が旋回可能に接続された主要プラットフォーム２１へ動作可能に接続される。一般的に、バネ１４２は、壁部セグメント７２Ｂへ接続された第１の端部１４２Ａと、主要プラットフォーム２１へ接続された第２の端部１４２Ｂとを有する。バネ１４２のトーション要素は、中央部１４２Ｃを含む。図示の実施形態において、トーションバネ１４２は、端部１４２Ａおよび１４２Ｂの端部ならびに中央部１４２Ｃが伸長されるトルクアームまたはトルクバーとして一般的に公知である。この構成は、端部１４２Ａおよび１４２Ｂそれぞれを壁部セグメント７２Ｂおよび主要プラットフォーム２１内にそれぞれ設けられた溝またはチャンネル１４６および１４８内に設け、中央部１４２Ｃは、ヒンジ８１に隣接または近隣に配置されると特に有利である。図示の実施形態において、端部１４２Ａおよび１４２Ｂは、壁部セグメント７２Ｂおよび主要プラットフォーム２１の側縁上に配置される。トルクアームまたはトルクバーに対して、中央部１４２Ｃを伸長させることで、中央部１４２Ｃを壁部セグメント７２Ｃおよび主要プラットフォーム２１の縁に対して平行に設けることも可能になる。中央部１４２Ｃのいずれかの側部に設けられたクランプブロック１５０により、トルクバー１４２が所定位置に保持される。
【００７９】
トーションバネを壁部セグメント７２Ａ、７２Ｂおよび７２Ｃそれぞれに設けてもよいが、トーションバネ１４２を壁部セグメント７２Ｂおよび７２Ｃ間に動作可能に接続させると、その対応する主要プラットフォーム２１それぞれから、全体的な壁部アセンブリ２３を壁部セグメント７２Ｂおよび７２Ｃそれぞれとヒンジ５６を介して接合された壁部セグメント７２Ａと共にリフトすることができるだけの充分な力を得ることが（ドア８２が存在する場合でも）可能になることが判明している。別の実施形態において、１つ以上のトーションバネは、中央壁部セグメント７２Ａへ動作可能に接続され得、壁部セグメント７２Ｂおよび７２Ｃをヒンジ５６を介して接続することにより、壁部セグメント７２Ａへ付加される力により壁部セグメント７２Ａおよび７２Ｂの上昇および下降が可能になる。他の形態のトーションバネも利用可能である点に留意されたい。
前保管区画への内部アクセス
【００８０】
図８において上記および例示したように、前壁アセンブリ２３の壁部セグメント７２Ａ中の開口１１１は、サイドパネル１０９の縁と、壁部セグメント７２Ａが伸長または直立位置にあるときにサイドパネル１０９の上端へ接合される上パネル１１３とによって規定される保管区画１０６のアパチャまたは開口１０７Ａと整合する。そのため、保管区画１０６は、ヒッチ２４と、静止パネル２８の前縁との間のトレーラーフレーム１５へ取り付けられた部分的格納装置とみなされ得る。多様な図に示すように、格納装置１０６は、側部１０６Ａを含む。各側部１０６Ａは、折り畳み位置にある主要プラットフォーム２１（例えば、図２）の前縁（またはフランジ１３２）の１つと整合されるように構成される。一実施形態において、１つ以上の取り外し可能なまたはヒンジ付けされたドアパネル１０６Ｂは、保管区画１０６内へのアクセスが得られるように、側部１０６Ａまたは前部位１０６Ｃ上に所望に設けられ得る。しかし、開口１０７および１１１も整合されることを鑑みると、壁部アセンブリ２３が直立位置にある場合、キャンピングカー１０内部から保管区画１０６内へのアクセスも可能になる。
【００８１】
一実施形態において、キャンピングカー１０内から開口１０７を閉鎖するための単一のドアパネルが設けられ得る。開口１０７により、例えばキャンピングカーを保管区画１０６内に保管することおよびキャンピングカー１０内からアクセスすることを可能にするための所望の１つ以上のデバイスを可能にするための充分に大きな開口が得られる。このような例示的なデバイスまたはコンポーネントを挙げると、ヒータ、プルアウトシンク、プルアウトクックトップ、１つ以上の保管用引き出し、娯楽システム（例えば、ＴＶ、コンピュータ）、またはコンセントまたは水量制御弁を含むパネル（単数または複数）がある。図７に示すような好適な実施形態において、保管区画１０６は、開口１０７上に延びるブレース１５６によって示される水平ブレース（単数または複数）を含む内部支持構造要素を含む。しかし、ブレース１５６に対して横断方向に内部に延びる他のブレースを設けてもよい。これらの内部支持構造要素は、ブラケット１５８によって示される１つ以上の取付ブラケットおよび／またはブレース１５６中のアパチャ１６０によって示される取付アパチャを含み得るが、保管区画１０６内の他の支持構造要素に設けてもよい。上記したデバイスを挙げると、ヒータ、プルアウトシンク、プルアウトクックトップ、１つ以上の保管用引き出し、娯楽システム（例えば、ＴＶ、コンピュータ）があり、あるいは、コンセントまたは水弁を有するパネル（単数または複数）は、少なくとも他のいくつかのデバイスと同じ高さおよび幅を有する前パネルを持つように好適に構成される。また、保管区画内に延びるデバイスの全体的高さおよび幅は好適には、前パネルの選択された高さおよび幅を超えない。これを図７Ａ中に例示する。このようなデバイスを、幅および高さが同じコンポーネント１５５Ａおよび１５５Ｂによって示す。これにより、保管区画１０６内におけるデバイス配置が簡潔になる。例えば、保管用引き出しまたは引き出しアセンブリを、プルアウト型のクックトップ、シンクまたはヒータと同じ寸法にすることができる。このようにして、１つの構成において、ヒータを保管区画１０６の最下側位置に設け、ヒータ取出口パネルを開口１０７下部上へ延ばし、保管用引き出しをヒータ取出口パネルの真上および開口１０７上に配置し、プルアウトクックトップを保管用引き出しの上方に配置する。しかし、ヒータおよびヒータ取出口パネルの高さおよび幅が保管用引き出しと同じである場合、別の構成において、第２の保管用引き出しは、ヒータおよびヒータ取出口パネルを所定位置に配置し得る。さらに、ユーザは、保管用引き出しではなくヒータを所望する場合、引き出しのうち１つとヒータおよびヒータ取出口パネルとを選択的に交換することができる。一実施形態において、２つ以上のデバイスそれぞれが保管用引き出しに見受けられるような類似のスライドを有するため、２つ以上のデバイスを相互交換することができる。
【００８２】
図７Ａおよび図７Ｂを参照して、特に有利な実施形態において、保管区画１０６は、携行可能なトイレ１６３を収容する。このトイレ１６３は、例えば一般的に市販されており、キャンピング時または船舶上において用いられる。典型的には、携行可能なトイレ１６３は、小型で軽量であり、手で携行することができる。トイレ１６３は、端壁アセンブリ２３を開口１０７を通じて直立させた状態にして、キャンピングカー内からアクセスすることができる。よって、ユーザは、トイレ１６３を使用する際にトレーラー内から出る必要が無い。使用したい場合、ユーザは、開口１０７を通じて保管区画１０６内からトイレ１６３を牽引および／またはリフトするだけでよく、使用後は保管区画１０６へ戻す。一実施形態において、トイレ１６３は、可動支持部（例えば、トイレ１６３の側部に（好適には所望のときにトイレ１６３の取り外しを可能にする様態で）取り付けられた間隔を空けて配置されたブラケット１５８（恐らくは延長可能）（図７Ａ））へ取り付けられ得る。図示の実施形態において、可動支持部は、プラットフォームまたはトレイ１６５を含む。プラットフォームまたはトレイ１６５は、区画１０６内に固定され、アクセス開口１０７を介して保管区画１０６内から延ばすことが可能である。このような配置構成により、トイレ１６３を保管区画１０６から牽引し、スライドさせて区画１０６内に戻すことを簡単な取扱にて行うこと可能になる。さらなる実施形態において、トイレ１６３をトレイ１６５に対して取り外し可能に保持するための１つ以上の保持デバイス１６６が設けられ、これにより、キャンピングカー１０の輸送時においてトイレ１６３の方向が固定されるだけでなく、ユーザがトイレ１６３を修理のためにトレイ１６５から接続解除することも可能になる。特に簡便な構成において、保管区画１０６を形成するドア１０６Ｂのうち１つ（例えば、前ドア１０６Ｂのサイドドアのうち片方および／または双方）からトイレ１６３へアクセスすることが可能になる。このようにして、キャンピングカーを折り畳んで輸送構成にした際、トイレ１６３を使用または修理のためにアクセスし、および保管区画１０６から取り外すことが可能になる。
側方支持構造
【００８３】
再度図４および図１１を参照して、本発明の別の態様は、側方支持構造１７０を含む。側方支持構造１７０が折り畳み位置において取り付けられた側に主要プラットフォーム２１が存在する際、この側方支持構造１７０は、フレーム１５へ取り外し可能に固定される。側方支持構造１７０は、キャンピングカー１０の輸送または保管時において物品を高い位置に支持するように、構成される。
【００８４】
有利な実施形態において、側方支持構造１７０は、横方向支持部６４および／またはレシーバ６２をキャンピングカー１０上において支持されるように用いる。一般的に、所望の物品を高い位置に保持するのに適した構成において、側方支持構造１７０は、バー、フック、ラックなどを含む。多くの実施形態において、１つ以上の水平支持バー１７４および１７８ならびに垂直支持バー１７６が、支持構造１７０内に存在する。好適な実施形態において、少なくとも１つの水平支持バー１７４の長さは、キャンピングカー１０に沿って延びて、レシーバ６２からの横方向支持部６４を共にキャンピングカー１０の各端部上において構造的に接続させるような長さである。しかし、図示のキャンピングカー１０は、各プラットフォーム２１を支持するために２つの横方向支持部６４を含むが、これは限定的なものとしてみなされるべきではなく、所望であれば、横方向支持部６４の１つ以上の対を水平支持バーと共に接続しかつ／または横方向支持部６４をキャンピングカーから異なる長さにおいて延ばすように、２つよりも多数の横方向支持部６４および／または関連付けられたレシーバ６２をキャンピングカー１０の長さに沿って配置してもよい点に留意されたい。これにより、１つ以上の物品をキャンピングカーの各側上に保持するために必要なように支持構造１７０を構成することが可能になる。
【００８５】
図１１において、単一の水平支持バー１７４および単一の垂直支持バー１７６は、破線で示す自転車（またはオートバイ）１７８を支持するために用いられるが、この特定の実施形態は、限定的なものとしてみなされるべきではない。支持バー１７４は、横方向支持部６４の端部を受容する地面支持部５８の端部６６に類似するレシーバ８０を含み得る。別の実施形態において、側方支持構造１７０は、外面の周囲ではなく横方向支持部６４へ挿入されるようなサイズのバーを含み得る。追加的にまたは代替的に、支持構造１７０は、クーラーまたは他のコンテナのための水平シェルフ（単数または複数）を含み得る。同様に、ブラケット、クランプなどをパドルボード（単数または複数）、スキー、カヤック、カヌーなどのために設けてもよい。
【００８６】
アクセサリ支持構造の別の実施形態を、図４Ａおよび図１１Ａ中において１７０Ａとして示す。一般的に、支持構造１７０Ａは、折り畳みの旅行構成において、キャンピングカー上に延びるように構成される。支持構造１７０Ａは、レシーバ６２それぞれから延びる横方向支持部６４を含む。折り畳み構成において、垂直支持バー１７６Ａは、各横方向支持部６４の端部からキャンピングカーよりも高い高さまで上方に延びる。上支持バー１７３Ａは、キャンピングカーの後部およびキャンピングカーの前部において、各垂直支持バー１７６Ａの対間において横方向に延びる。典型的には、少なくとも１つ以上の長手方向支持バー１７５Ａは、折り畳み位置において、上支持バー１７３Ａ間においてキャンピングカーの高さを超えて接続および延長される。上支持バー１７３Ａおよび長手方向支持バー１７５Ａは、キャンピングカーの上方の１つ以上のアイテム（例えば、船舶１７７Ａ）を支持する。その後、本実施形態において、このアイテム（例えば、船舶１７７Ａ）は、船体を上方に向けてひっくり返される。上支持バー１７３Ａおよび／または長手方向支持バー１７５Ａは、他の物品をキャンピングカー上において折り畳み位置において支持するために、プレート、フック、ケージ、バスケットなどと共に用いられ得る。さらなる実施形態において、横方向支持部６４は、垂直支持バー１７６Ａ間の距離を調節可能にできるよう、調節可能な様態でテレスコープ状に一定位置まで移動する。同様に、上支持バー１７３Ａは、テレスコーピング型部品などを持つように調節可能であるため、上支持バー１７３Ａの幅を垂直支持バー１７６Ａ間の幅に整合するように調節することが可能である。
ヘリコプターリフトアセンブリ
【００８７】
図２および図４Ａを参照して、レシーバ６２および延長可能横方向支持部６４により、キャンピングカー１０をヘリコプター（図示せず）を用いてリフトする際の取付点が簡便かつ確実になる。一般的に、リフトアセンブリ１７９Ａは好適には、少なくとも４つのリフトケーブル１７９Ｂを含む。各リフトケーブル１７９Ｂは、各横方向支持部６４の端部へ固定されたリングまたは掛けがね１７９Ｃを用いて横方向支持部６４へ固定され、各横方向支持部６４は、１つの位置まで伸長され、関連付けられたリフトケーブル１７９Ｂのために簡便な傾斜角度を提供する各対応するレシーバ６２へ固定される。さらなる好適な実施形態において、さらなるリフトケーブル１７９Ｄは、同様にリングまたは掛けがね１７９Ｃによりキャンピングカー１０の前部位（例えば、舌部２２）へ固定される。リフトアセンブリ１７９は、中間リフト部材１７９Ｅを含み得る。中間リフト部材１７９Ｅには、リフトケーブル１７９Ｂおよび１７９Ｄが接続されるか、あるいは中間リフト部材１７９Ｅは吊上リング１７９Ｆへ直接接続される。図示の実施形態において、吊上リング１７９Ｆは、中間リフト部材１７９Ｅへ固定される。支持構造１７０Ａに起因したリフトケーブル１７９Ｂおよび１７９Ｄとの干渉に応じて、支持構造１７０を設けなくてもよい点に留意されたい。しかし、支持構造をリフトアセンブリ１７９Ａと共に使用することが可能なように、横方向支持部６４の長さおよび／または支持構造１７０Ａまたは本明細書中に記載の他の支持構造を形成するコンポーネント位置を調節することが可能である。
コラプシブル側方支持フレーム
【００８８】
本発明の別の態様は、例えば図１２および図１３に示すコラプシブル側方支持フレーム１８０である。側方支持フレーム１８０は、少なくとも１つの可動伸長型水平支持部１８２を含む。これらの可動伸長型水平支持部１８２は、第１の位置から第２の位置へ選択的に移動するように、主要プラットフォーム２１へ固定される。第１の位置において、伸長型水平支持部１８２は、主要プラットフォーム２１の主要面２１Ａに対して平行かつその近隣にある。第２の位置において、伸長型水平支持部１８２は、主要プラットフォーム２１の静止プラットフォーム２８の反対側の側または外縁２１Ｂに対して概して平行な主要面２１Ａよりも上方にある。支持フレーム１８０の端部１８４は、壁部アセンブリ２３（図示の例において、壁部アセンブリ２３が伸長位置にあるとき、壁部セグメント７２Ｂ）それぞれと係合する。好適な実施形態において、支持フレーム１８０は、（好適にはプラットフォーム２１の外縁２１Ｂの近隣においてヒンジ１８６によって）主要プラットフォーム２１Ｂへ旋回可能に接合される。さらなる好適な実施形態において、ヒンジ１８６はそれぞれ伸長型支持部１８８へ取り付けられ、横断支持部１９０は、支持フレーム１８０を単一の矩形構造としてリフトすることができるように、支持部１８０を支持部１８８へ接合させる。
【００８９】
図１４は、端部１８４を詳細に示す。クラスプ１９２は、壁部セグメント７２Ｂへ取り付けられ、端部１８４を含む突起１９４を解放可能に受容する。クラスプ１９２は好適には、１つ以上のバネまたは例えばバネとして機能する少なくとも若干可撓性の材料製のクラスプコンポーネント１９２Ａおよび１９２Ｂのうち１つ以上により接続されたクラスプコンポーネント１９２Ａおよび１９２Ｂ（例えば、フィンガー、プレート）を含む。突起１９４がクラスプ１９２へ挿入されると、コンポーネント１９２Ａおよび１９２Ｂは、相互に離隔方向に分離される。図示の実施形態において、端部１８４がクラスプ１９２から離隔方向に牽引されると、クラスプ１９２は、突起１９４を解放させる。
【００９０】
図１２に示すさらなる実施形態において、パネル１８０Ａは、矩形支持フレーム１８０を含む支持部１８２、１８８および１９０のうち１つ以上へ取り付けられ得る。プラットフォーム２１の表面２１Ａの視認が可能なようにパネル１８０Ａの一部を分離しているが、パネル１８０Ａは支持フレーム１８０の全体的長さに沿って延びることが多い。支持フレーム１８０が直立状態であり、壁部アセンブリ間の所定位置にある場合、パネル１８０Ａは、可撓性布材１７上に被覆物を提供して、壁部アセンブリ間にキャンピングカーの側壁を形成する。そのため、パネル１８０Ａは、キャンピングカーの側布壁部に隣接してアイテムが配置された際、布材１７を損傷から保護する。支持フレーム１８０が以下に述べるような簡易ベッドまたはテーブルベンチなどとして機能するさらなるコンポーネントを含む場合、パネル１８０Ａにより、簡易ベッド、テーブル、ベンチなどの下側で寝ている人に対して安心感を付与することができる。
【００９１】
図１５に示す支持フレーム１８０は、キャンピングカー１０内において有用なコラプシブル構造を形成するために用いられ得る。このような構造の一例を、対向する壁部アセンブリ２３それぞれの壁部セグメント７２Ａ間に示す。本例において、コラプシブル側方支持フレーム１８０は、上支持フレーム１９８を形成するように横方向支持部１９６Ａによって相互に固定された複数の水平支持部１９４Ａおよび１９４Ｂを含む。上支持フレームは、支持フレーム１８０の端部１８４が壁部アセンブリ２３それぞれと係合する高い位置に伸長型水平支持部１８２がある際、プラットフォーム２１の主要面２１Ａよりも高い位置まで移動される。好適な実施形態において、水平支持部１９４Ａは、ヒンジ２００により支持部１８２へ接合されるため、コラプスト位置において支持フレーム１８０が対向する壁部アセンブリ２３間に直立状態である場合または支持フレーム１８０が保管位置においてプラットフォーム２１に対して配置されている場合、上支持部１９８を支持フレーム１８０内に保持することができる。上支持フレーム１９８を高い位置に保持するために、第２の垂直支持部２０２は好適には、相互に離隔した位置において上支持フレーム１９８へ旋回可能に接合される。第２の垂直支持部２０２はそれぞれ、同様に支持フレーム１８０内にネスト状に配置され、支持フレーム１８０は、本明細書中上支持フレーム１９８内に同様にネスト状に配置される。一実施形態において、上支持フレーム１９８は、剛性パネルも含み得る。剛性パネルのごく一部を２０４において示す。このようにして、コラプシブル支持フレーム１８０は、上支持フレーム１９８の表面２１Ａを超えた高さに応じて、テーブルまたはベンチとして機能することができる。パネル２０４は、ベッドを形成するマットレスなどを用いた支持睡眠面を提供するために、用いられ得る。所望であれば、部位２０４は、簡易ベッドを睡眠面として提供できるよう、上支持フレーム１９８上において伸縮させることが可能な布の一部も示し得る。
【００９２】
上記において設けた多様なコンポーネントをネスト状することにより、図３に示すように、支持フレーム１８０を上フレーム１９８および第２の垂直支持部２０２と共に主要プラットフォーム２１の表面２１Ａに対して平坦に配置することが可能になる。コラプシブル支持フレーム１８０は、主要プラットフォーム２１へ固定されるため、主要プラットフォーム２１が折り畳み位置５２へ上昇されたとき、コラプシブル支持フレーム１８０は主要プラットフォーム２１へ固定されたままとなる。壁部アセンブリ２３の壁部セグメント７２Ａおよび７２Ｂを静止プラットフォーム２８および主要プラットフォーム２１へ接続させるヒンジ８１の高さは、壁部セグメント７２Ａおよび７２Ｂが相互にまた表面２１Ａに対して平坦に配置されかつコラプシブル支持フレーム１８０を壁部セグメント７２Ａおよび７２Ｂと表面２１Ａとの間に確保するような高さである。
【００９３】
図１２Ａに示す別の実施形態において、上支持フレーム１９８は、例えば少なくとも２つの異なる動作可能幅を持つように延長可能である。第１の動作可能幅位置は、簡易ベッドとして機能する場合に人が寝るのに適した幅に対応し、第２の動作可能幅位置は、２人が寝るのに適した幅（例えば、標準的なクイーンサイズのマットレス（幅約６０インチ）を収容できるだけの幅）に対応する。図１２において、上支持フレーム１９８が第１の動作可能幅位置にあるとき、上支持フレーム１９８の幅は、図１５に示す幅と同様である。図１２Ａに示す上支持フレーム１９８は、第１の動作可能幅位置よりも幅広の第２の動作可能幅位置にある。第２の動作可能幅において、上支持フレーム１９８は、図１２中の主要プラットフォーム２１に対する図１２Ａ中の静止プラットフォーム２８によって支持される脚２０２の位置に起因して、主要プラットフォーム２１および静止プラットフォームのヒンジ付けされた接合縁３２を超えて延びる点に留意されたい。
【００９４】
図１２および図１２Ａの実施形態において、横方向支持部１９６Ａおよび１９６Ｂは、２つの動作可能位置において接続可能である延長可能な部位（例えば、テレスコーピング型部品製のもの）から形成される。例えば脚部２０２と同様の折り畳みを提供するように、さらなる脚部２０３が、例えば横方向支持部１９６Ａおよび１９６Ｂへヒンジ付けされるように設けられ得る。図示の実施形態において、脚部２０３は、上支持フレーム１９８が第１の動作可能幅または第２の動作可能幅に構成されているのと無関係に同一位置にある一方、脚部２０２は異なる位置へ移動する。換言すれば、各脚部２０３は、関連付けられた横方向支持部１９６Ａへ一端において旋回可能に接続され、各脚部２０３の第２の端部は表面２１Ａと接触する。所望であれば、別の水平支持部１９４Ｃが横方向支持部１９６Ａ間において延び得、水平支持部１９４Ｂへ接続された中間旋回可能に接続された脚部２０２と同様の旋回可能に接続された脚部を持ち得る。
【００９５】
各横方向支持部１９６Ｂは、例えば相互に（例えばテレスコーピング型のように）スライドするように、各関連付けられた横方向支持部１９６Ａへ移動可能に接続される。支持部１９４Ｂの端部における脚部２０２は、支持部１９４Ｂまたは横方向支持部１９６Ｂの遠隔端部へ旋回可能に接続される。第２の動作可能幅において、脚２０２は、静止プラットフォーム２８と接触する。
【００９６】
図１２および図１２Ａにおいて、上支持フレーム１９８は、１人または２人用マットレスなどのための支持表面を形成するために用いられ得る任意選択のパネル２０５を支持する。図１２および図１２Ａにおいて、横方向支持部１９６Ａへ旋回可能に接合された脚部２０３を例示するために、パネル２０５を分離している。パネル２０５は、２つの部位２０５Ａおよび２０５Ｂを含み得る。パネル部位２０５Ａの幅は、第１の動作可能幅に対して充分であり、パネル部位２０５Ａおよび２０５Ｂは、第２の動作可能幅に対して共に充分な幅である。所望であれば、パネル部位２０５Ａおよび２０５Ｂをヒンジ付けすることができ、その場合、上支持フレーム１９８が第１の動作可能幅で構成された場合、パネル部位２０５Ｂはパネル部位２０５Ａと重複する。そのため、上支持フレーム１９８が主要プラットフォーム２１に対して平坦に配置された場合、パネル２０５を折り畳み、上支持フレーム１９８と共に平坦に配置することができる。
【００９７】
図１２ｂに示すさらなる実施形態において、支持部１９６Ａおよび１９６Ｂを相互に延長可能とするのではなく（模式的に示す）第２の部位１９８Ａを支持部１９４Ｂおよび１９６Ａへ取り付けることにより上支持フレーム１９８を第２の動作可能幅まで延長することができる。第２の部位１９８Ａは、支持部１９４Ｂに対して実質的に平行な支持部２０７を含み、支持部２０９Ａおよび２０９Ｂは、支持部１９６Ａおよび１９６Ｂに対して実質的に平行である。第２の部位１９８Ａは、支持部２０７、２０９Ａおよび／または２０９Ｂへヒンジ付けされるかまたは支持部２０７、２０９Ａおよび／または２０９Ｂから取り外し可能であり得る脚部２１１を含む。
【００９８】
必要な場合、上記実施形態のうちいずれかにおいてパネル２０５へ所望の剛性を付与するために、さらなる脚部、横方向または水平支持部を設けてもよい点に留意されたい。
支持面として機能する、取り外し可能な後カバー
【００９９】
本発明の別の態様は、キャンピングカー１０の後カバー２５０（図１６）である。この後カバー２５０は、テーブルとして機能するように、退避させて、キャンピングカー１０の他のコンポーネントへ固定することができる。後カバー２５０は、下縁２５２、（折り畳み旅行位置にあるキャンピングカー１０へ取り付けられた場合に）下縁２５２よりも短尺である上縁２５４と、一対の側縁２５６とを有する。各側縁２５６は、静止プラットフォーム２８がその各折り畳み位置にあるときの主要プラットフォーム２１の傾斜角度に対応する角度と実質的に一致する角度において、下縁の角部２５２から上縁の角部２５４へ延びる。ラッチ２５８により、後カバー２５０は主要プラットフォーム２１それぞれへ固定され、一対の取付台２６０（そのうち１つを図１７に示す）がフレーム１５へ固定される。各取付台２６０は、後カバー２５０の下縁２５２へ固定された部位または連結器２６４のピン２６５を取り外し可能に受容するフック２６３を含む。
【０１００】
ラッチをロック解除し、後カバー２５０をキャンピングカー１０の後部の位置から取り外すと、後カバー２５０をキャンピングカー１０の内外における多数の位置のうちいずれか１つの位置に配置させて、テーブルとして機能させることができる。図８に示す第１の例示的位置において、後カバー２５０は、開口１１１上において壁部セグメント７２Ａへ取り付けられる。図１８および図１９を参照して、取付台２８０が、壁部セグメント７２Ａへ固定された開口１１１の各側に設けられる。取付台２８０も、連結器２６４のピン２６５を受容するフック２８３を含む。ストップまたはフランジ要素２９０により、ストップ２９０が外れない限り、ピン２６５のフック２８３からの上方移動が抑制される。図示の実施形態において、ストップ２９０は、重力の影響により下方に懸下されたピン２９２から旋回して自身の位置を維持することにより、ピン２６５がフック２８３から離脱するのを抑制する。後カバーを取付台２８０から取り外したい場合、遮断要素が無くなるように、ストップ２９０を回転させる。
【０１０１】
再度図８を参照して、後カバー２５０は、縁２５４に概して近位の端部において脚部３００によって支持される。好適な実施形態において、脚３００は、後カバー２５０の内面へ少なくとも部分的に取り外し可能に取り付けられる。例えば、脚３００は、一端において後カバー２５０の内面へ接合され得、これにより、所望のときに脚３００をカバー２５０の内面に対して実質的に直交方向に下方に回転または旋回させることが可能になる。テーブル脚として機能しない場合、（主要プラットフォーム２１へ固定された後カバーとして機能するように再度キャンピングカーへ取り付けられたときに）脚部３００をカバー２５０の内面に対して実質的に平行になるように回転させることができる。
【０１０２】
上記したように、後カバー２５０は、上記した取付台２８０と同様の一対の取付台であるキャンピングカー上の多数の位置へ取り付けることができる。図３、図２０および図２０Ａを参照して、後カバー２５０の縁２５２は、コラプシブル支持フレーム１８０のコンポーネント（例えば、水平支持部１８２）へ固定され得る。所望であれば、取付台２８０と同様の取付台３１０を移動可能に支持部１８２へ固定することができ、これにより、二重矢印３１１によって示すように、取付台３１０および後カバー２５０を所望に支持部１８２に沿って容易に移動させることができる。
【０１０３】
所望であれば、キャンピングカー１０のフロア空間を自由に使うことができるように、後カバー２５０を上方にチルトさせることもできる。例示の実施形態において、取付台３１０は、取付台３１０の部材３１５Ａおよび３１５Ｂ間にヒンジ３１３を含む。フック２８３およびストップ２９０は、部材３１５Ａへ取り付けられ、後カバー２５０と共に垂直位置または少なくとも垂直方向に傾斜した高い位置へ回転される。支持部３１５Ｃ、下面１８２Ｂの周囲の支持部１８２の内方に対向する表面１８２Ａから後面１８２Ｃに沿って延び、部材３１５Ｂと共に単一の一体構造本体へ接合されるかまたは一体形成されるため、所望であれば二重矢印３１１によって示される方向を除いて取付台３１０の全ての動きを抑制する。ヒンジ３１３と同様のヒンジが、取付台フック２８３およびストップ２９０を所望であれば図１９に示す位置と同様の位置へ取り付けるために用いられ得る。
【０１０４】
後カバー２５０が上方にチルトするように構成されている場合、後カバー２５０を高い位置に保持するために、フックまたはキャッチ３１７が図８に示すように設けられる。好適には、脚３００を後カバー２５０の下方に対向する表面に高い位置において取り外し可能に固定できるように、脚３００もヒンジ付けされる。後カバー２５０を支持部１８２へ取り付ける場合、図２０に示す壁部アセンブリ２３間に延びる支柱３１６が設けられ得る。後カバー２５０が支持レール１８２へ取り付けられると、キャッチ３１７がスライド可能に支柱３１６へ取り付けられて、同様に後カバー２５０を高い位置に支持する。
【０１０５】
再度図２０を参照して、対の取付台２８０は、他の壁部セグメント（例えば、壁部セグメントの外面）上に例えば３２０において、壁部セグメントの他の内面に例えば３２２に設けられ得る。所望であれば、取付台が外縁上に例えば３２４において設けられる場合、後カバー２５０を主要プラットフォーム２１へ取り付けてもよい。後カバーの位置および／または所望の高さに応じて、脚３００は、テレスコーピング型部位などを内包することにより、長さが調節可能である。
取り外し可能な上カバー
【０１０６】
同様に、図１６中に破線で図示される、キャンピングカー１０の上カバー３１９（キャンピングカー１０が全体的に折り畳み位置にあるときに用いられ、壁部アセンブリ２３の折り畳み部位間の空間を上方から封入するように主要プラットフォーム２１の外縁２１Ｂを被覆するかまたは外縁２１Ｂと協働する）を、例えば図２０に示すようにテーブルまたはシェルフにおいて用いてもよい。上カバー３１９は、キャンピングカー１０の輸送時において上カバー３１９を所定位置に保持する適切なクリップ、クラスプまたは他の図示しない締結具を含む。キャンピングカー１０をセットアップしたい場合、上カバー３１９を図１６に示す位置から取り外す。一実施形態において、上カバー３１９は、キャンピングカー１０（例えば、図２０に示すように外縁２１Ｂのうち１つ）へ取付要素（３２３において模式的に示す）（例えば、適切なクリップ、クラスプまたは他の締結具であり、形態は異なり得る）を用いて取り付けられ得る。所望であれば、１つ以上の脚３２１は、テーブルまたはシェルフとして機能する場合、上カバー３１９の支持を支援するためにも用いられ得る。脚３２１は、テレスコーピング型などであることにより、長さが調節可能であり得る。後カバー２５０のための脚部３００と同様に、脚（単数または複数）３１９は、図２０中の破線に示すように使用していないときに内面または下面に取り付けてもよく、脚（単数または複数）３２１を保管位置から脚（単数または複数）３２１が支持として用いられる位置へ容易に移動させることができるように、下面へ旋回可能に取り付けてもよい。上カバー３１９は、２つ以上のパネル３１９Ａおよび３１９Ｂ（それぞれ、１つ以上の脚３２１を含む）を含み得、これにより、パネル３１９Ａおよび３１９Ｂをキャンピングカー１０の部位（単数または複数）へ取り付けられた異なる位置において使用するか、または適切な数の脚３２１を含む自立型テーブルとして使用することが可能になる点にも留意されたい。
【０１０７】
図１６Ａおよび図１６Ｂは、キャンピングカー１０の別の形態のカバー３１９’を示す（キャンピングカー１０が図１６中破線にて示す全体的に折り畳み位置にあるときに、壁部アセンブリ２３の折り畳み部位の間の空間を上方から封入するようにカバー主要プラットフォーム２１の外縁２１Ｂを被覆するかまたは外縁２１Ｂと協働する）。カバー３１９’は、主要プラットフォーム２１の壁部の外向きに対向する縁部位２１Ｂと重複する側壁３１９Ａ’を有し得る。同様に、後壁部３１９Ｂ’は、後カバー２５０の一部と重複する。前壁３１９Ｃは、保管区画１０６の一部またはそこに取り付けられたシールと隣接するように設けられ得る。
【０１０８】
本実施形態において、カバー３１９’は、ヒンジ機構３２９により１つの長手方向縁に沿ってヒンジ付けされる。ヒンジ機構３２９は、任意の数の形態をとり得る。一実施形態において、所望のときにヒンジ機構３２９によりカバー３１９’を主要プラットフォーム２１から接続解除することができる。例示的実施形態において、ヒンジ機構３２９は、カバー３１９’に対する１つの長手方向縁上および主要プラットフォーム２１に対して反対側の長手方向縁上に接続された可撓性布３２９Ａから形成される。布３２９Ａの縁の長手方向縁はそれぞれ、スロット付きチャンネル３３３Ａおよび３３３Ｂに挿入された拡張縁を有し得る。スロット付きチャンネル３３３Ａおよび３３３Ｂは、例えばＫｅｄｅｒ（Ｓｈｅｎｚｈｅｎ、Ｃｈｉｎａ）から販売されている布チュービングまたは船舶用ロープから形成され得る。この形態の布接続について、キャンピングカー１０の多様な部位へ接続された他の布について、以下により詳細に説明する。締結具３３７は、カバー３１９’を下方にヒンジ機構３２９と反対側の長手方向側上に保持する。締結具３７は、所望であれば可撓性かつ／または伸縮性のストラップへ接続されたスナップ、面ファスナー、ラッチ、紐などを含み得る。図示の実施形態において、伸縮性コネクタ３３７が図示される。所望であれば、プラットフォーム２１が下降されると、カバー３１９’はプラットフォーム２１に取り付けられたままであるため、カバー３１９’は実質的に垂直に懸下される。こうすると、主要プラットフォーム２１の下側に、プラットフォーム２１の下に配置されたアイテムを雨などから遮蔽するより強固に保護された領域が形成されるため、有利であり得る。
【０１０９】
一実施形態において、主要部位３１９Ｄ’ならびに壁部３１９Ａ’、３１９Ｂ’および３１９Ｃ’は、例えば、リジッドに相互に接続されたかあるいは単一の一体構造本体としてスタンプまたは形成された剛性パネルから一体形成され得る。別の実施形態において、主要部位３１９Ｄ’ならびに壁部３１９Ａ’、３１９Ｂ’および３１９Ｃ’のうち１つ以上は、可撓性が得られるように相互に接続することができ、これにより、接合されたパネルが相互に若干移動することが可能になる。さらに別の実施形態において、主要部位３１９Ｄ’ならびに壁部３１９Ａ’、３１９Ｂ’および３１９Ｃ’のうち１つ以上は、可撓性布製であり得る。必要ならば、主要部位３１９Ｄ’ならびに／あるいは壁部３１９Ａ’、３１９Ｂ’および３１９Ｃ’を主要プラットフォーム２１Ｂの壁部、保管区画１０６および／または後カバー２５０へ接続させるためにさらなる締結具が設けられ得る。
壁部アセンブリおよびその保管のための支柱
【０１１０】
図８、図２０、図２０Ｂおよび図２０Ｃを参照して、対向する壁部アセンブリ２３からキャンピングカーの内側の長手方向長さ対反対側の壁部アセンブリ２３の支柱３１６の端部の垂直高さに応じて、支柱３１６それぞれおよび支柱７１をテレスコーピング型にすると有利であり得る。本明細書においては、各支柱７１がテレスコーピング型部位７１Ａおよび７１Ｂを含み、各支柱３１６がテレスコーピング型部位３１６および３１６Ｂを含む様子が図示されている。
【０１１１】
特に有利な実施形態において、例えば図１６に示すようにキャンピングカーが折り畳み位置にあるとき、支柱７１および／または支柱３１６を静止した状態で固定することができる。先ず図２０Ｂに示すような支柱７１を参照して、各支柱の第１の端部７１Ｃは、非伸長時に壁部セグメント７２Ａに対して概して平行な下方において各支柱７１を第１の端部７１Ｃから下方に懸下するように、前壁アセンブリ２３の壁部セグメント７２Ａへ旋回可能に固定され、これにより、端部７１Ｄは静止プラットフォーム２８により近接して配置される（図２０Ｃ）。好適には、下側保持デバイス３２５は、端部７１Ｄを固定されかつ取り外し可能な様態で保持するように前壁アセンブリ２３の壁部セグメント７２Ａ上に設けられ、これにより、壁部アセンブリ２３が静止プラットフォーム２８に対して概して平行に設けられているときに壁部セグメント７２Ａを下側位置から図８に示す直立位置からまたは図８に示す直立位置へ移動させる際、各支柱７１は、壁部セグメント７２Ａに対して概して平行なまま保持される。下側保持デバイス３２５は、多数の形態をとり得る（例を非限定的に挙げると、クラスプ、ストラップ、クリップ、ラッチ、ソケット、面ファスナー）。図示の実施形態において、端部７１Ｄは、端部７１Ｄから延びるより幅狭の突起７１Ｅを含む。下側保持デバイス３２５は、若干コンプライアントなプレート部材３２５Ａを含む。プレート部材３２５Ａは、端部７２Ｄ全体ではなく突起７１Ｅを受容するように構成されたアパチャ３２５Ｂを有する。プレート部材３２５Ａは、突起７１Ｅをアパチャ３２５Ｂに挿入できるように、若干撓む。次に、プレート部材３２５Ａは跳ね返り、これにより、壁部アセンブリ２３の上昇または下降時において突起７１Ｅがアパチャ３２５Ｂから退出することが抑制される。
【０１１２】
所望であれば、支柱３１６を上昇時または下降時に壁部アセンブリ２３上に保存してもよい。特に簡便な位置において、各支柱３１６は、支柱７１のうち１つに隣接して配置される。支柱３１６それぞれを支柱７１のうち１つに対して概して平行に保持するように、１つ以上の保持部材３２７が壁部セグメント７２Ａ上に設けられる。図示の実施形態において、２つの間隔を空けて設けられた保持部材３２７が設けられる。保持デバイス３２５と同様に、保持部材３２７は、多数の形態（例を非限定的に挙げると、クラスプ、ストラップ、ラッチ、ソケット、面ファスナー）をとり得る。図示の実施形態において、保持部材３２７は、支柱３１６を一定位置において保持部材３２７に対して保持するだけの充分な圧力で支柱３１６の外面を部分的に包囲するように構成されたクリップを含む。
天蓋の取り外し可能な部位
【０１１３】
図２１〜図２４に示す有利な実施形態において、天蓋１７は、外側布層１７Ａおよび内側布層１７Ｂを含む。外側布層１７Ａおよび内側布層１７Ｂはそれぞれ、壁部アセンブリ２３がキャンピングカー１０の折り畳み輸送構成にあるときから伸長構成へと、壁部アセンブリ２３へ固定的に接続される。伸長構成において、壁部アセンブリ２３はプラットフォーム２１から展開され、直立される。図２１に示すように、キャンピングカー１０は、外側布層１７Ａおよび内側布層１７Ｂそれぞれのために複数の布支持接続部３５０Ａおよび３５０Ｂも含み得る。布支持接続部３５０Ａおよび３５０Ｂは、前および後壁部アセンブリ２３の縁３５２および３５４に沿ってそれぞれ延び、主要プラットフォーム２１の縁２１Ｂに沿って延びる。支持接続部３５０Ａおよび３５０Ｂは、キャンピングカー１０の伸長位置または展開位置において布１７Ａおよび１７Ｂを相互に離隔位置に保持するように間隔を空けて配置され、これにより、所望であれば、両者間に空気を捕獲し、これにより、遮蔽された屋根および側壁が提供される。
【０１１４】
図１０、図２１および図２２中の縁３５２を例示的に参照して、布支持接続部３５０Ａおよび３５０Ｂはそれぞれ、長細スロット付きチャンネル３４３Ａおよび３４３Ｂのための横方向縁支持部３４２を有する。布１７Ａおよび１７Ｂは、スロット付きチャンネル３４３Ａおよび３４３Ｂのスロットから延びる。スロット付きチャンネル３４３Ａおよび３４３Ｂは、単一の一体構造本体（例えば、単一の延長部３４４）から一体形成され得る。壁部アセンブリ２３について示す実施形態において、延長部３４４はＬ字型であり、ここで、外側布１７Ａのスロット付きチャンネル３４３Ａが壁部セグメント７２の外縁に沿って配置され、接続部３５０Ａおよび３５０Ｂそれぞれの横方向縁支持部３４２が共に接続されて、延長部３４４の支持部３４５Ａおよび３４５Ｂを形成する。支持部３４５Ａは、壁部アセンブリ２３の壁部セグメント７２の外縁を被覆し、支持部３４５Ｂは、壁部アセンブリ２３の壁部セグメント７２の内方に対向する表面上に配置される。別の実施形態において、長細スロット付きチャンネル３４３Ａおよび３４３Ｂは一体構造（すなわち、単一の一体構造本体）ではなく、所望であれば締結具（例を非限定的に挙げると、接着および／または壁部セグメント７２へ取り付けられた複数のピン３４５）により接続された別個のピースである。
【０１１５】
図１０および図２２に示すように、主要プラットフォーム２１のための布支持接続部３５０Ａおよび３５０Ｂは、布１７Ａおよび１７Ｂのためのスロット付きチャンネル３５３Ａおよび３５３Ｂも含み、相互に間隔を空けて配置されかつ布１７Ａおよび１７Ｂの部位を両者間に延長させてスロット（本明細書においては上方への開口）を有する点において、縁３４２および３４４上に配置されたスロット付きチャンネル３４３Ａおよび３４３Ｂと実質的に同様である。縁３４２および３４４上に配置されたスロット付きチャンネル３４３Ａおよび３４３Ｂと同様に、縁２１Ｂに沿って配置されたスロット付きチャンネル３５３Ａおよび３５３Ｂは、プラットフォーム２１それぞれの縁２１Ｂへ固定されるかまたは単一の一体構造本体から一体形成された（図示のような）別個の部分であり得る。
【０１１６】
この時点において、布１７Ａおよび１７Ｂは、その縁において、スロット付きチャンネル３４３Ａ、３４３Ｂおよび３５３Ａ、３５３Ｂに挿入された拡張端部３６２を持ち得る。スロット付きチャンネル３４３Ａ、３４３Ｂおよび３５３Ａ、３５３Ｂは、例えば布チュービングまたは船舶用ロープ（例えば、（Ｓｈｅｎｚｈｅｎ、Ｃｈｉｎａ）から販売されているもの）から形成され得る点に留意されたい。
【０１１７】
図１および図１Ａ中に図示される実施形態において、前および後壁部アセンブリ２３のための延長部３４４は、その縁に沿って連続的に延びるのではなく、３つの部品を含む。延長部３４４の第１の部品３４４Ａは、壁部アセンブリ２３の側縁のうち１つから開始し、ヒンジ５６の第１の端部５６Ａに到達するまで、壁部アセンブリ２３の上縁を通じて長手方向に延びる。側延長部３４４の第２の延長部部品３４４Ｂは、ヒンジ５６の第２の端部５６Ｂから開始し、第２のヒンジ５６の第１の端部５６Ｃの周囲において曲線状に設けられる。側延長部３４４の第３の部品３４４Ｃは、第２のヒンジ５６の第２の端部５６Ｄから開始され、上縁において若干曲線状に設けられ、垂直縁に沿って下方に延びる。換言すると、延長部３４４Ｂは、壁部アセンブリ２３それぞれの中間壁部セグメント７２Ａの上縁に沿って配置され、延長部３４４Ａおよび３４４Ｃは、壁部アセンブリ２３それぞれの側壁セグメント７２Ｂおよび７２Ｃの縁に沿って配置される。延長部３４４Ａ、３４４Ｂおよび３４４Ｃに隣接する端部の布接続部３５０Ａおよび３５０Ｂはそれぞれ、布１７Ａおよび１７Ｂの拡張端部３６２が１つの延長部から別の延長部へ延びるように、相互に整合される。
【０１１８】
フラップまたはカバー３６４は、壁部セグメント７２Ａ〜７２Ｃ上の布接続部３５０Ａおよび３５０Ｂが（壁部セグメント７２Ａ〜７２Ｃ間のヒンジ５６に起因して）相互に分離される場所であるヒンジ５６を被覆するように、設けられる。これらのカバーまたはフラップ３６４により、布接続部３５０Ａおよび３５０Ｂの端部（本明細書においては、延長部３４４Ａ〜３４４Ｃとして形成される）間に存在し得る隙間を全て密閉することが支援される。カバーまたはフラップ３６４の部位は、例えばボンディングまたは縫合により布１７Ａおよび／またはヒンジ５６へ固定され得る。所望であれば、カバーまたはフラップ３６４の一端を緩くしておき、トレーラーを伸長位置に構成した後、この緩い部位を締結具（例えば、面ファスナー３６１）により布１７Ａまたは壁部セグメント７２へ固定することができる。カバー３６４は、別個の要素であってもよいし、あるいは布１７Ａまたはヒンジ５６を形成する材料から単一の一体構造本体として一体形成してもよい。
【０１１９】
一実施形態において、内側布１７Ｂの材料は、外側布１７Ａの材料と異なり得る。例えば、内側布１７Ｂを軽量にすると、湿気を内部で通過させることができる。上記したような別の構成において、内側布１７Ｂおよび外側布１７Ａはどちらとも、湿気を内部から逃しつつ、遮蔽のために空気を閉じ込めることができる。
【０１２０】
さらなる実施形態において、内側布１７Ｂは、例えば（布１７Ａが除去された）図２２および図２３に示すように、分離可能な部位を含み得る。一般的に、分離可能な部位により、例えば２枚の布天蓋が不要であるときに内側布１７Ｂを取り外すことが可能になり、それと同時に、異なる材料および／または布重量の異なる布を例えば使用時季に応じて用いることも可能になる。特に有利な実施形態において、内側布１７Ｂは、例えば拡張布端部３６２によりスロット付きチャンネル３４３Ｂおよび３５３Ｂへ取り付けられることにより布接続部３５０Ｂへ固定されたままである第１の部位（単数または複数）１７Ｂ’を含む。第２の部位（単数または複数）１７Ｂ”は、締結デバイス３７０により、部位１７Ｂ’へ取り外し可能に固定される。図示の実施形態において、締結デバイス３７０はファスナーを含むが、他の締結デバイスを挙げると、スナップ、ボタン、面ファスナーなどがある。１つの主要プラットフォーム２１の縁２１Ｂから他の主要プラットフォームの縁２１Ｂへの内側布１７Ｂは、同様に前および後壁部アセンブリ２３の縁３５２および３５４へ固定されるため、逆Ｕ字型またはアーチ形状である。締結デバイス３７０は、単一のデバイス（例えば、単一のファスナー）または複数の締結デバイス部位（例えば、別個の部位（例えば、縁２１Ｂならびに／あるいは縁３５２および３５４それぞれのためのファスナー））を含み得る。図２３は、締結デバイス３７０がプラットフォーム２１に沿って延びた後に壁部セグメント７２Ｂへ移行する際の一部を示す。所望であれば、外側布１７Ａは、異なる材料および／または布重量を所望のときに用いることを可能にするためまたはメンテナンスまたは交換が必要なときのための内側布１７Ｂと同様の分離可能な部位も含み得る。
天蓋布セパレータ
【０１２１】
上記したように、例えば遮蔽天蓋１７を提供するために、外側布１７Ａおよび内側布１７Ｂの分離を維持することが望ましい場合がある。図１および図２２を参照して、所望であれば、分離維持を支援するために、１つ以上の間隔を空けて配置されたセパレータ３７１を外側布１７Ａと内側布１７Ｂとの間に配置することができる。図２２を参照して、セパレータ３７１が伸長され、図１に模式的に示すように、所望であればセパレータ３７１を天蓋１７の長さに沿って（１つの単一の連続的長さとしてまたは間隔を空けて配置された部位として）１つの主要プラットフォーム２１の外縁２１Ｂから他の主要プラットフォーム２１の外縁２１Ｂへと延長させることができる。これらのセパレータ３７１は、多数の形態をとり得るが、好適には、天蓋１７が壁部アセンブリ２３間に伸長したときに外側布１７Ａおよび内側布１７Ｂの分離維持をできるような充分な剛性を持つとよい。さらなる実施形態において、所望であれば、各セパレータ３７１は、キャンピングカー１０が輸送位置において折り畳まれたときに外側布１７Ａと内側布１７Ｂとの間に留まることができるように、充分な可撓性または圧縮性を有する。各セパレータ３７１は、圧縮性泡状物質、ばら材料、膨張可能な袋などまたはこれらの組み合わせを含み得る。各セパレータ３７１は、例えば接着、ボンディングなどにより、外側布１７Ａおよび／または内側布１７Ｂへ恒久的に固定され得る。セパレータ３７１は、例えばクリップ、クラスプ、ループまたは他の締結デバイス（例えば、面ファスナー）により、外側布１７Ａおよび／または内側布１７Ｂへ取り外し可能に固定され得る。
【０１２２】
内側布１７Ｂが取り外し可能であるかまたは取り外し可能な部位１７Ｂ”を含む場合、セパレータ（単数または複数）３７１は、内側布１７Ｂまたは布部位１７Ｂ”を取り外すときに内側布１７Ｂと外側布１７Ａとの間から取り外すことができる。図２２Ａに示すセパレータ３７１は、伸長泡状物質ロッドまたはチューブである内部フィラー３７５により内側布１７Ｂまたは外側布１７Ａのうち少なくとも１つへ接合された支持スリーブ３７３を含む。所望であれば、支持スリーブ３７３は、支持スリーブ３７３が布へ取り付けられた状態で内部フィラー３７５を支持スリーブ３７３から取り外すことを可能にしかつ／または支持スリーブ３７３（および単位として取り外すべき内部フィラー３７５）を布（単数または複数）１７Ａおよび／または１７Ｂから接続解除するための締結デバイス（単数または複数）（例えば、スナップ、クリップ、紐、フックおよびループテープ、ファスナー）を含み得る。
【０１２３】
セパレータ（単数または複数）３７１は、図１に示すようにヒンジ５６内に設けてもよい点に留意されたい。
天蓋アタッチメント
【０１２４】
図２４は、封入されたドア空間を提供するために用いられ得るアタッチメント３８０を示す。一般的には、天蓋アタッチメント３８０は、壁部アセンブリ２３の少なくとも一部へ固定された布３８２を含む。図示の実施形態において、布３８２は、キャンピングカー１０の後端において封入空間を形成するように、縁３５５の近位に固定される。しかし、これは、限定的なものとしてみなされるべきではない。同様に、縁３５５全体の近位に固定されたものとして図示しているが、これは、所望であれば天蓋を縁３５５の一部へ固定することによりより小さな空間を形成することができる点において、制限的なものとしてみなされるべきではない。
【０１２５】
布３８２からキャンピングカー１０への接続部から遠隔位置にある位置（単数または複数）において、キャンピングカー１０から離隔位置にある地面表面の上方において布３８２を支持するように、フレーム支持部３８５が設けられる。フレーム支持部３８５は、封入空間の所望の形状に応じて、任意の数の形状をとり得る。図示の実施形態において、垂直支持部３８７は、上方に延び、本明細書において概して縁３５５の形状をした中央部３８８によって共に接続される。所望であれば、側方支持部３８７Ａおよび／または上支持３８７Ｂは、垂直支持部３８７および後壁部アセンブリへ接続され得、垂直支持部３８７および後壁部アセンブリ間に延びる。しかし、この特定の形状は不要である。フレーム支持部３８５は、ガイド線３８８によって直立位置に保持され得、ガイド線３８８の数は、フレーム支持部３８５および／または天蓋アタッチメント３８０の形状に応じて異なり得る。図示の実施形態において、天蓋アタッチメント３８０は、（本明細書中、緩いフラップ材料によって形成された）通路３９７を含む。通路３９７には、締結デバイス（例えば、ファスナーまたはスナップ）によって所望に設けられ得る。布３８２は、単一の材料組み合わせによって形成され得る。典型的には、布３８２は軽量であり、一部を耐水性にすることにより被覆を提供し、他の部位にスクリーン材料を含めて気流を提供する。
【０１２６】
キャンピングカー１０への布材３８２のアタッチメントは、内側層または外側層１７Ａ／１７Ｂと同様の様態で達成することができる。例えば、スロット付きチャンネル３４３と同様のスロット付きチャンネル３８９は、パネル７２Ｂおよび７２Ｃ上の縁３５４に沿って延び得、さらなるスロット付きチャンネル３９１が、パネル７２Ａの上部に設けられ得る。布３８２は、布材３８２がスロット付きチャンネル３８９および３９１のスロットを通じて延びることを可能にするために、内側層および外側層１７Ａおよび１７Ｂ拡張端部２６２と同様の拡張端部を含み得る。図２３中の内側層１７Ｂについて述べた様態と同様の様態で、布３８２は、第１の部位を含み得る。この第１の部位は、縁３５４において設けられたスロット付きチャンネル３８９および３９１へ固定されたままであり、締結デバイス（例えば、上記したものと同様のファスナー）が設けられて、布材３８２のうち大部分を壁部アセンブリ２３へ固定されたままである部位へ選択的に固定することを可能にする。
【０１２７】
壁部アセンブリ２３上のさらなるスロット付きチャンネルが不要な別の実施形態において、布材３８２を天蓋１７へ固定または締結するために、ファスナーなどの締結デバイスが用いられ得る。図２５は、布３８２の端部３８２Ａがファスナー３８４を含む締結デバイスにより天蓋１７の外側層１７Ａへ締結されている様子を示す。ファスナー３８４の第１の部位は、例えばボンディング、縫合または接着により外側層１７Ａへ固定された材料３８６のバンドへ固定される。バンド３８６を図２４中にも示す。ファスナー３８４の第２の部位は、端部３８２Ａへ固定される。
【０１２８】
再度図２４を参照して、別の実施形態において、布３８２’は、天蓋１７と異なる方向に延びる。布３８２’は、天蓋１７から外方に延びるように、天蓋１７へ固定され得る。本実施形態において、垂直支持部３８５Ａは、布３８２’の遠隔角部へ接合され、日よけを形成するように遠隔角部を直立させる。しかし、所望であれば、アタッチメント３８０に類似する格納装置を布３８２’の様態で方向付けてもよい。同様に、アタッチメント３８０ではなく簡単な日よけを後方に延ばしてもよい点に留意されたい。
【０１２９】
布３８２’は、天蓋１７および締結デバイス（例えば、日よけ延長が望まれない場合に巻物または折り畳み布３８２’として設けられたストラップ３８２Ａ’）へ恒久的に接合され得る。所望であれば、布３８２について上記した様態と同様の様態で天蓋１７およびファスナー３８４へ恒久的に接合された端部３８２Ａを用いて、布３８２’を取り外し可能に天蓋１７へ取り付けてもよい。
【０１３０】
布３８２に加えて、所望の空間を完全封入するようにさらなるパネル（単数または複数）が必要になり得る。再度図２４を参照して、パネル３８８は、壁部アセンブリ２３の壁部セグメントまたは主要プラットフォーム２１および静止プラットフォーム２８から下方に地面表面へ延びるように、これらの部位へ固定される。追加的にまたは代替的に、サイドパネル３９０は、主要プラットフォーム２１の外縁２１Ｂへ固定され、端部パネル（単数または複数）３９２は、キャンピングカー１０の前方に設けられる。本実施形態において用いられる保管区画１０６を鑑みて、端部パネル（単数または複数）３９２を（主要プラットフォーム２１それぞれに延長させるだけでなく、）保管区画１０６の周囲にも延長させる必要があり得る。パネル３８８、３９０および３９２のキャンピングカーの部位への固定は、任意の適切な締結具を用いて行われ得る（例えば、スナップ、上記したようなスロット付きチャンネルおよび／または締結デバイス（例えば、図２４に示す材料３９４のストリップへ固定されたファスナー３８４））。
【０１３１】
所望であれば、隣接するパネル３８８、３９０および／または３９２を共に固定してもよいし、あるいは単一の材料シートから形成してもよい。例えば、パネル３８８のうち半分およびパネル３９２のうち半分をパネル３９０へ固定する一方、パネル３８８および３９２の残り半分をキャンピングカー１０の反対側のパネル３９０へ固定する。このようにして、壁部アセンブリ２３が平坦に配置された際、パネル３８８のうち半分、パネル３９２およびパネル３９０のうち半分を相互に折り畳み、キャンピングカー内に折り畳むことができる。このようにして、キャンピングカーを伸長位置に組み立てた後のパネル全ての個々の取付が不要になる。すなわち、パネル３８８を主要プラットフォーム２１または外側層１７Ａへ固定すると、半分のパネル３８８および３９２をそれぞれ展開し、図示のようにキャンピングカーの対向する端部へ固定するだけでよい。このような固定デバイスを挙げると、クリップ、面ファスナーなどがある。
【０１３２】
この時点において、パネル３８８、３９０および３９２を使用した場合、天蓋アタッチメント３８０によって形成された封入空間が使用されない場合でも有利であり得る点に留意されたい。これらのパネルを用いた場合、静止プラットフォーム２８および主要プラットフォーム２１の下側の空気の動きを回避することにより、冬において特に有用である。パネル３８８、３９０および３９２により、キャンピングカー１０の底部が遮蔽されるように、気流が抑制される。パネル３８８、３９０および３９２の緩い縁を所望にまたは必要に応じてスタックまたはウェイトダウンすることができる。
【０１３３】
好適にはドア８２に対してトレーラー後部に設けられた昇降台としてオーバーハングまたは封入されたドア空間を提供する他の実施形態を図２４Ａ〜図２４Ｇに示す。図２４Ａ〜図２４Ｄは、オーバーハング３００Ａを示す。オーバーハング３００Ａは、オーバーハング３００Ａがフレーム３０２Ａによって支持されそしてフレーム３０２Ａがキャンピングカーの後壁部アセンブリによって支持されるため、特に有利である。そのため、本実施形態において、オーバーハングへ接続されかつ地面上に配置または固定されたさらなる柱、ワイヤなどは無い。オーバーハング３００Ａの周縁３０４Ａは、上記した技術を用いて後壁部アセンブリへ固定され得る。フレーム３０２Ａは、後壁部アセンブリの幅を延長させる複数のＵ字型支持部を含む。第１のＵ字型３０６Ａは、後壁部アセンブリの各端部３０８Ａへ接合され、外方かつ上方に延びて、オーバーハング３００Ａの最外側縁３１０Ａを規定する。第２のＵ字型支持部３１２Ａは、３０６Ａを支持するように端部３１４Ａへ接続され、帆布１７の高さまたは後周縁３０４Ａの高さとほぼ同じ高さまで上方に延びる。（支持部３１２Ａから支持部３０６Ａへの接続部は、接続解除可能ではない旋回接続部である点に留意されたい。）。さらなる側方支持部３１６Ａが３２３Ａにおいて後壁部アセンブリ２３へ接続され、本明細書中図示されるＵ字型支持部３０６Ａまたは３１２Ａの少なくとも１つが、支持部３１２Ａへ接続される。
【０１３４】
一実施形態において、支持部３０６Ａ、３１２Ａおよび３１６Ａはそれぞれ、後壁部アセンブリおよび／またはオーバーハング３００Ａを形成する材料へ取り外し可能に接続される。１つの特に有利な実施形態において、Ｕ字型支持部３０６Ａおよび３１２Ａが、共に取り外し可能に接続することが可能な少なくとも１組のピースから組み立てられる。例えば、Ｕ字型支持部３０６Ａはそれぞれ、２つのＪ字型部位と、各Ｊ字型延長部へ取り外し可能に接続する中央部とを含み得る。側方支持部３１６Ａは、壁部アセンブリから接続解除された際に側方支持部３１６Ａが概して平坦でありかつ自身が旋回可能に接続され支持部３０６Ａの部位に隣接するように、端部３２０ＡにおいてＵ字型支持部３０６Ａへ旋回可能に接続され得る。
【０１３５】
図２４Ｄを参照して、Ｕ字型支持部３０６Ａおよび３１２Ａそれぞれの部位は、オーバーハング３００Ａの下側のスリーブ３２２Ａおよび３２４Ａ内にそれぞれ配置され得る。スリーブ３２２Ａおよび３２４Ａは、スリーブを例えば長手方向長さに沿って開口させて、Ｕ字型支持部３０６Ａおよび３１２Ａの部位を内部に配置することができるように、締結具（例えば、ファスナーまたは複数のスナップ）を含み得る。スリーブ３２２Ａおよび３２４Ａが閉鎖されると、スリーブ３２２Ａおよび３２４Ａは、Ｕ字型支持部３０６Ａおよび３１２Ａを捕獲することにより、強固な接続部をオーバーハングの材料とフレーム３０２Ａとの間に提供する。フレーム３０２Ａから後壁部アセンブリへの接続により、顕著な風負荷または積載されたゆきなどの重量に耐えることが可能なオーバーハング構造が実現される。しかし、フレーム３０２Ａをフレーム３０２Ａから取り外し可能な個々の部分および材料に分解することができるため、材料およびフレームコンポーネントは、壁部アセンブリ２３が例えば図１６Ｂに示すような折り畳み状態にあるときにリアパネル２５０の固定も可能にしつつ材料およびフレームコンポーネントを壁部アセンブリ２３によって規定される内部空間内に配置することができるように、構成される。
【０１３６】
オーバーハング３００Ａおよびフレーム３０２Ａの設計により、後壁部アセンブリ２３が未だ平坦になっているとき（すなわち、リフトされて帆布シェル１７を前および後壁部アセンブリ２３間に延ばす前に）後壁部アセンブリ２３への固定が可能になる点に留意されたい。換言すれば、キャンピングカー１０は、先ず主要プラットフォーム２１それぞれを下降させることにより、前壁アセンブリ２３を後壁部アセンブリ２３上に載置させることで、旅行構成から伸長位置へとキャンピングカーとして機能するように構成される。次に、前壁アセンブリ２３をその直立位置へリフトさせ、キャンピングカー１０の前方において保管区画１０６へ接続させる。この時点において、後壁部アセンブリ２３は、キャンピングカーのフロアパネル（すなわち、静止プラットフォーム２８および主要プラットフォーム２１）上に平坦に載置されたままである。
【０１３７】
次に、後周縁３０２Ａを後壁部アセンブリ２３へ接合させることができる。しかし、さらなる実施形態において、この接続部は、オーバーハング３００Ａの材料によって既に構成されており、壁部アセンブリ２３が折り畳み旅行構成に配置された際に壁部アセンブリ２３と共に折り畳まれ得る点にも留意されたい。
【０１３８】
次に、フレーム３０２Ａのコンポーネントを接続して、Ｕ字型支持部３０６Ａおよび３１２Ａを形成することができる。支持部３０６Ａ、３１２Ａおよび３１６Ａは壁部アセンブリ２３へ接続され、支持部３０６Ａおよび３１２Ａはスリーブ３２２Ａおよび３２４Ａ内に配置されるが、しかし、接続の正確な順序は変化し得る。接続が行われた後、後壁部アセンブリ２３が水平に平坦に配置された状態で、オーバーハング３０２Ａが上方に延びる。次に、オーバーハング３０２Ａおよび特にフレーム３０２Ａの部位は、（この時点において前および後壁部アセンブリ２３間に帆布１７も延長させる）後壁部アセンブリ２３を直立位置へリフトさせる作業の支援具として機能し得る。
【０１３９】
一実施形態において、支持部３０６Ａおよび／または側方支持部３１６Ａは、支持部３０６Ａおよび３１６Ａの長さが限定された距離にわたって退避および延長することを可能にする連結器３２７Ａを含み得る。オーバーハング３００Ａは組み立て時においてぴんと張られていることが多いため、オーバーハング３００Ａの材料がそのときに伸展していることに起因して、支持部３０６Ａおよび３１６Ａを後壁部アセンブリ２３へ接続することが困難である場合がある。支持部３０６Ａおよび／または３１６Ａをすこし短尺である状態で配置することができるため、支持部３０６Ａおよび／または３１６Ａを後壁部アセンブリ２３へ接続することができる。接続を行った後、連結器３２７Ａを操作して支持部３０６Ａおよび／または３１６Ａをより長尺とすると、オーバーハング３０２Ａが伸展し、ぴんと張られている構成をとる。
【０１４０】
図２４Ｅ〜図２４Ｇに示す側壁またはパネル３２９Ａおよび前壁またはパネル３３１Ａは、いかなるさらなるフレーム支持を必要とすること無くオーバーハング３００Ａおよびフレーム３０２Ａをパネル３２９Ａおよび３３１Ａを直立位置において支持するように、オーバーハング３００Ａへ接合され得るが、このようなことは、さらなる実施形態において設けられ得る。パネル３２９Ａおよび３３１Ａは、適切な締結具（例えば、相互に接合された縁に沿って延びるファスナー）により、オーバーハングへ接合される。さらなる実施形態において、パネル３２９Ａおよび３３１Ａは、固形状の透明で半透明の材料で構成され得るかまたはスクリーンである。このようにして、異なる材料によって構成された異なるパネルを所望のときに使用することが可能になる。例えば、パネルは、高温環境において良好であり得るスクリーン材料を含み得、他のパネルは、風または雨水シールドを形成し得かつ冬環境または低温環境において遮蔽としても使用可能な固形状材料を含み得る。
硬質の側壁
【０１４１】
図２６〜図３３に示す複数の実施形態において、壁部アセンブリ２３間に延びるリジッドまたは硬質の側壁が設けられる。先ず図２６の実施形態を参照して、側壁４００は、外縁２１Ｂに沿って第１の位置から展開直立位置へ、主要プラットフォーム２１それぞれにヒンジ付けされる。第１の位置において、各側壁４００は、主要プラットフォーム２１と共に実質的に平坦である。展開直立位置において、各側壁４００は、壁部アセンブリ２３がそれぞれ展開直立位置にあるときに、壁部アセンブリ２３間に延びる。図２６は、これらの位置にそれぞれある側壁４００を示す。側壁４００は、壁部アセンブリ２３を直立位置に支持することを支援するために用いられ得る点に留意されたい。加えて、側壁４００をヒンジコラプシブル支持レール１８０および／または上記したフレーム部材の残り部分と共に用いて、簡易ベッド、ベンチまたはテーブルとして機能させることができる。典型的には、支持レール１８０は、側壁４００の内方に来るように主要プラットフォーム２１へヒンジ式に取り付けられ、換言すれば、側壁４００は、主要プラットフォーム２１へヒンジ式に接合された最外側要素である。当業者であれば理解するように、側壁４００から主要プラットフォーム２１へのヒンジ付け接続の位置は、側壁４００が支持レール１８０上に載置され、それに接続された他のフレーム部材が折り畳み位置に来る。折り畳み位置において、側壁４００は、主要プラットフォーム２１と共に実質的に平坦状または平面状である。
【０１４２】
さらなる実施形態において、側壁４００は、側壁４００に対して可動である任意選択の部位４０２を含み得る。第１の実施形態において、部位４０２は、部位４０２が側壁４００の縁４０４に対して回転可能となるように、図示しないヒンジ（単数または複数）により側壁４００の上縁４０４へ接合される。部位４０２の中間位置を図２６中において破線にて示す。部位４０２は、側壁４００上に折り畳まれ、主要プラットフォーム２１上に実質的に平坦に配置される。図２６において、部位４０２の長手方向縁４０６が最上位置にある様子が実線によって示され、主要プラットフォーム２１上に平坦に配置された際、中間位置において破線によって示される。
【０１４３】
部位４１０の動きを示す第２の実施形態も図２６に示す。本実施形態において、部位４１０は、側壁４００へスライド可能に取り付けられ、第１の実施形態において、部位４１０の縁４１２がガイド４１４によって側壁４００および壁部アセンブリ２３に対してスライドされる様子が模式的に示される。ガイド４１４は、部位４１０のスライド動きを可能にするように側壁４００および壁部アセンブリ２３へ取り付けられた別個のガイド要素を含み得る。換言すれば、相補的ガイド部材が、部位４１０が壁部アセンブリ２３に対して上方および下方にスライドされた際に相互に協働するように、縁４１２および壁部アセンブリ２３上へ取り付けられ得る。別の実施形態において、縁４１２は、ガイド４１４と直接係合する。所望であれば、相互に協働しかつ部位４１０が側壁４００に対してスライド移動することを可能にするように、他のガイド４１６を側壁４００と部位４１０との間に設けてもよい。
【０１４４】
図２７も参照して、第１の実施形態において、天蓋１７が側壁４００の上縁へ取り外し可能に接合され得、あるいは部位４０２または部位４１０が設けられる。部位４１０を例示的に参照して、外側布１７Ａおよび／または内側布１７Ｂが、取り外し可能にまたは近位に上縁４０６へ取り付けられ得る。布１７Ａおよび１７Ｂの主要プラットフォーム２１への固定について上記したように、多様な形態の締結具が使用可能である（例えば、スナップ、面ファスナーおよび／またはファスナー）。上記した様態と同様の様態で、所望であれば、スロット付きチャンネル４２３および４２５が縁４０６へ固定され得る。スロット付きチャンネル４２３および４２５は、外側布１７Ａおよび／または内側布１７Ｂを取り外し可能に受容および固定し得る。好適な実施形態において、外側布１７Ａおよび／または内側布１７Ｂは、第１の部位１７Ａ’および１７Ｂ’ならびに第２の部位１７Ａ”および１７Ｂ”を含む。締結具（ここでは、それぞれファスナー４２７および４２９）により、布１７Ａおよび１７Ｂの各部位が接合される。所望であれば、外側布１７Ａは、耐水外側層を提供するようにファスナーまたは締結具４２７上を被覆する面ファスナー４３０Ａおよび４３０Ｂを含む、ヒンジ付けされたフラップまたは部位１７Ａ’’’も含み得る。上記したようなセパレータ（単数または複数）３７１を図２６および図２７および図３０に例示するように設けてもよい。
【０１４５】
図２８に示す別の実施形態において、任意選択の部位４０２または４１０が移動可能に固定されているかまたは固定されていない側壁４００は、キャンピングカーの最外サイドパネルを形成するのではなく、天蓋１７が側壁に沿ってキャンピングカー１０の最外側被覆物として留まるように、主要プラットフォーム２１へヒンジ接合される。本実施形態が有利である点として、耐水シールが最外側布１７Ａによって提供されるため、側壁４００の縁と、任意選択の部位４０２および４１０との間の耐水シールが壁部アセンブリ２３について不要である点がある。図２９は、側壁４００が天蓋１７の内部へヒンジ４３０によって取り付けられることにより、側壁４００が主要プラットフォーム２１に対して平坦に載置される様子を示す。
【０１４６】
図３０は、キャンピングカー１０の各側上の壁部アセンブリ２３間に延び得る別の側壁４５０を示す。本実施形態において、側壁４５０は、主要プラットフォーム２１ではなく壁部アセンブリ２３へヒンジ付けされる。各側壁４５０は典型的には、共にヒンジ付けされる複数の部位を含む。図示の実施形態において、４つの部位４５２Ａ、４５２Ｂ、４５２Ｃおよび４５２Ｄが図示されているが、これは、部位の数を限定するものとしてみなされるべきではなく、典型的には各側壁４５０について２つ以上の部位を含む。部位の数は、主要プラットフォーム２１の長さに依存し得る。本実施形態において、部位４５２Ａは、キャンピングカーの各側上において壁部アセンブリ２３の外縁へヒンジ付けされる。部位４５２Ａは、第１の位置から第２の位置へ移動させることができる。第１の位置において、部位４５２Ａが破線によって示すように壁部アセンブリ２３に平坦に載置される。実線によって示す第２の位置において、４５２Ａの下部が主要プラットフォーム２１の縁２１Ｂと整合する。部位４５２Ａが第１の位置と第２の位置との間においてヒンジするため、第２の位置が主要プラットフォーム２１に沿って延び、壁部アセンブリ２３は、静止プラットフォーム２８および主要プラットフォーム２１に対してヒンジするため、部位４５２Ａは、壁部アセンブリ２３を直立位置に保持するためにも用いられ得る。キャッチ４５５が模式的に図示される。キャッチ４５５は、取付先である壁部アセンブリ２３が直立位置に保持されるように、部位４５２Ａを主要プラットフォーム２１の固定位置上に選択的に保持する。
【０１４７】
本実施形態において、部位４５２Ｂも部位４５２Ａに対して回転するように、ヒンジ接続される。第１の位置において、部位４５２Ｂは破線によって図示され、壁部アセンブリ２３に対する折り畳み位置において部位４５２Ａに対して実質的に平行に載置される。部位４５２Ａが位置へ移動された後、部位４５２Ｂは、概して縁２１Ｂに沿って主要プラットフォーム２１と整合するようにも回転され得る。本実施形態において、部位４５２Ａおよび４５２Ｂは、壁部アセンブリ４５０のうち半分を形成する。部位４５２Ｄは部位４５２Ａと同様に動作し、部位４５２Ｃは部位４５２Ｂと同様に動作する。よって、本実施形態において、各壁部アセンブリ４５０のうち半分は、折り畳み位置において後壁部アセンブリ２３に対して実質的に平坦に載置され、側壁４５０のうち残り半分は、他方の反対側または前壁アセンブリ２３上に折り畳まされる。天蓋１７は、側壁４５０の上縁４５８へ取り外し可能に固定され得、上縁４５８は、壁部部位４５２Ａ〜４５２Ｄそれぞれの上縁を含む。所望であれば、スロット付きチャンネル、ファスナー、スナップ、面ファスナーを用いて、図２７に示す様態と同様の様態で外側布１７Ａおよび任意選択の内側布１７Ｂを固定することができる。当業者であれば理解するように、部位４５２Ａ〜４５２Ｄそれぞれに別個の締結部位が必要になり得る。さらに別の実施形態において、側壁４５０は、天蓋１７が同様にキャンピングカー１０の最外側要素を形成するように、図２８に示す様態と同様の様態で天蓋１７の内方に取り付けられ得る。
【０１４８】
図３１において、部位４５２Ｂおよび４５２Ｃは、模式的に示されるガイド４５１上の部位４５２Ａおよび４５２Ｄそれぞれに対してスライドする。所望であれば、側壁４５０が壁部アセンブリ２３間にフル伸長した際、部位４５２Ａおよび４５２Ｂと４５２Ｃおよび４５２Ｄとの間において重複が生じ得る。
【０１４９】
図３２に示すさらに別の実施形態において、側壁４６０は、壁部アセンブリ２３の縁または外縁へ取り外し可能に固定される。本実施形態において、側壁４６０は、図示のように壁部アセンブリ２３に対して側壁４６０が外方にヒンジ付けされるように、外縁２１Ｂに沿って図示しないヒンジによって主要プラットフォーム２１へ接合される。一実施形態において、側壁４６０は、キャンピングカー１０がその伸長位置にあるかまたはセットアップされたときに所定位置に配置される最後の壁部である。そのため、支持レール１８２または壁部アセンブリ２３間に延びる他の部材により、壁部アセンブリ２３をそれぞれ直立位置へ移動させ、この位置に保持することができる。その後、壁部アセンブリ２３の外縁を係合させるように、側壁４６０を内方に回転させる。
【０１５０】
本実施形態において、壁部アセンブリ２３が主要プラットフォーム２１および静止プラットフォーム２８上に配置された際、側壁４６０は、壁部アセンブリ２３上に配置または載置される。側壁４６０がこの位置をとるために、主要プラットフォーム２１へ取り付けられた側壁４６０の縁を、図３３にも示すようなフランジ４６３によって壁部アセンブリ２３双方が平坦配置された際に収容できるような距離にわたって上昇させることができる。図３３は、側壁４６０の上縁４６２が壁部アセンブリ２３の外縁から内方に配置されるように、側壁４６０が壁部アセンブリ２３内に形成されたノッチ４８０と係合することができる点も示す。図２７について上記および図示した様態と同様の様態で、天蓋１７は、側壁４６０の上縁４６２へ取り外し可能に固定され得る。
【０１５１】
図３４〜図３６は、側壁がプラットフォーム２１の縁２１Ｂへヒンジ付けされた別の実施形態を示す。理解の目的のため、図３２中の壁部４６０は、壁部アセンブリ２３がその展開位置へ直立された後に側壁が壁部アセンブリ２３へ取り付けられる様子を示す。しかし、壁部アセンブリ２３が主要プラットフォーム２１および静止プラットフォーム２８上に配置されたときに壁部アセンブリ２３上に配置または載置される壁部４６０と異なり、各壁部４７０は、図３５に示すように２７０度のヒンジ４７２により縁２１Ｂへ接続される。図３５は、輸送または保管位置における図３４に示す右手プラットフォーム２１および壁部４７０の拡張部位である。図３６は、壁部４７０が図３２中の壁部４６０と同様に直立されたときのプラットフォーム２１と壁部４７０との間の関係の模式図である。壁部４７０が固定されると、適切な締結具（例えば、クリップ、クラスプ、フック）により、壁部４７０を壁部アセンブリ２３の側縁に対する位置に固定することができる。再度図３４を参照して、壁部４７０は、キャンピングカー１０の右手側に示すように単一のパネルを含み得、あるいは、所望であれば、ヒンジ４７４により旋回可能に共に接続された複数のパネル４７０Ａおよび４７０Ｂを含み得る。保管または輸送位置において、パネル４７０Ａがパネル４７０Ｂ上に載置される。図３２において、パネル４７０Ａおよび４７０Ｂも図示されている。
【０１５２】
天蓋１７は、図２７に示す部位４１０について上記したようなまたは図３０に示す壁部４５０について述べたような様態で、側壁４７０の上縁へ固定され得る。しかし、さらに別の実施形態において、天蓋１７は、図３６に示すように側壁４７０に沿ってプラットフォーム２１へ取り付けたままでもよい。図３６において、壁部４７０は、天蓋１７（本明細書中、層１７Ａおよび１７Ｂを例示的に含む）天蓋１７の外部にある。このようにして、キャンピングカー１０の内部が層１７Ａおよび／または１７Ｂによってシールされているため、壁部４７０と、壁部アセンブリの側縁との間のシールを完全にする必要がなくなる。しかし、水および／または破片が層１７Ａと壁部４７０との間に落下するのではなく壁部４７０の外面へ流れ落ちるように、図２７に示すようにパネル１７Ａ’’’’を設けることが望ましい場合があり得る点に留意されたい。
展開時においてトレーラーを移動させるように構成された地面支持部
【０１５３】
図３２は、トレーラーが展開構成になったときにキャンピングカー１０の動きを可能にする地面支持部５００である本発明の別の態様も示す。図３２において、キャンピングカー１０のこのような動きを可能にする２つの地面支持部が図示され、ここで、その他の側部が同様の地面支持部（図示せず）を含む。一実施形態において、各地面支持部５００は、垂直支持部５０２と、垂直支持部５０２へ接続されたスキー５０４とを含む。地面支持部５００は好適には、地面支持部５００へ直接固定された各主要プラットフォーム２１の各遠隔角部において配置されるか、または、別の実施形態において横方向支持部６４を上記した様態で配置される。所望であれば、破線によって示す単一のスキー５０４Ａを、主要プラットフォーム２１の長さに沿って延びるように、垂直支持部５０２それぞれへ接続することができる。さらに所望される場合、例えば選択的に動作可能な様態で（例えば、スキー５０４および５０４Ａを所望であれば取り外すことが可能な様態で）スキー５０４または５０４Ａを地面支持部５８へ接続することができる。単一のスキー５０４Ａまたは複数のスキー５０４がキャンピングカー１０の各側上にあるかに関わらず、スキー５０４Ａまたは５０４が上に向けられた部位を各端部上に持つことができ、これにより、キャンピングカー１０を前方または後方に容易に移動させることができる。
【０１５４】
地面支持部５００は、セットアップ時に（キャンピングカー１０を少なくとも部分的折り畳むのではなく）キャンピングカー１０を移動させることが望ましい場合において、有利である（例えば、キャンピングカー１０がアイスフィッシング時に用いられ、ユーザが湖上の異なる位置へ移動したい場合）。キャンピングカー１０を展開された主要プラットフォーム２１と共に移動させることを可能にすると、取付時間を大幅に節減することが可能になり、地面支持部５００によりキャンピングカー１０の転覆を抑制することができる。別の実施形態において、各地面支持部５００を例えば取り外し可能な様態でホイールアセンブリ５０６（そのうち１つを図示する）へ接続することができる。よって、展開構成におけるキャンピングカー１０の動きは、スキー５０４および５０４Ａのみとの使用および／または雪上のみにおける使用に限定されない。一実施形態において、ホイール５０６およびスキー５０４は、垂直支持部５０２の端部を受容するように構成されたレシーバ５０８を含むが、他の形態の締結機構を使用してもよい。
可動フロアプラットフォーム上の内側アクセスパネル
【０１５５】
再度図２、図４、図２０および図３７を参照して、一実施形態または図示の実施形態において、各主要プラットフォーム２１は、保管空洞またはビン５３０を動作可能なカバーパネル５３２と共に含む。保管空洞またはビン５３０は、本明細書においてはヒンジ５３４によってヒンジ付けされるが、所望であれば全体的に取り外し可能にすることも可能である。所望のとき、ラッチ５３６によりカバーパネル５３２が固定される。主要プラットフォーム２１は、展開時においてユーザへフロアを提供し、壁部アセンブリ２３が直立される。空洞５３０の後壁５４０（図３７）は、各主要プラットフォーム２１のフロアの一部として機能する。所望であれば、フロア／後壁５４０を形成するパネル部材の１つ以上の取り外し可能な部位５４２が、図２０に示すように設けられ得る。好適な実施形態において、取り外し可能な部位５４２は、主要プラットフォーム２１が展開されかつ端壁アセンブリ２３が直立された後にトレーラーの内側から取り外され、これにより、封入された内部空間がキャンピングカー１０に形成される。部位（単数または複数）５４２１つ以上を取り外すことにより、トレーラー内部から各貯蔵ビン５３０へアクセスすることが可能になる。カバーの形状は、図示のように円形でなくてもよい点に留意されたい。
【０１５６】
取り外し可能な部位５４２のうち１つ以上を取り外すと、キャンピングカー１０内から主要プラットフォーム２１の下側において外部空間への開口５４４を生成することができる（ただし、カバー５３２が開口されるかまたは取り外される場合）。一実施形態において、開口５４４のうち１つ以上は、キャンピングカー１０が水域の氷上において展開されている場合にキャンピングカー１０内から釣りができるようなサイズである。開口（単数または複数）５４４は、任意の簡便な形状（例えば、多角形、円形または楕円形）をとり得る。
【０１５７】
各主要プラットフォーム２１は展開時において高い位置にあるため、開口５４４または氷中の釣り用穴またはその近隣からあるいは少なくともキャンピングカー１０のビンまたはフロアの後壁５４０の開口中の各開口５４４の近隣から通路５５を遮蔽することが望ましい場合がある。通路（単数または複数）５５０は、任意の簡便な形状をとり得る（例えば、多角形、円形または楕円形）。一実施形態において、各通路５５０は、単一の氷穴および開口５４４のために設けられるが、所望であれば通路５５０を１つよりも多数（例えば、２つまたは３つ）を収容するようなサイズにしてもよい。通路５５０は、１つ以上の材料（例を非限定的に挙げると、金属、プラスチック、布）によって形成され得る。通路５５０は、絶縁材料を含んでもよいし、あるいは、１つ以上の開口かつ／または閉鎖された空気穴を生成するように構築してもよい。別の実施形態において、通路５５０は、内側コイルワイヤに起因してテレスコープ状になる布などの材料によって構成され得、コイルの長手方向長さは変化し得る。
【０１５８】
所望であれば、通路５５０は、環状または部分的に環状の端部リップまたはフランジ５５８を端部上に含み得る。リップまたはフランジ５５８は、開口５４４を通じた通路５５０の挿入を制限し得る。所望であれば、通路５５０は、剛性かつコンプライアントな材料（例えば、プラスチック）の平面シートから形成され得る。平面シートは、長手方向縁が隣接または重複するようなサイズにされ得る。所望であれば、保持デバイス（例えば、ラッチ、クリップ、ストラップ）を設けてよいが、開口５４４は通路５５０のうち少なくとも１つの端部を保持するために充分であり得、反対側の端部において、通路５５０を氷穴の近位の氷削に挿入することを可能にする端部が通路５５０へ設けられ得、氷削により、通路５５０の管状形状を保持するように、縁が所定位置に保持される。材料シートにより形成される場合、通路５５０は解放されて、保管のために平面状または概して平面状形状に戻る。
【０１５９】
アイスフィッシング目的のためのキャンピングカー１０中の穴の位置は、主要プラットフォーム２１を通じた穴に限定されない点に留意されたい。図３７は、キャンピングカー１０の一部を下側から見た図である。別の実施形態において、１つ以上の開口が、トレーラーの中央（例えば、５６２および５６６に示すもの）に配置され得る。これらの穴はそれぞれ、静止パネル２８の下側に設けられた下側保管区画を通じた穴に対応し、例えば図２０中にそれぞれ５６８および５７０によって示すようなカバーを通じてキャンピングカー内からアクセス可能である。開口５４４と同様に、適切な取り外し可能なカバーが、開口５６２および／または５６６のためのカバー５４２と同様に設けられ得る。
下側本体保護アセンブリ
【０１６０】
再度図４Ａ、図７Ｂおよび図３７を参照して、静止プラットフォーム２８および保管領域１０６の下側のキャンピングカー１０の下側本体部１０６Ｄは、ユーザによって保管のために所望に用いられる。しかし、下側本体部１０６Ｄを形成するパネル１０６Ｆ、１０６Ｇおよび１０６Ｈは、特にキャンピングカー１０がオフロードの道路上において牽引されている場合に存在し得る石および他の破片による損傷を受けやすい。下側本体部１０６Ａのパネルに対して一定の保護を提供するために、下側本体保護アセンブリ６００を下側本体部１０６Ａのパネル１０６Ｆ、１０６Ｇおよび１０６Ｈ上へ取り付けることができ、一実施形態において、パネル１０６Ｆ、１０６Ｇおよび１０６Ｈから若干間隔を空けて配置することができる。一般的に、下側本体保護アセンブリ６００は、複数の支持部部材６０２を下側本体部１０６Ｄのサイドパネルおよび下サイドパネルに沿って含み得る。支持部材６０２は、例えば長手方向、横断方向および／または垂直方向に方向付けられた部位を有するように、所望に方向付けられ得る。図４Ａを参照して、好適には各支持部６０２の上端は、静止プラットフォーム２８を支持するフレーム部材へ取り付けられる。なぜならば、フレーム部材は、下側本体部１０６Ｄのパネルと比較してリジッド構造であるからである。適切な締結具を挙げると、各支持部材６０２中のアパチャを通じて延びかつ静止プラットフォーム２８を支持するフレーム部材へ固定されるねじ式アパチャ中へ受容されるねじ式ボルトがある。他の種類の締結具も利用可能であるため、これは、限定的なものとしてみなされるべきではない。各支持部材６０２は、下側本体部１０６Ｄのサイドパネル１０６Ｆまたは１０６Ｇおよび下サイドパネル１０６Ｈに沿って下方に延びる。換言すると、支持部材６０２は、下側本体部１０６のための保護ケージを共に形成する。支持部材６０２間の間隔は、保護が所望される破片、石または障害物の種類に応じて選択される。一実施形態において、保護をさらに強固にするために、１つ以上のスキッドパネル６０４（一部を図４Ａに示す）を設けてもよい。スキッドパネル（単数または複数）１０６Ｋは、損傷発生時に交換ができるように、交換可能な様態で取り付けられ得る。同様に、所望であれば、支持部材６０２を交換可能な様態で共に固定してもよい。
【０１６１】
本発明について、構造特徴および／または方法論的行為に特有の文言を用いて説明してきたが、添付の特許請求の範囲に定義される本発明は、法廷によって決定されるような、上記した特定の特徴または行為に必ずしも限定されないことが理解されるべきである。すなわち、上記した特定の特徴および行為は、特許請求の範囲の例示的実行形態として開示される。
【図１】
2019511432.tif 000003
【図１Ａ】
2019511432.tif 000004
【図２】
2019511432.tif 000005
【図３】
2019511432.tif 000006
【図４】
2019511432.tif 000007
【図４Ａ】
2019511432.tif 000008
【図５】
2019511432.tif 000009
【図６】
2019511432.tif 000010
【図７】
2019511432.tif 000011
【図７Ａ】
2019511432.tif 000012
【図７Ｂ】
2019511432.tif 000013
【図８】
2019511432.tif 000014
【図９】
2019511432.tif 000015
【図１０】
2019511432.tif 000016
【図１１】
2019511432.tif 000017
【図１１Ａ】
2019511432.tif 000018
【図１２】
2019511432.tif 000019
【図１２Ａ】
2019511432.tif 000020
【図１２Ｂ】
2019511432.tif 000021
【図１３】
2019511432.tif 000022
【図１４】
2019511432.tif 000023
【図１５】
2019511432.tif 000024
【図１６】
2019511432.tif 000025
【図１６Ａ】
2019511432.tif 000026
【図１６Ｂ】
2019511432.tif 000027
【図１７】
2019511432.tif 000028
【図１８】
2019511432.tif 000029
【図１９】
2019511432.tif 000030
【図２０】
2019511432.tif 000031
【図２０Ａ】
2019511432.tif 000032
【図２０Ｂ】
2019511432.tif 000033
【図２０Ｃ】
2019511432.tif 000034
【図２１】
2019511432.tif 000035
【図２２】
2019511432.tif 000036
【図２２Ａ】
2019511432.tif 000037
【図２３】
2019511432.tif 000038
【図２４】
2019511432.tif 000039
【図２４Ａ】
2019511432.tif 000040
【図２４Ｂ】
2019511432.tif 000041
【図２４Ｃ】
2019511432.tif 000042
【図２４Ｄ】
2019511432.tif 000043
【図２４Ｅ】
2019511432.tif 000044
【図２４Ｆ】
2019511432.tif 000045
【図２４Ｇ】
2019511432.tif 000046
【図２５】
2019511432.tif 000047
【図２６】
2019511432.tif 000048
【図２７】
2019511432.tif 000049
【図２８】
2019511432.tif 000050
【図２９】
2019511432.tif 000051
【図３０】
2019511432.tif 000052
【図３１】
2019511432.tif 000053
【図３２】
2019511432.tif 000054
【図３３】
2019511432.tif 000055
【図３４】
2019511432.tif 000056
【図３５】
2019511432.tif 000057
【図３６】
2019511432.tif 000058
【図３７】
2019511432.tif 000059
【国際調査報告】
2019511432.tif 000060
2019511432.tif 000061